(57)【要約】  本願の実施形態は、通信方法及び通信装置を提供する。方法は、ターゲットセルのＮ本のビームの識別情報及びＮ本のビームにおけるＭ本のビームのランダムアクセスチャネル構成を受信する段階であって、Ｎ及びＭは正の整数である、段階と、Ｎ本のビームにおけるＬ本のビームの信号品質又は信号強度と、Ｎ本のビームの識別情報と、Ｍ本のビームのランダムアクセスチャネル構成とに基づいて、アクセスするビームを決定する段階であって、Ｌは非負の整数である、段階とを含む。従って、実施形態は、アクセスする適切なビームを提供して、解決手段を決定する。さらに、実施形態におけるアクセスするビームが、Ｎ本のビームにおけるＬ本のビームの信号品質又は信号強度及びＭ本のビームの受信されたＲＡＣＨ構成に基づいて、端末によって決定される。従って、このように決定されたアクセスするビームは、端末によるセルへのアクセスの成功率を高め得る。
2020523922.tif 000002
【特許請求の範囲】
【請求項１】
通信方法であって、
ターゲットセルのＮ本のビームの識別情報及び前記Ｎ本のビームにおけるＭ本のビームのランダムアクセスチャネル構成を受信する段階であって、Ｎ及びＭは正の整数である、段階と、
前記Ｎ本のビームにおけるＬ本のビームの信号品質又は信号強度と、前記Ｎ本のビームの前記識別情報と、前記Ｍ本のビームの前記ランダムアクセスチャネル構成とに基づいて、アクセスするビームを決定する段階であって、Ｌは非負の整数である、段階と
を備える、方法。
【請求項２】
前記Ｎ本のビームにおけるＬ本のビームの信号強度と、前記Ｎ本のビームの前記識別情報と、前記Ｍ本のビームの前記ランダムアクセスチャネル構成とに基づいて、アクセスするビームを決定する前記段階は、
前記Ｎ本のビームにおける前記Ｌ本のビームの前記信号強度と、強度閾値情報と、前記Ｎ本のビームの前記識別情報と、前記Ｍ本のビームの前記ランダムアクセスチャネル構成とに基づいて、アクセスする前記ビームを決定する段階
を有する、請求項１に記載の方法。
【請求項３】
前記強度閾値情報を受信する段階をさらに備える、請求項２に記載の方法。
【請求項４】
前記強度閾値情報は、第１のビーム信号の強度閾値又は強度閾値インジケーション情報を含み、前記強度閾値インジケーション情報は、前記第１のビーム信号の強度閾値と第２のビーム信号の強度閾値との間の関係を示すのに用いられ、前記第２のビーム信号の強度閾値は、測定構成情報に保持されたビーム信号の強度閾値である、
請求項２又は３に記載の方法。
【請求項５】
前記Ｎ本のビームにおける前記Ｌ本のビームの前記信号強度と、強度閾値情報と、前記Ｎ本のビームの前記識別情報と、前記Ｍ本のビームの前記ランダムアクセスチャネル構成とに基づいて、アクセスする前記ビームを決定する前記段階は、
前記Ｎ本のビームにおける前記Ｌ本のビームの前記信号強度と、前記強度閾値情報と、前記Ｎ本のビームの前記識別情報と、前記Ｍ本のビームの前記ランダムアクセスチャネル構成とに基づいて、前記ターゲットセルにアクセスする前記ビームとして、前記Ｍ本のビームから信号強度が前記第１のビーム信号の強度閾値より大きい又はそれに等しいビームを決定する段階
を有する、請求項４に記載の方法。
【請求項６】
前記Ｎ本のビームにおける前記Ｌ本のビームの前記信号強度と、強度閾値情報と、前記Ｎ本のビームの前記識別情報と、前記Ｍ本のビームの前記ランダムアクセスチャネル構成とに基づいて、アクセスする前記ビームを決定する前記段階は、
前記Ｍ本のビームのそれぞれの信号強度が前記第１のビーム信号の強度閾値より小さいとき、前記Ｍ本のビームから、前記Ｎ本のビームの前記識別情報及び前記Ｍ本のビームの前記ランダムアクセスチャネル構成に基づいて、前記ターゲットセルにアクセスする前記ビームを決定する段階
を有する、請求項４に記載の方法。
【請求項７】
前記Ｎ本のビームにおける前記Ｌ本のビームの前記信号強度と、強度閾値情報と、前記Ｎ本のビームの前記識別情報と、前記Ｍ本のビームの前記ランダムアクセスチャネル構成とに基づいて、アクセスする前記ビームを決定する前記段階は、
前記Ｍ本のビームのそれぞれの信号強度が前記第１のビーム信号の強度閾値より小さいとき、前記Ｎ本のビームの前記識別子と、前記Ｌ本のビームの前記信号強度と、前記強度閾値情報とに基づいて、前記ターゲットセルにアクセスする前記ビームとして、前記Ｌ本のビームから信号強度が前記第１のビーム信号の強度閾値より大きい又はそれに等しいビームを決定する段階
を有する、請求項４に記載の方法。
【請求項８】
前記Ｎ本のビームにおける前記Ｌ本のビームの前記信号強度と、強度閾値情報と、前記Ｎ本のビームの前記識別情報と、前記Ｍ本のビームの前記ランダムアクセスチャネル構成とに基づいて、アクセスする前記ビームを決定する前記段階は、
前記Ｌ本のビームの前記信号強度と、前記強度閾値情報と、前記Ｎ本のビームの前記識別情報と、前記Ｎ本のビームの優先順位と、前記Ｍ本のビームの前記ランダムアクセスチャネル構成とに基づいて、前記ターゲットセルにアクセスする前記ビームを決定する段階
を有する、請求項５から７のいずれか一項に記載の方法。
【請求項９】
前記Ｎ本のビームにおけるＬ本のビームの信号強度と、前記Ｎ本のビームの前記識別情報と、前記Ｍ本のビームの前記ランダムアクセスチャネル構成とに基づいて、アクセスするビームを決定する前記段階は、
前記Ｍ本のビームのいずれも見つけられないとき、前記Ｎ本のビームの前記識別情報に基づいて、前記ターゲットセルにアクセスする前記ビームとして、前記Ｌ本のビームにおいて最大信号強度を有するビームを決定する段階
を有する、請求項１に記載の方法。
【請求項１０】
前記Ｎ本のビームの前記識別情報は、同期信号ブロックインジケーション情報及び／又はチャネル状態情報参照信号識別情報を含み、
前記Ｎ本のビームにおけるＬ本のビームの信号強度と、前記Ｎ本のビームの前記識別情報と、前記Ｍ本のビームの前記ランダムアクセスチャネル構成とに基づいて、アクセスするビームを決定する前記段階は、
前記Ｎ本のビームにおける前記Ｌ本のビームの前記信号強度と、前記強度閾値情報と、前記Ｎ本のビームの前記識別情報と、識別情報が前記チャネル状態情報参照信号識別情報であるビームの優先度が、識別情報が前記同期信号ブロックインジケーション情報であるビームの優先度より高いことと、前記Ｍ本のビームの前記ランダムアクセスチャネル構成とに基づいて、アクセスする前記ビームを決定する段階
を有する、請求項１から９のいずれか一項に記載の方法。
【請求項１１】
前記Ｎ本のビームのいずれも見つけられない、前記Ｌ本のビームのそれぞれの信号強度若しくは前記Ｍ本のビームの信号強度が前記第１のビーム信号の強度閾値より小さい、又は前記Ｍ本のビームのいずれも見つけられない場合、前記方法は、さらに、
アクセスする前記ビームとして前記第１の見つけられたビームを決定する段階、アクセスする前記ビームとして最大信号強度を有するビームを決定する段階、アクセスする前記ビームとして見つけられたビームをランダムに決定する段階、又はアクセスする前記ビームとして見つけられたビームにおいて最も高い優先度を有するビームを決定する段階
を備える、請求項４に記載の方法。
【請求項１２】
前記ランダムアクセスチャネル構成は、プリアンブルインデックス及び時間−周波数リソース構成を含む、請求項１から１１のいずれか一項に記載の方法。
【請求項１３】
通信方法であって、
第１のネットワークデバイスが、第２のネットワークデバイスによって送信された、ターゲットセルのＮ本のビームの識別情報及び前記Ｎ本のビームにおけるＭ本のビームのランダムアクセスチャネル構成を受信する段階であって、Ｎ及びＭは正の整数である、段階と、
前記第１のネットワークデバイスが、前記Ｎ本のビームの前記識別情報及び前記Ｍ本のビームの前記ランダムアクセスチャネル構成を端末に送信する段階と
を備える、方法。
【請求項１４】
前記方法はさらに、
前記第１のネットワークデバイスが、所定の期間内であって、かつ、前記端末によって送信された前記端末のサービングビーム変更情報を受信する段階と、
前記第１のネットワークデバイスが、前記サービングビーム変更情報を前記第２のネットワークデバイスに送信する段階であって、前記サービングビーム変更情報は、前記第２のネットワークデバイスによって、前記Ｍ本のビームの前記ランダムアクセスチャネル構成の有効期間を決定するのに用いられる、段階と
を備える、請求項１３に記載の方法。
【請求項１５】
前記方法はさらに、
前記第１のネットワークデバイスが、所定の期間内であって、かつ、前記端末によって送信された前記端末のサービングビーム変更情報を受信する段階と、
前記第１のネットワークデバイスが、前記サービングビーム変更情報に基づいて、前記Ｍ本のビームの前記ランダムアクセスチャネル構成の有効期間を決定する段階と、
前記第１のネットワークデバイスが、前記Ｍ本のビームの前記ランダムアクセスチャネル構成の前記有効期間を前記第２のネットワークデバイスに送信する段階と
を備える、請求項１３に記載の方法。
【請求項１６】
前記ランダムアクセスチャネル構成は、プリアンブルインデックス及び時間−周波数リソース構成を含む、１３から１５のいずれか一項に記載の方法。
【請求項１７】
前記第１のネットワークデバイスが、ビーム信号の強度閾値情報又は品質閾値情報を前記端末に送信する段階をさらに備える、１３から１６のいずれか一項に記載の方法。
【請求項１８】
ターゲットセルのＮ本のビームの識別情報及び前記Ｎ本のビームにおけるＭ本のビームのランダムアクセスチャネル構成を受信するよう構成される受信モジュールであって、Ｎ及びＭは正の整数である、受信モジュールと、
前記Ｎ本のビームにおけるＬ本のビームの信号品質又は信号強度と、前記Ｎ本のビームの前記識別情報と、前記Ｍ本のビームの前記ランダムアクセスチャネル構成とに基づいて、アクセスするビームを決定するよう構成される処理モジュールであって、Ｌは非負の整数である、処理モジュールと
を備える、通信装置。
【請求項１９】
前記処理モジュールは、具体的には、前記Ｎ本のビームにおける前記Ｌ本のビームの前記信号強度と、強度閾値情報と、前記Ｎ本のビームの前記識別情報と、前記Ｍ本のビームの前記ランダムアクセスチャネル構成とに基づいて、アクセスする前記ビームを決定するよう構成される、請求項１８に記載の通信装置。
【請求項２０】
前記受信モジュールは、前記強度閾値情報を受信するようさらに構成される、請求項１９に記載の通信装置。
【請求項２１】
前記強度閾値情報は、第１のビーム信号の強度閾値又は強度閾値インジケーション情報を含み、前記強度閾値インジケーション情報は、前記第１のビーム信号の強度閾値と第２のビーム信号の強度閾値との間の関係を示すのに用いられ、前記第２のビーム信号の強度閾値は、測定構成情報に保持されたビーム信号の強度閾値である、１８又は１９に記載の通信装置。
【請求項２２】
前記処理モジュールは、具体的には、請求項５から８のいずれか一項に記載の方法を実装するよう構成される、請求項２１に記載の通信装置。
【請求項２３】
前記処理モジュールは、具体的には、前記Ｍ本のビームのいずれも見つけられないとき、前記Ｎ本のビームの前記識別情報に基づいて、前記ターゲットセルにアクセスする前記ビームとして、前記Ｌ本のビームにおいて最大信号強度を有するビームを決定するよう構成される、請求項１８に記載の通信装置。
【請求項２４】
前記Ｎ本のビームの前記識別情報は、同期信号ブロックインジケーション情報及び／又はチャネル状態情報参照信号識別情報を含み、
前記処理モジュールは、具体的には、前記Ｎ本のビームにおける前記Ｌ本のビームの前記信号強度と、前記強度閾値情報と、前記Ｎ本のビームの前記識別情報と、識別情報が前記チャネル状態情報参照信号識別情報であるビームの優先度が、識別情報が前記同期信号ブロックインジケーション情報であるビームの優先度より高いことと、前記Ｍ本のビームの前記ランダムアクセスチャネル構成とに基づいて、アクセスする前記ビームを決定するよう構成される、請求項１８から２３のいずれか一項に記載の通信装置。
【請求項２５】
前記処理モジュールは、前記Ｎ本のビームのいずれも見つけられない、前記Ｌ本のビームの信号強度若しくは前記Ｍ本のビームのそれぞれの信号強度が前記第１のビーム信号の強度閾値より小さい、又は前記Ｍ本のビームのいずれも見つけられない場合、アクセスする前記ビームとして前記第１の見つけられたビームを決定し、アクセスする前記ビームとして最大信号強度を有するビームを決定し、アクセスする前記ビームとして見つけられたビームをランダムに決定し、又はアクセスする前記ビームとして見つけられたビームにおいて最も高い優先度を有するビームを決定するようさらに構成される、請求項２１に記載の通信装置。
【請求項２６】
前記ランダムアクセスチャネル構成は、プリアンブルインデックス及び時間−周波数リソース構成を含む、１８から２５のいずれか一項に記載の通信装置。
【請求項２７】
請求項１３から１７のいずれか一項に記載の通信方法を実装するよう構成される、通信装置。
【請求項２８】
コンピュータ可読記憶媒体であって、
前記記憶媒体の命令が通信装置のプロセッサによって実行されると、前記通信装置は、請求項１から７のいずれか一項に記載の通信方法、又は請求項１３から１７のいずれか一項に記載の通信方法を実行することが可能である、コンピュータ可読記憶媒体。
【請求項２９】
通信方法であって、
ターゲットセルのＮ本のビームの識別情報及び前記Ｎ本のビームにおけるＭ本のビームのランダムアクセスチャネル構成を受信する段階であって、Ｎ及びＭは正の整数であり、前記ランダムアクセスチャネル構成は、プリアンブルインデックス及び時間−周波数リソース構成を含む、段階と、
前記Ｍ本のビームが、信号強度が第１のビーム信号の強度閾値より大きい又はこれに等しいビームを含むとき、前記ターゲットセルにアクセスするビームとして、前記Ｍ本のビームから信号強度が前記第１のビーム信号の強度閾値より大きい又はそれに等しい前記ビームを決定する段階と
を備える、方法。
【請求項３０】
前記第１のビーム信号の強度閾値を受信する段階をさらに備える、請求項２９に記載の方法。
【請求項３１】
前記第１のビーム信号の強度閾値を受信する前記段階は、
無線リソース制御ＲＲＣ接続再構成メッセージを通じて前記第１のビーム信号の強度閾値を受信する段階
を有する、請求項２９に記載の方法。
【請求項３２】
前記Ｍ本のビームのそれぞれの信号強度が前記第１のビーム信号の強度閾値より小さいとき、前記Ｍ本のビームから、前記Ｎ本のビームの前記識別情報及び前記Ｍ本のビームの前記ランダムアクセスチャネル構成に基づいて、前記ターゲットセルにアクセスする前記ビームを決定する段階
をさらに備える、請求項２９から３１のいずれか一項に記載の方法。
【請求項３３】
前記Ｍ本のビームのそれぞれの信号強度が前記第１のビーム信号の強度閾値より小さいとき、前記ターゲットセルにアクセスする前記ビームとして、前記Ｌ本のビームから信号強度が前記第１のビーム信号の強度閾値より大きい又はそれに等しいビームを決定する段階であって、Ｌは非負の整数であり、前記Ｌ本のビームは信号強度が検出された全てのビームである、段階
をさらに備える、請求項２９から３１のいずれか一項に記載の方法。
【請求項３４】
前記ターゲットセルにアクセスするビームとして、前記Ｍ本のビームから信号強度が前記第１のビーム信号の強度閾値より大きい又はそれに等しい前記ビームを決定する前記段階は、
前記Ｎ本のビームの優先順位及び前記Ｍ本のビームの前記ランダムアクセスチャネル構成に基づいて、前記ターゲットセルにアクセスする前記ビームを決定する段階
を有する、請求項２９から３３のいずれか一項に記載の方法。
【請求項３５】
前記Ｍ本のビームのいずれも見つけられないとき、前記Ｎ本のビームの前記識別情報に基づいて、前記ターゲットセルにアクセスする前記ビームとして、前記Ｌ本のビームにおいて最大信号強度を有するビームを決定する段階
をさらに備える、請求項２９に記載の方法。
【請求項３６】
前記Ｎ本のビームの前記識別情報は、同期信号ブロックインジケーション情報及び／又はチャネル状態情報参照信号識別情報を含む、請求項２９から３５のいずれか一項に記載の方法。
【請求項３７】
識別情報が前記チャネル状態情報参照信号識別情報であるビームの優先度が、識別情報が前記同期信号ブロックインジケーション情報であるビームの優先度より高い、請求項３６に記載の方法。
【請求項３８】
前記Ｎ本のビームのいずれも見つけられない、前記Ｌ本のビーム若しくはＭ本のビームのそれぞれの信号強度が前記第１のビーム信号の強度閾値より小さい、又は前記Ｍ本のビームのいずれも見つけられない場合、前記方法は、
アクセスする前記ビームとして前記第１の見つけられたビームを決定する段階、アクセスする前記ビームとして最大信号強度を有するビームを決定する段階、アクセスする前記ビームとして見つけられたビームをランダムに決定する段階、又はアクセスする前記ビームとして見つけられたビームにおいて最も高い優先度を有するビームを決定する段階
をさらに備える、請求項３２に記載の方法。
【請求項３９】
請求項２９から３８のいずれか一項に記載の通信方法を実装するよう構成される、通信装置。
【請求項４０】
前記通信装置は端末である、請求項３９に記載の通信装置。
【請求項４１】
コンピュータ可読記憶媒体であって、前記記憶媒体の命令が通信装置のプロセッサによって実行されると、前記通信装置は、請求項２９から３８いずれか一項に記載の通信方法を実行することが可能である、コンピュータ可読記憶媒体。
【請求項４２】
プログラム製品であって、前記プログラム製品は、コンピュータプログラムを備え、前記コンピュータプログラムが可読記憶媒体に格納され、通信装置の少なくとも１つのプロセッサは、前記可読記憶媒体から前記コンピュータプログラムを読み出し、前記少なくとも１つのプロセッサは、前記通信装置が、請求項１から１０のいずれか一項に記載の通信方法、請求項１１から１４のいずれか一項に記載の通信方法、又は請求項２９から３８いずれか一項に記載の通信方法を実行できるように、前記コンピュータプログラムを実行する、プログラム製品。
【発明の詳細な説明】
【技術分野】
【０００１】
本願は、２０１７年６月１６日に中国国家知識産権局に出願された「通信方法及び通信装置（ＣＯＭＭＵＮＩＣＡＴＩＯＮ  ＭＥＴＨＯＤ  ＡＮＤ  ＣＯＭＭＵＮＩＣＡＴＩＯＮＳ  ＡＰＰＡＲＡＴＵＳ）」と題する中国特許出願第２０１７１０４５９１１５．０号に基づく優先権を主張し、当該特許出願は、その全体が参照により本明細書に組み込まれる。
【０００２】
本願の実施形態は、通信技術の分野に関し、特に、通信方法及び通信装置に関する。
【背景技術】
【０００３】
モバイル通信は、キャパシティの最大化を追求するだけでなく、より広いカバレージエリアも必要とする。すなわち、どこへでも移動する端末は、無線ネットワーク信号によってカバーされる必要がある。端末がサービングセルから他のセルに移動するとき、端末のサービスの継続性を保証すべく、端末は、現在のサービングセルから他のセルにハンドオーバされる必要がある。
【０００４】
現在、ＬＴＥシステムにおける端末のサービングセルハンドオーバ処理が、以下のように説明される。ソース基地局（Ｓｏｕｒｃｅ  ｅＮＢ、ＳｅＮＢ）は、端末によってレポートされた測定レポートに基づいて、端末上のサービングセルのハンドオーバを実行することを決定し、ターゲット基地局（Ｔａｒｇｅｔ  ｅＮＢ、ＴｅＮＢ）にハンドオーバ要求を開始する。ＳｅＮＢがＴｅＮＢからハンドオーバ要求確認メッセージを取得した後、ＳｅＮＢは、ハンドオーバメッセージを端末に送信する。端末は、ハンドオーバメッセージに保持されたターゲットセルの識別子に基づいて、ターゲット基地局へのランダムアクセス処理を開始してＴＡ値及びアップリンクリソースを取得し、ハンドオーバ完了メッセージをアップリンクリソース上のターゲット基地局に送信する。
【０００５】
しかしながら、高周波数技術が、現在の５Ｇシステムに導入される。高周波数でのデータ伝送の間、通常、比較的大きな伝送損失が生じる。効率的なサービス伝送を保証すべく、高周波数セルは、ビームフォーミング技術を用いて通信を実行する、すなわち、それぞれの高周波数セルは、通信に用いられる複数の異なるビームを有する。ハンドオーバが端末上で実行されるとき、端末がアクセスするビームをどのように選択するかを早期解決する必要がある。
【発明の概要】
【０００６】
本願の実施形態は、通信方法及び通信装置を提供し、適切なビームアクセス解決手段を提供する。
【０００７】
第１の態様によれば、本願の実施形態は、ターゲットセルのＮ本のビームの識別情報及びＮ本のビームにおけるＭ本のビームのランダムアクセスチャネル構成を受信する段階であって、Ｎ及びＭは正の整数である、段階と、Ｎ本のビームにおけるＬ本のビームの信号品質又は信号強度と、Ｎ本のビームの識別情報と、Ｍ本のビームのランダムアクセスチャネル構成とに基づいて、アクセスするビームを決定する段階であって、Ｌは非負の整数である、段階とを含む、通信方法を提供する。
【０００８】
可能な設計において、Ｎ本のビームにおけるＬ本のビームの信号強度と、Ｎ本のビームの識別情報と、Ｍ本のビームのランダムアクセスチャネル構成とに基づいて、アクセスするビームを決定する段階は、Ｎ本のビームにおけるＬ本のビームの信号強度と、強度閾値情報と、Ｎ本のビームの識別情報と、Ｍ本のビームのランダムアクセスチャネル構成とに基づいて、アクセスするビームを決定する段階を含む。
【０００９】
可能な設計において、方法は、強度閾値情報を受信する段階をさらに含む。
【００１０】
可能な設計において、強度閾値情報は、第１のビーム信号の強度閾値又は強度閾値インジケーション情報を含み、強度閾値インジケーション情報は、第１のビーム信号の強度閾値と第２のビーム信号の強度閾値との間の関係を示すのに用いられ、第２のビーム信号の強度閾値は、測定構成情報に保持されたビーム信号の強度閾値である。
【００１１】
可能な設計において、Ｎ本のビームにおけるＬ本のビームの信号強度と、強度閾値情報と、Ｎ本のビームの識別情報と、Ｍ本のビームのランダムアクセスチャネル構成とに基づいて、アクセスするビームを決定する段階は、Ｎ本のビームにおけるＬ本のビームの信号強度と、強度閾値情報と、Ｎ本のビームの識別情報と、Ｍ本のビームのランダムアクセスチャネル構成とに基づいて、ターゲットセルにアクセスするビームとして、Ｍ本のビームから信号強度が第１のビーム信号の強度閾値より大きい又はそれに等しいビームを決定する段階を含む。従って、ターゲットセルにアクセスするためのものであり、かつ、端末によって決定されたビームは、ランダムアクセスチャネル構成及び高い信号強度を有する。このような方法で、端末によってターゲットセルにアクセスする成功率がより高くなる。
【００１２】
可能な設計において、Ｎ本のビームにおけるＬ本のビームの信号強度と、強度閾値情報と、Ｎ本のビームの識別情報と、Ｍ本のビームのランダムアクセスチャネル構成とに基づいて、アクセスするビームを決定する段階は、Ｍ本のビームのそれぞれの信号強度が第１のビーム信号の強度閾値より小さいとき、Ｍ本のビームから、Ｎ本のビームの識別情報及びＭ本のビームのランダムアクセスチャネル構成に基づいて、ターゲットセルにアクセスするビームを決定する段階を含む。従って、ターゲットセルにアクセスするためのものであり、かつ、端末によって決定されたビームは、ランダムアクセスチャネル構成を有する。このような方法で、端末によってターゲットセルにアクセスする成功率が高くなる。
【００１３】
可能な設計において、Ｎ本のビームにおけるＬ本のビームの信号強度と、強度閾値情報と、Ｎ本のビームの識別情報と、Ｍ本のビームのランダムアクセスチャネル構成とに基づいて、アクセスするビームを決定する段階は、Ｍ本のビームのそれぞれの信号強度が第１のビーム信号の強度閾値より小さいとき、Ｎ本のビームの識別子と、Ｌ本のビームの信号強度と、強度閾値情報とに基づいて、ターゲットセルにアクセスするビームとして、Ｌ本のビームから信号強度が第１のビーム信号の強度閾値より大きい又はそれに等しいビームを決定する段階を含む。従って、ターゲットセルにアクセスするためのものであり、かつ、端末によって決定されたビームは、Ｌ本のビームに属する。このような方法で、端末によってターゲットセルにアクセスする成功率が高くなる。
【００１４】
可能な設計において、Ｎ本のビームにおけるＬ本のビームの信号強度と、強度閾値情報と、Ｎ本のビームの識別情報と、Ｍ本のビームのランダムアクセスチャネル構成とに基づいて、アクセスするビームを決定する段階は、Ｌ本のビームの信号強度と、強度閾値情報と、Ｎ本のビームの識別情報と、Ｎ本のビームの優先順位と、Ｍ本のビームのランダムアクセスチャネル構成とに基づいて、ターゲットセルにアクセスするビームを決定する段階を含む。
【００１５】
可能な設計において、Ｎ本のビームにおけるＬ本のビームの信号強度と、Ｎ本のビームの識別情報と、Ｍ本のビームのランダムアクセスチャネル構成とに基づいて、アクセスするビームを決定する段階は、Ｍ本のビームのいずれも見つけられないとき、Ｎ本のビームの識別情報に基づいて、ターゲットセルにアクセスするビームとして、Ｌ本のビームにおいて最大信号強度を有するビームを決定する段階を含む。従って、端末は、ターゲットセルにアクセスするビームがＬ本のビームで最も強い信号を有することを決定する。このような方法で、端末によってターゲットセルにアクセスする成功率が高くなる。
【００１６】
可能な設計において、Ｎ本のビームの識別情報は、同期信号ブロックインジケーション情報及び／又はチャネル状態情報参照信号識別情報を含み、Ｎ本のビームにおけるＬ本のビームの信号強度と、Ｎ本のビームの識別情報と、Ｍ本のビームのランダムアクセスチャネル構成とに基づいて、アクセスするビームを決定する段階は、Ｎ本のビームにおけるＬ本のビームの信号強度と、強度閾値情報と、Ｎ本のビームの識別情報と、識別情報がチャネル状態情報参照信号識別情報であるビームの優先度が、識別情報が同期信号ブロックインジケーション情報であるビームの優先度より高いことと、Ｍ本のビームのランダムアクセスチャネル構成とに基づいて、アクセスするビームを決定する段階を含む。
【００１７】
可能な設計において、Ｎ本のビームのいずれも見つけられない、Ｌ本のビームの信号強度若しくはＭ本のビームのそれぞれの信号強度が第１のビーム信号の強度閾値より小さい、又はＭ本のビームのいずれも見つけられない場合、方法はさらに、アクセスするビームとして第１の見つけられたビームを決定する段階、アクセスするビームとして最大信号強度を有するビームを決定する段階、アクセスするビームとして見つけられたビームをランダムに決定する段階、又はアクセスするビームとして見つけられたビームにおいて最も高い優先度を有するビームを決定する段階を含む。従って、端末は、比較的フレキシブルな方式で、ターゲットセルにアクセスするビームを決定する。
【００１８】
可能な設計において、ランダムアクセスチャネル構成は、プリアンブルインデックス及び時間−周波数リソース構成を含む。
【００１９】
第２の態様によれば、本願の実施形態は、第１のネットワークデバイスが、第２のネットワークデバイスによって送信された、ターゲットセルのＮ本のビームの識別情報及びＮ本のビームにおけるＭ本のビームのランダムアクセスチャネル構成を受信する段階であって、Ｎ及びＭは正の整数である、段階と、第１のネットワークデバイスが、Ｎ本のビームの識別情報及びＭ本のビームのランダムアクセスチャネル構成を端末に送信する段階を含む通信方法を提供する。
【００２０】
可能な設計において、方法はさらに、第１のネットワークデバイスが、所定の期間内であって、かつ、端末によって送信された端末のサービングビーム変更情報を受信する段階と、第１のネットワークデバイスが、サービングビーム変更情報を第２のネットワークデバイスに送信する段階であって、サービングビーム変更情報は、第２のネットワークデバイスによって、Ｍ本のビームのランダムアクセスチャネル構成の有効期間を決定するのに用いられる、段階とを含む。
【００２１】
可能な設計において、方法はさらに、第１のネットワークデバイスが、所定の期間内であって、かつ、端末によって送信された端末のサービングビーム変更情報を受信する段階と、第１のネットワークデバイスが、サービングビーム変更情報に基づいて、Ｍ本のビームのランダムアクセスチャネル構成の有効期間を決定する段階と、第１のネットワークデバイスが、Ｍ本のビームのランダムアクセスチャネル構成の有効期間を第２のネットワークデバイスに送信する段階とを含む。
【００２２】
可能な設計において、ランダムアクセスチャネル構成は、プリアンブルインデックス及び時間−周波数リソース構成を含む。
【００２３】
可能な設計において、方法はさらに、ハンドオーバメッセージを通じて、第１のネットワークデバイスが、ビーム信号の強度閾値情報又は品質閾値情報を端末に送信する段階を含む。
【００２４】
第３の態様によれば、本願の実施形態は、第２のネットワークデバイスが、ターゲットセルのＮ本のビームの識別情報及びＮ本のビームにおけるＭ本のビームのランダムアクセスチャネル構成を第１のネットワークデバイスに送信する段階であって、Ｎ及びＭは正の整数である、段階を含む通信方法を提供する。
【００２５】
オプションで、方法はさらに、第２のネットワークデバイスが、所定の期間内であって、かつ、第１のネットワークデバイスによって送信された端末のサービングビーム変更情報を受信する段階と、第２のネットワークデバイスが、サービングビーム変更情報に基づいて、Ｍ本のビームのランダムアクセスチャネル構成の有効期間を決定する段階と、有効期間が終了したとき、第２のネットワークデバイスが、Ｍ本のビームのランダムアクセスチャネル構成をリリースする段階とを含む。
【００２６】
オプションで、方法はさらに、第２のネットワークデバイスが、第１のネットワークデバイスによって送信されたＭ本のビームのランダムアクセスチャネル構成の有効期間を受信する段階と、有効期間が終了したとき、第２のネットワークデバイスが、Ｍ本のビームのランダムアクセスチャネル構成をリリースする段階とを含む。
【００２７】
オプションで、方法はさらに、第２のネットワークデバイスが、システム情報を通じて、ビーム信号の強度閾値情報又は品質閾値情報を端末に送信する段階を含む。
【００２８】
第４の態様によれば、本願の実施形態は、ターゲットセルのＮ本のビームの識別情報及びＮ本のビームにおけるＭ本のビームのランダムアクセスチャネル構成を受信するよう構成される受信モジュールであって、Ｎ及びＭは正の整数である、受信モジュールと、Ｎ本のビームにおけるＬ本のビームの信号品質又は信号強度と、Ｎ本のビームの識別情報と、Ｍ本のビームのランダムアクセスチャネル構成とに基づいて、アクセスするビームを決定するよう構成される処理モジュールであって、Ｌは非負の整数である、処理モジュールとを含む通信装置を提供する。
【００２９】
可能な設計において、処理モジュールは、具体的には、Ｎ本のビームにおけるＬ本のビームの信号強度と、強度閾値情報と、Ｎ本のビームの識別情報と、Ｍ本のビームのランダムアクセスチャネル構成とに基づいて、アクセスするビームを決定するよう構成される。
【００３０】
可能な設計において、受信モジュールは、強度閾値情報を受信するようさらに構成される。
【００３１】
可能な設計において、強度閾値情報は、第１のビーム信号の強度閾値又は強度閾値インジケーション情報を含み、強度閾値インジケーション情報は、第１のビーム信号の強度閾値と第２のビーム信号の強度閾値との間の関係を示すのに用いられ、第２のビーム信号の強度閾値は、測定構成情報に保持されたビーム信号の強度閾値である。
【００３２】
可能な設計において、処理モジュールは、具体的には、Ｎ本のビームにおけるＬ本のビームの信号強度と、強度閾値情報と、Ｎ本のビームの識別情報と、Ｍ本のビームのランダムアクセスチャネル構成とに基づいて、ターゲットセルにアクセスするビームとして、Ｍ本のビームから信号強度が第１のビーム信号の強度閾値より大きい又はそれに等しいビームを決定するよう構成される。
【００３３】
可能な設計において、処理モジュールは、具体的には、Ｍ本のビームのそれぞれの信号強度が第１のビーム信号の強度閾値より小さいとき、Ｍ本のビームから、Ｎ本のビームの識別情報及びＭ本のビームのランダムアクセスチャネル構成に基づいて、ターゲットセルにアクセスするビームを決定するよう構成される。
【００３４】
可能な設計において、処理モジュールは、具体的には、Ｍ本のビームのそれぞれの信号強度が第１のビーム信号の強度閾値より小さいとき、Ｎ本のビームの識別子と、Ｌ本のビームの信号強度と、強度閾値情報とに基づいて、ターゲットセルにアクセスするビームとして、Ｌ本のビームから信号強度が第１のビーム信号の強度閾値より大きい又はそれに等しいビームを決定するよう構成される。
【００３５】
可能な設計において、処理モジュールは、具体的には、Ｌ本のビームの信号強度と、強度閾値情報と、Ｎ本のビームの識別情報と、Ｎ本のビームの優先順位と、Ｍ本のビームのランダムアクセスチャネル構成とに基づいて、ターゲットセルにアクセスするビームを決定するよう構成される。
【００３６】
可能な設計において、処理モジュールは、具体的には、Ｍ本のビームのいずれも見つけられないとき、Ｎ本のビームの識別情報に基づいて、ターゲットセルにアクセスするビームとして、Ｌ本のビームにおいて最大信号強度を有するビームを決定するよう構成される。
【００３７】
可能な設計において、Ｎ本のビームの識別情報は、同期信号ブロックインジケーション情報及び／又はチャネル状態情報参照信号識別情報を含み、処理モジュールは、具体的には、Ｎ本のビームにおけるＬ本のビームの信号強度と、強度閾値情報と、Ｎ本のビームの識別情報と、識別情報がチャネル状態情報参照信号識別情報であるビームの優先度が、識別情報が同期信号ブロックインジケーション情報であるビームの優先度より高いことと、Ｍ本のビームのランダムアクセスチャネル構成とに基づいて、アクセスするビームを決定するよう構成される。
【００３８】
可能な設計において、処理モジュールは、Ｎ本のビームのいずれも見つけられない、Ｌ本のビームの信号強度若しくはＭ本のビームのそれぞれの信号強度が第１のビーム信号の強度閾値より小さい、又はＭ本のビームのいずれも見つけられない場合、アクセスするビームとして第１の見つけられたビームを決定し、アクセスするビームとして最大信号強度を有するビームを決定し、アクセスするビームとして見つけられたビームをランダムに決定し、又はアクセスするビームとして見つけられたビームにおいて最も高い優先度を有するビームを決定するようさらに構成される。
【００３９】
可能な設計において、ランダムアクセスチャネル構成は、プリアンブルインデックス及び時間−周波数リソース構成を含む。
【００４０】
第４の態様における通信装置が、端末であってよく、又は端末の内部のチップであってよいことに留意されたい。
【００４１】
第５の態様によれば、本願の実施形態は、第２のネットワークデバイスによって送信された、ターゲットセルのＮ本のビームの識別情報及びＮ本のビームにおけるＭ本のビームのランダムアクセスチャネル構成を受信するよう構成される受信モジュールであって、Ｎ及びＭは正の整数である、受信モジュールと、Ｎ本のビームの識別情報及びＭ本のビームのランダムアクセスチャネル構成を端末に送信するよう構成される送信モジュールとを含む通信装置を提供する。
【００４２】
可能な設計において、受信モジュールは、所定の期間内であって、かつ、端末によって送信された、端末のサービングビーム変更情報を受信するようさらに構成され、送信モジュールは、サービングビーム変更情報を第２のネットワークデバイスに送信するようさらに構成され、サービングビーム変更情報は、第２のネットワークデバイスによって、Ｍ本のビームのランダムアクセスチャネル構成の有効期間を決定するのに用いられる。
【００４３】
可能な設計において、通信装置は、処理モジュールをさらに含み、受信モジュールは、所定の期間内であって、かつ、端末によって送信された、端末のサービングビーム変更情報を受信するようさらに構成され、処理モジュールは、サービングビーム変更情報に基づいて、Ｍ本のビームのランダムアクセスチャネル構成の有効期間を決定するよう構成され、送信モジュールは、Ｍ本のビームのランダムアクセスチャネル構成の有効期間を第２のネットワークデバイスに送信するようさらに構成される。
【００４４】
可能な設計において、ランダムアクセスチャネル構成は、プリアンブルインデックス及び時間−周波数リソース構成を含み、送信モジュールは、ハンドオーバメッセージを通じて、ビーム信号の強度閾値情報又は品質閾値情報を端末に送信するようさらに構成される。
【００４５】
第５の態様における通信装置が、ネットワークデバイスであってよく、又はネットワークデバイスの内部のチップであってよいことに留意されたい。
【００４６】
第６の態様によれば、本願の実施形態は、ターゲットセルのＮ本のビームの識別情報及びＮ本のビームにおけるＭ本のビームのランダムアクセスチャネル構成を第１のネットワークデバイスに送信するよう構成される送信モジュールであって、Ｎ及びＭは正の整数である、送信モジュールを含む通信装置を提供する。
【００４７】
可能な設計において、ネットワークデバイスは、受信モジュール及び処理モジュールをさらに含み、受信モジュールは、所定の期間内であって、かつ、第１のネットワークデバイスによって送信された端末のサービングビーム変更情報を受信するよう構成され、処理モジュールは、サービングビーム変更情報に基づいて、Ｍ本のビームのランダムアクセスチャネル構成の有効期間を決定し、有効期間が終了した後、Ｍ本のビームのランダムアクセスチャネル構成をリリースするよう構成される。
【００４８】
可能な設計において、ネットワークデバイスは、受信モジュール及び処理モジュールをさらに含み、受信モジュールは、第１のネットワークデバイスによって送信されたＭ本のビームのランダムアクセスチャネル構成の有効期間を受信するよう構成され、処理モジュールは、有効期間が終了した後、Ｍ本のビームのランダムアクセスチャネル構成をリリースするよう構成される。
【００４９】
可能な設計において、送信モジュールは、システム情報を通じて、ビーム信号の強度閾値情報又は品質閾値情報を端末に送信するようさらに構成される。
【００５０】
第６の態様における通信装置が、ネットワークデバイスであってよく、又はネットワークデバイスの内部のチップであってよいことに留意されたい。
【００５１】
第７の態様によれば、本願の実施形態は、プロセッサ及びトランシーバーを含む端末を提供する。プロセッサ及びトランシーバーは、第１の態様における本願の実施形態のいずれか１つによる通信方法を実行するよう構成される。
【００５２】
第８の態様によれば、本願の実施形態は、プロセッサ及びトランシーバーを含むネットワークデバイスを提供する。プロセッサ及びトランシーバーは、第２の態様における本願の実施形態のいずれか１つによる通信方法を実行するよう構成される。
【００５３】
第９の態様によれば、本願の実施形態は、プロセッサ及びトランシーバーを含むネットワークデバイスを提供する。プロセッサ及びトランシーバーは、第３の態様における本願の実施形態のいずれか１つによる通信方法を実行するよう構成される。
【００５４】
第１０の態様によれば、本願の実施形態は、コンピュータ可読記憶媒体を提供する。記憶媒体の命令が通信装置のプロセッサによって実行されると、通信装置は、第１の態様における本願の実施形態による通信方法を実行し得る。
【００５５】
第１１の態様によれば、本願の実施形態は、コンピュータ可読記憶媒体を提供する。記憶媒体の命令が通信装置のプロセッサによって実行されると、通信装置は、第２の態様における本願の実施形態による通信方法を実行し得る。
【００５６】
第１２の態様によれば、本願の実施形態は、コンピュータ可読記憶媒体を提供する。記憶媒体の命令が通信装置のプロセッサによって実行されると、通信装置は、第３の態様における本願の実施形態による通信方法を実行し得る。
【００５７】
本願の実施形態における通信方法及び通信装置によれば、端末は、Ｎ本のビームの識別情報及びＮ本のビームにおけるＭ本のビームのランダムアクセスチャネル構成を受信し、端末は、Ｎ本のビームにおけるＬ本のビームの信号品質又は信号強度と、Ｎ本のビームの識別情報と、Ｍ本のビームのランダムアクセスチャネル構成とに基づいてアクセスするビームを決定し、アクセスする適切なビームを提供して、解決手段を決定する。さらに実施形態におけるアクセスするビームが、Ｎ本のビームにおけるＬ本のビームの信号品質又は信号強度、及びＭ本のビームの受信されたランダムアクセスチャネル構成に基づいて、端末によって決定される。従って、このように決定されたアクセスするビームは、端末のアクセス成功率を高め得る。
【図面の簡単な説明】
【００５８】
【図１】本願の実施形態による通信システムの概略図である。
【図２】本願の実施形態１による通信方法のフローチャートである。
【図３】本願の実施形態２による通信方法のフローチャートである。
【図４】本願の実施形態３による通信方法のフローチャートである。
【図５】本願の実施形態による通信装置の概略構造図である。
【図６】本願の実施形態による端末の概略構造図である。
【図７】本願の実施形態による通信装置の概略構造図である。
【図８】本願の実施形態によるネットワークデバイスの概略構造図である。
【図９】本願の実施形態による通信装置の概略構造図である。
【図１０】本願の実施形態によるネットワークデバイスの概略構造図である。
【発明を実施するための形態】
【００５９】
図１は、本願の実施形態による通信システムの概略図である。図１に示されるように、通信システムは、少なくとも２つのネットワークデバイス及び少なくとも１つの端末を含む。少なくとも２つのネットワークデバイスは、本願の以下の実施形態で提供される技術的解決手段を用いることによって、少なくとも１つの端末と通信する。図１は、１つの端末及び２つのネットワークデバイス、第１のネットワークデバイス及び第２のネットワークデバイスを示す。
【００６０】
当業者がより理解することを助けるべく、本願におけるいくつかの用語が以下で説明される。
【００６１】
無線アクセスネットワーク（Ｒａｄｉｏ  Ａｃｃｅｓｓ  Ｎｅｔｗｏｒｋ、ＲＡＮ）デバイスとも称されるネットワークデバイスは、端末を無線ネットワークに接続するデバイスであり、ロングタームエボリューション（Ｌｏｎｇ  Ｔｅｒｍ  Ｅｖｏｌｕｔｉｏｎ、ＬＴＥ）における進化型ＮｏｄｅＢ（Ｅｖｏｌｕｔｉｏｎａｌ  ＮｏｄｅＢ、ｅＮＢ若しくはｅＮｏｄｅＢ）、中継ノード、アクセスポイント、又は５ＧネットワークにおけるｇＮＢ、例えば、伝送及び受信ポイント（Ｔｒａｎｓｍｉｓｓｉｏｎ  ａｎｄ  Ｒｅｃｅｐｔｉｏｎ  Ｐｏｉｎｔ、ＴＲＰ）若しくはコントローラであり得る。これは、本明細書で限定されない。
【００６２】
端末は、無線又は有線端末であり得る。無線端末は、無線送受信機能を有するデバイスであってよい。屋内端末若しくは屋外端末、携帯情報端末、若しくは車載端末を含む無線端末は、陸上に配置されてよく、水上に（例えば、汽船に）配置されてよく、又は上空に（例えば、航空機、気球、若しくは衛星に）配置されてよい。端末は、携帯電話（ｍｏｂｉｌｅ  ｐｈｏｎｅ）、タブレットコンピュータ（パッド）、無線送受信機能を有するコンピュータ、仮想現実（Ｖｉｒｔｕａｌ  Ｒｅａｌｉｔｙ、ＶＲ）端末、拡張現実（Ａｕｇｍｅｎｔｅｄ  Ｒｅａｌｉｔｙ、ＡＲ）端末、産業用制御（ｉｎｄｕｓｔｒｉａｌ  ｃｏｎｔｒｏｌ）における無線端末、自動運転（ｓｅｌｆ  ｄｒｉｖｉｎｇ）における無線端末、遠隔医療（ｒｅｍｏｔｅ  ｍｅｄｉｃａｌ）における無線端末、スマートグリッド（ｓｍａｒｔ  ｇｒｉｄ）における無線端末、輸送安全性（ｔｒａｎｓｐｏｒｔａｔｉｏｎ  ｓａｆｅｔｙ）における無線端末、スマートシティ（ｓｍａｒｔ  ｃｉｔｙ）における無線端末、スマートホーム（ｓｍａｒｔ  ｈｏｍｅ）における無線端末、又は同様のものであり得る。これは、本明細書で限定されない。
【００６３】
本願の本実施形態において、ビーム（英語：ｂｅａｍ）は、伝送ビーム及び受信ビームを含み得る。伝送ビームは、信号がアンテナを通じて伝送された後、異なる空間方向で形成される信号強度分布であってよく、受信ビームは、無線信号がアンテナを通じて受信された後、異なる空間方向で形成される信号強度分布であってよい。１つのビームに対する１又は複数のアンテナポートがアンテナポートセットとみなされてもよいことが理解され得る。言い換えれば、１つのアンテナポートセットは、少なくとも１つのアンテナポートを含む。
【００６４】
具体的には、ビームは、特定のエネルギー伝送の指向性を有するプリコーディングベクトルを指してよく、プリコーディングベクトルが、識別情報を用いることによって識別され得る。エネルギー伝送の指向性は、プリコーディングベクトルを用いることによるプリコーディング処理を実行することによって取得される信号が、例えば、受信電力が受信復調信号対雑音比を満たす、特定の空間配置における比較的高い受信電力で受信されるが、プリコーディングベクトルを用いることによるプリコーディング処理を実行することによって取得される信号が、例えば、受信電力が受信復調信号対雑音比を満たさない、他の空間配置における比較的低い電力で受信されることを意味する。異なる通信デバイスは、異なるプリコーディングベクトルを有してよく、すなわち、異なるビームに対応している。１つの通信デバイスは、通信デバイスの構成又は性能に基づいて、同一の時間ポイントで複数の異なるプリコーディングベクトルのうちの１又は複数を用いてよい、すなわち１又は複数のビームが同時に形成されてよい。ビームが空間リソースとして理解され得る。ビームが識別情報を用いることによって識別され得る。オプションで、識別情報は、ユーザの構成された対応するリソース識別子（ｉｄｅｎｔｉｔｙ、ＩＤ）に対応していてもよい。例えば、識別情報は、チャネル状態情報参照信号（Ｃｈａｎｎｅｌ  ｓｔａｔｕｓ  ｉｎｆｏｒｍａｔｉｏｎ  Ｒｅｆｅｒｅｎｃｅ  Ｓｉｇｎａｌ、ＣＳＩ−ＲＳ）の構成されたＩＤ若しくはリソースに対応していてもよく、又は、アップリンクサウンディング参照信号（Ｓｏｕｎｄｉｎｇ  Ｒｅｆｅｒｅｎｃｅ  Ｓｉｇｎａｌ、ＳＲＳ）の構成されたＩＤ若しくはリソースに対応していてもよい。代替的に、オプションで、識別情報は、ビームで搬送される信号又はチャネルで明確に又は暗黙のうちに搬送される識別情報であり得る。例えば、識別情報は、ビームを用いることによって送信される同期信号又はブロードキャストチャネルによって示されるビームの識別情報、ビームを用いることによって送信される同期信号ブロック（Ｓｙｎｃｈｒｏｎｉｚａｔｉｏｎ  Ｓｉｇｎａｌ  ｂｌｏｃｋ、ＳＳ  ｂｌｏｃｋ）によって示されるビームの識別情報を含むがこれに限定されない。ＳＳブロックは、プライマリ同期信号（ＰＳＳ）及び／又はセカンダリ同期信号（ＳＳＳ）及び／又はブロードキャストチャネル（ＰＢＣＨ）を少なくとも含む。
【００６５】
以下の方法の実施形態では、第１のネットワークデバイスがソース基地局であり、第２のネットワークデバイスがターゲット基地局である例を用いることによって説明が提供されることに留意されたい。
【００６６】
図２は、本願の実施形態１による通信方法のフローチャートである。図２に示されるように、本実施形態における方法は、以下の段階を含み得る。
【００６７】
Ｓ１０１．ターゲット基地局は、ターゲットセルのＮ本のビームの識別情報及びＮ本のビームにおけるＭ本のビームのランダムアクセスチャネル（Ｒａｎｄｏｍ  Ａｃｃｅｓｓ  Ｃｈａｎｎｅｌ、ＲＡＣＨ）構成をソース基地局に送信する。
【００６８】
本実施形態において、ターゲット基地局は、承認制御を実行し、端末がサービングセルからターゲットセルにハンドオーバされることを可能する。その後、ターゲット基地局は、ターゲットセルのＮ本のビームの識別情報及びＮ本のビームにおけるＭ本のビームのＲＡＣＨ構成をソース基地局に送信する。ＲＡＣＨ構成は、ＳＳブロックに対応していてもよく、又はＣＳＩ−ＲＳに対応していてもよい。Ｎ及びＭは正の整数である。さらに、代替的に、ターゲット基地局は、ターゲットセルのセル識別子をソース基地局に送信し得る。
【００６９】
オプションで、ターゲット基地局が段階Ｓ１０１で説明される情報をソース基地局に送信する前に、ターゲット基地局は、ソース基地局によって送信されたハンドオーバ要求メッセージを受信し得る。これは、本実施形態で限定されない。
【００７０】
Ｎ本のビームの識別情報及びＭ本のビームのＲＡＣＨ構成が、ターゲット基地局によってソース基地局に送信された同一のメッセージ又は異なるメッセージに含まれ得る。代替的に、ターゲット基地局は、同一の時間ポイント又は異なる時間ポイントでＮ本のビームの識別情報及びＭ本のビームのＲＡＣＨ構成をソース基地局に送信し得る。
【００７１】
オプションで、Ｎ本のビームの識別情報及びＭ本のビームのＲＡＣＨ構成が、ターゲット基地局によってソース基地局に送信されたハンドオーバ要求確認メッセージに含まれ得る。
【００７２】
Ｓ１０２．ソース基地局は、ターゲットセルのＮ本のビームの識別情報及びＮ本のビームにおけるＭ本のビームのＲＡＣＨ構成を端末に送信する。
【００７３】
本実施形態において、ターゲット基地局によって送信された、Ｎ本のビームの識別情報及びＮ本のビームにおけるＭ本のビームのＲＡＣＨ構成を受信した後、ソース基地局は、Ｎ本のビームの識別情報及びＮ本のビームにおけるＭ本のビームのＲＡＣＨ構成を端末に送信する。
【００７４】
Ｎ本のビームの識別情報及びＭ本のビームのＲＡＣＨ構成が、ソース基地局によって端末に送信された同一のメッセージ又は異なるメッセージに含まれ得る。代替的に、ソース基地局は、同一の時間ポイント又は異なる時間ポイントでＮ本のビームの識別情報及びＭ本のビームのＲＡＣＨ構成を端末に送信し得る。
【００７５】
オプションで、Ｎ本のビームの識別情報及びＮ本のビームにおけるＭ本のビームのＲＡＣＨ構成が、ソース基地局によって端末に送信されたハンドオーバメッセージに含まれ得る。ハンドオーバメッセージは、モビリティ制御情報（ｍｏｂｉｌｉｔｙ  Ｃｏｎｔｒｏｌ  Ｉｎｆｏｒｍａｔｉｏｎ）情報要素を保持する無線リソース制御（Ｒａｄｉｏ  Ｒｅｓｏｕｒｃｅ  Ｃｏｎｔｒｏｌ、ＲＲＣ）接続再構成メッセージ、又はＲＲＣ接続再構成メッセージ、レイヤ１のシグナリング、若しくはレイヤ２のシグナリングと異なる他のＲＲＣメッセージのような、他のメッセージであり得る。
【００７６】
Ｓ１０３．端末は、Ｎ本のビームにおけるＬ本のビームの信号品質又は信号強度と、Ｎ本のビームの識別情報と、Ｍ本のビームのＲＡＣＨ構成とに少なくとも基づいて、アクセスするビームを決定する。
【００７７】
本実施形態において、端末は、Ｌ本のビームの信号品質又は信号強度と、Ｎ本のビームの識別情報と、Ｍ本のビームのＲＡＣＨ構成とに基づいて、アクセスするビームを決定する。アクセスするビームを決定した後、端末は、そのビームを用いてそのビームが属するターゲットセルにアクセスする。
【００７８】
端末が少なくとも１つの見つけられたビームを測定し、ビームの信号品質又は信号強度を取得することが理解され得る。見つけられたビームは、ターゲットセルのＮ本のビームに限定されない。言い換えれば、ターゲットセル以外のセルのビームも、見つけられ得る。加えて、Ｎ本のビームのそれぞれが測定される必要がある、という限定は存在しない。
【００７９】
オプションで、ある場合において、本明細書のＬは、代替的に、信号品質又は信号強度が検出されたビームの数とみなされ得る。
【００８０】
本明細書では、Ｍ本のビーム及びＬ本のビームは、インタセクションを有してよく、又はインタセクション有していなくてよい。これは、本願の本実施形態に限定されない。
【００８１】
ビームの信号品質は、ビームの第１の信号受信品質であり得る。ビームの信号強度は、ビームの第１の信号受信電力であり得る。第１の信号は、同期信号及び／又は参照信号を含む。
【００８２】
本実施形態において、ソース基地局は、Ｎ本のビームの識別情報及びＮ本のビームにおけるＭ本のビームのＲＡＣＨ構成を端末に送信し、その後、端末は、Ｎ本のビームにおけるＬ本のビームの信号品質又は信号強度と、Ｎ本のビームの識別情報と、Ｍ本のビームのＲＡＣＨ構成とに基づいて、アクセスするビームを決定する。従って、本実施形態は、アクセスする適切なビームを提供して、解決手段を決定する。さらに、本実施形態におけるアクセスするビームが、Ｎ本のビームにおけるＬ本のビームの信号品質又は信号強度及びＭ本のビームの受信されたＲＡＣＨ構成に基づいて、端末によって決定される。従って、このように決定されたアクセスするビームは、端末によるセルへのアクセスの成功率を高め、ハンドオーバ成功率を高める。
【００８３】
以下では、例としてビームの信号強度を用いることによって、アクセスするビームを決定する方法を説明する。信号品質のソリューションは、信号強度のソリューションと同様であり、詳細は実施形態で説明されない。
【００８４】
図３は、本願の実施形態２による通信方法のフローチャートである。図３に示されるように、本実施形態における方法は、以下の段階を含み得る。
【００８５】
Ｓ２０１．端末は、測定レポートをソース基地局に送信する。
【００８６】
オプションで、測定レポートをソース基地局に送信する前に、端末は、ソース基地局によって送信された測定構成情報を受信し、構成情報に基づいて、サービングセル及び隣接セルの測定を実行する。
【００８７】
可能な実施例において、構成情報は、サービングセル及び隣接セルのビームを測定するよう端末を構成するのに用いられる。構成情報は、ビームの数Ｋ及び略してＸであるビーム信号の強度閾値を含むがこれに限定されない。端末は、信号強度がＸより大きい又はこれに等しいＫ本のビームの信号強度に基づいて、サービングセルの信号強度及び隣接セルの信号強度を決定する。サービングセルの決定された信号強度及び隣接セルの決定された信号強度が、対応する測定イベント決定条件、例えば、イベントＡ３、イベントＡ４、イベントＡ５、又はＬＴＥにおける他の測定イベントの決定条件、を満たすとき、端末は、測定レポートを送信する。測定レポートは、少なくとも１つの隣接セルの信号強度、及び／又は、それぞれの隣接セルのＫ本のビームの信号強度、サービングセルの識別情報、並びに少なくとも１つの隣接セルの識別情報を含む。サービングセルの識別情報及び少なくとも１つの隣接セルの識別情報は、セルＩＤ又はセルインデックスを含む。オプションで、測定レポートは、代替的に、オプションで、測定レポートは、代替的に、隣接セルの信号強度を生成するのに用いられるＫ本のビームの識別情報、又は隣接セルの信号強度を生成するのに用いられるＫ本のビームの信号強度を含み得るを含み得る。
【００８８】
隣接セルが図２に示される実施形態におけるターゲットセルを含むことが理解され得る。代替的に、構成情報は、ビームの数又はビーム信号の強度閾値情報を保持しなくてよい。この場合、端末は、セルの信号強度を測定する。
【００８９】
オプションで、ＳＳブロック及びＣＳＩ−ＲＳは、参照信号であり、ビームで伝送される。具体的には、測定構成情報が、ビームで伝送されるＳＳブロック及び／又はＣＳＩ−ＲＳを測定するよう端末を構成するのに用いられる。それに応じて、ビームの信号強度は、ビームのＳＳブロックの信号強度及び／又はビームのＣＳＩ−ＲＳの信号強度を含む。信号強度がＳＳブロックを測定することによって取得されたビームの数は、信号強度がＣＳＩ−ＲＳを測定することによって取得されたビームの数と同一又は異なり得る。それに応じて、測定構成情報に対応するビーム信号の強度閾値は、ＳＳブロックビーム信号の強度閾値及び／又はＣＳＩ−ＲＳビーム信号の強度閾値を含み得る。言い換えれば、ＸはＸ１及びＸ２を含み、ここで、Ｘ１はＳＳブロックビーム信号の強度閾値に対応しており、Ｘ２はＣＳＩ−ＲＳビーム信号の強度閾値に対応しており、Ｘ１はＸ２に等しくてよく、又はＸ１はＸ２に等しくなくてよい。
【００９０】
本実施形態におけるビームの識別情報は、ビームで伝送されたＳＳブロックの識別情報、及び／又はビームで伝送されたＣＳＩ−ＲＳの識別情報であり得る。
【００９１】
ＳＳブロックが、ワイドビームで伝送される。ビームが、ＳＳブロックの識別情報を用いることによって識別され得る。例えば、ＳＳブロックの識別情報は、ＳＳブロックにおけるＰＢＣＨで（暗黙のうちに又は明確に）保持される時間インデックスインジケーション（ｔｉｍｅ  ｉｎｄｅｘ  ｉｎｄｉｃａｔｉｏｎ）であり得る。
【００９２】
ＣＳＩ−ＲＳが、ナロービームで伝送される。ビームがＣＳＩ−ＲＳの識別情報を用いることによって識別され得る。例えば、ＣＳＩ−ＲＳの識別情報は、ＣＳＩ−ＲＳ構成の識別子であり得る。ＣＳＩ−ＲＳ構成は、少なくともリソース構成を含む。ＣＳＩ−ＲＳ構成は、さらに、ＣＳＩ−ＲＳを送信するのに用いられるアンテナポート等を含み得る。
【００９３】
オプションで、測定レポートは、隣接セルの少なくとも１つのビームに関する情報（本明細書でビームに関する情報は、ビームの信号強度及び／又はビームの識別情報であり得る）を含み得る。少なくとも１つのビームに関する情報は、リストの形態で測定レポートに含まれ得る。例えば、それぞれの隣接セルのビームのビーム識別子が、信号強度に基づいて配列される。少なくとも１つのビームに関する情報が、ターゲット基地局によってＲＡＣＨ構成で構成されたビーム（すなわち、Ｍ本のビーム）を決定するのに用いられ得る。
【００９４】
端末は、例えば、以下の２つの方式で、測定レポートにおける隣接セルのビームに関するレポート情報を決定し得る。これは、本実施形態で限定されない。
【００９５】
１つの方式において、ＣＳＩ−ＲＳが測定される場合、ＣＳＩ−ＲＳリソースがソース基地局によって測定構成メッセージで端末に対して構成されるので、Ｗ個のＣＳＩ−ＲＳリソースが測定構成メッセージで構成される場合、端末は、Ｗ個のＣＳＩ−ＲＳリソースに対応するビームに関する情報、すなわち、Ｗ個のＣＳＩ−ＲＳリソースのそれぞれに対応するビームに関する情報をレポートする。
【００９６】
他の態様において、端末によって受信された測定構成メッセージは、閾値を含む。閾値Ｑは、Ｘに等しくない。閾値が、ビームに関する情報がレポートされる必要があるかどうかを端末が決定するのに用いられる。すなわち、端末によって測定された隣接セルのビームの信号強度が閾値より高い（閾値より低くない）場合、端末は、測定レポートでビームに関する情報をレポートする。
【００９７】
他の態様において、オプションで、端末は、値Ｐに基づいて、Ｐ本のビームの最大値に関する情報をレポートし、又は、閾値Ｑに基づいて、信号品質又は信号強度がＱより高いＰ本のビームの最大値に関する情報をレポートしてよい。値Ｐは予め設定された最大値Ｐであってよく、又はソース基地局によって端末に送信された測定構成メッセージに含まれてよい。
【００９８】
測定レポートのレポート方式及び測定構成情報のコンテンツが本願の本実施形態から独立してよく、すなわち、本願の本実施形態と異なる他の解決手段に適用されてよいことが理解され得る。
【００９９】
Ｓ２０２．ソース基地局は、ハンドオーバ要求メッセージをターゲット基地局に送信する。
【０１００】
本実施形態において、ソース基地局は、端末によって送信された測定レポートを受信し、測定レポートに基づいて、ハンドオーバ決定を実行する。ソース基地局は、ハンドオーバ要求メッセージをターゲットセルが属するターゲット基地局に送信し得る。ここで、複数のレポートされた隣接セルのうち最大信号強度を有する隣接セルがターゲットセルとして用いられてよく、ハンドオーバ要求メッセージは、ターゲットセルの識別子を含んでよい。
【０１０１】
オプションで、ハンドオーバ要求メッセージは、（ビームの信号強度及び／又はビームの識別情報を含む）ターゲットセルの少なくとも１つのビームに関する情報をさらに含み得る。
【０１０２】
オプションで、ソース基地局は、測定レポートにおける複数の隣接セルの信号強度に基づいて、ハンドオーバ要求メッセージを複数の隣接セルのそれぞれに送信し得る。これは、ターゲット基地局が、端末がターゲットセルにハンドオーバされることを可能にしないとき、他の隣接セルが属する基地局が、ハンドオーバ要求メッセージに基づいて、端末が他の隣接セルにハンドオーバされることを可能にできることを保証し得る。
【０１０３】
ソース基地局は、代替的に、端末によって送信された測定レポートに基づいて、ハンドオーバ要求メッセージをターゲット基地局に送信してよいが、これに限定されない。例えば、ソース基地局は、代替的に、現在のネットワークステータス又は同様のものに基づいて、ハンドオーバ要求メッセージをターゲット基地局に送信する。
【０１０４】
ハンドオーバ要求メッセージが説明の例として用いられることが理解され得る。対応するハンドオーバ準備インタラクションが、代替的に、他のメッセージを通じて完了されてよく、そのようなタイプのメッセージが、第１のメッセージと称されてよい。
【０１０５】
Ｓ２０３．ターゲット基地局は、ハンドオーバ要求確認メッセージをソース基地局に送信する。
【０１０６】
本実施形態において、ターゲット基地局は、ハンドオーバ要求メッセージに基づいて承認制御を実行した後、ハンドオーバ要求確認メッセージでソース基地局に応答する。ハンドオーバ要求確認メッセージは、ターゲットセルのＮ本のビームの識別情報及びＮ本のビームにおけるＭ本のビームのＲＡＣＨ構成を含む。
【０１０７】
ハンドオーバ要求確認メッセージが説明の例として用いられることが理解され得る。対応するハンドオーバ準備インタラクションが、代替的に、他のメッセージを通じて完了されてよく、そのようなタイプのメッセージが、第２のメッセージと称されてよい。第２のメッセージは、第１のメッセージの確認メッセージである。
【０１０８】
Ｓ２０４．ソース基地局は、ハンドオーバメッセージを端末に送信する。
【０１０９】
本実施形態において、ハンドオーバ要求確認メッセージを受信した後、ソース基地局は、ハンドオーバメッセージを端末に送信する。ハンドオーバメッセージは、ターゲットセルのＮ本のビームの識別情報及びＭ本のビームのＲＡＣＨ構成を含む。
【０１１０】
ハンドオーバメッセージが説明の例として用いられることが理解され得る。対応するハンドオーバインジケーションが、代替的に、他のメッセージを通じて完了されてよく、そのようなタイプのメッセージが、第３のメッセージと称されてよい。
【０１１１】
オプションで、Ｎ本のビームの識別情報がリストの形式で送信され得る。もちろん、Ｎ本のビームの識別情報が、代替的に、他の形式で送信され得る。これは、本実施形態で限定されない。
【０１１２】
ハンドオーバメッセージが対応する優先度情報をさらに保持してよいこと、及び優先度情報が異なる方式で通知されてよいことが理解され得、例は以下のようである。
【０１１３】
第１の方式において、Ｎ本のビームの識別情報がリストの形式で送信される。リストは優先順位を有し、すなわち、ビーム順序及びビーム優先度がリストにバインドされる。例えば、リストにおける第１のビームの識別情報について、ビームは最も高い優先度を有し、ビームが優先順位に基づいてシーケンシャルに配列される。２本のビームの識別情報が例として用いられる。リストが｛ビーム２の識別情報，ビーム１の識別情報｝である場合、ビーム２の優先度がビーム１の優先度より高い。
【０１１４】
第２の方式において、Ｎ本のビームの識別情報がリストの形式で送信される。リストは、ビームに対応する優先度情報をさらに含む。優先度情報がビーム優先度を示すのに用いられる。２本のビームが例として用いられる。２本のビームがリストの形式で送信される。リストは優先順位を有していないが、リストはビームの優先度情報を含む。リストが｛ビーム１の識別情報及び優先度情報＝２，ビーム２の識別情報及び優先度情報＝１｝である場合、それは、ビーム２の優先度がビーム１の優先度より高いことを示す。
【０１１５】
Ｓ２０５．端末は、Ｎ本のビームにおけるＬ本のビームの信号強度と、強度閾値情報と、Ｎ本のビームの識別情報と、Ｍ本のビームのＲＡＣＨ構成とに基づいて、アクセスするビームを決定する。
【０１１６】
強度閾値情報が事前に規定されてよく、又は端末によって受信されてよい。
【０１１７】
ターゲットセルにアクセスするビームが信号品質に基づいて決定される場合、対応する品質閾値情報が用いられることが理解され得る。
【０１１８】
端末は、ソース基地局によって送信された強度閾値情報を受信し得る。例えば、強度閾値情報が、ソース基地局によって端末に送信されたハンドオーバメッセージに含まれる。ある方式において、強度閾値情報が、ハンドオーバメッセージに含まれる。代替的に、オプションで、最小のシステム情報（ｍｉｎｉｍｕｍ  ＳＩ）がハンドオーバメッセージに保持され、強度閾値情報がハンドオーバメッセージにおける最小のシステム情報（ｍｉｎｉｍｕｍ  ＳＩ）に含まれる。強度閾値情報がソース基地局によって決定されてよく、又は強度閾値情報がターゲット基地局によって送信されて、ソース基地局に受信されてよい。例えば、強度閾値情報が、ターゲット基地局によってソース基地局に送信されたハンドオーバ要求確認メッセージに含まれる。
【０１１９】
端末は、ターゲット基地局によって送信された強度閾値情報を受信し得る。例えば、強度閾値情報が、ターゲット基地局によってターゲットセルを用いることによりブロードキャストされるシステム情報（ｓｙｓｔｅｍ  ｉｎｆｏｒｍａｔｉｏｎ、ＳＩ）に含まれる。ＳＩは、最小のシステム情報（ｍｉｎｉｍｕｍ  ＳＩ）及び最小のシステム情報と異なる他のシステム情報（ｏｔｈｅｒ  ＳＩ）を含み得る。強度閾値情報が、ＳＩにおける最小ＳＩに含まれてよく、又はＯＳＩに含まれてよい。
【０１２０】
強度閾値情報は、第１のビーム信号の強度閾値及び／又は強度閾値インジケーション情報を含み、強度閾値インジケーション情報は、第１のビーム信号の強度閾値と第２のビーム信号の強度閾値との間の関係を示すのに用いられ、第２のビーム信号の強度閾値は測定構成メッセージに保持されるビーム信号の強度閾値、すなわち、上述のＸである。
【０１２１】
本実施形態において、ハンドオーバメッセージを受信した後、端末は強度閾値情報に基づいて第１のビーム信号の強度閾値を決定し、Ｎ本のビームの識別情報に基づいてＮ本のビームにおけるＬ本のビームの信号強度を第１のビーム信号の強度閾値と比較し、Ｎ本のビームにおけるＭ本のビームのＲＡＣＨ構成に基づいてターゲットセルにアクセスするビームを決定する。
【０１２２】
以下では、例として第１のビーム信号の強度閾値Ｙを用いることによって説明を提供する。
【０１２３】
強度閾値インジケーション情報は、ＸとＹとの間の関係を示し得、例えば、ＸがＹに等しいかどうかを示す。強度閾値インジケーション情報はバイナリビット値であり得る。例えば、「０」は、ＸがＹに等しくないことを示し、「１」は、ＸがＹに等しいことを示す。逆もまた同様である。代替的に、強度閾値インジケーション情報はブール値である。「真」は、ＸがＹに等しいことを示し、「偽」は、ＸがＹに等しくないことを示す。逆もまた同様である。代替的に、強度閾値インジケーション情報は情報要素である。情報要素が保持されるとき、それは、ＸがＹに等しくないことを示し、情報要素が保持されないとき、それは、ＸがＹに等しいことを示す。逆もまた同様である。
【０１２４】
ＸがＹに等しい場合、オプションで、強度閾値情報は値Ｙを保持しなくてよく、強度閾値インジケーション情報に示された「ＸがＹに等しい」ことを解析した後、端末は、値Ｘに基づいて、ターゲットセルにアクセスするビームを決定する。オプションで、ＸがＹに等しくない場合、強度閾値情報は値Ｙを保持する。オプションで、強度閾値情報は、強度閾値インジケーション情報を保持しなくてよい。
【０１２５】
オプションで、Ｎ本のビームの識別子がビームで伝送されたＳＳブロックの識別情報及び／又はビームで伝送されたＣＳＩ−ＲＳの識別情報を含むとき、強度閾値インジケーション情報は、ＳＳブロック強度閾値インジケーション情報及びＣＳＩ−ＲＳ強度閾値インジケーション情報であり得る。第１のビーム信号の強度閾値（Ｙ）は、第１のＳＳブロックビーム信号の強度閾値（Ｙ１）及び第１のＣＳＩ−ＲＳビーム信号の強度閾値（Ｙ２）を含む。
【０１２６】
オプションで、強度閾値情報は、第１のインジケーション情報をさらに含む。第１のインジケーション情報がＹ１とＹ２との間の関係、例えば、Ｙ１がＹ２に等しいかどうかを示すのに用いられる。第１のインジケーション情報は、バイナリビット値であり得る。例えば、「０」は、Ｙ１がＹ２に等しくないことを示し、「１」は、Ｙ１がＹ２に等しいことを示す。逆もまた同様である。代替的に、第１のインジケーション情報はブール値である。「真」は、Ｙ１がＹ２に等しいことを示し、「偽」は、Ｙ１がＹ２に等しくないことを示す。逆もまた同様である。代替的に、第１のインジケーション情報は、情報要素である。情報要素が保持されるとき、それは、Ｙ１がＹ２に等しくないことを示し、情報要素が保持されないとき、それは、Ｙ１がＹ２に等しいことを示す。逆もまた同様である。
【０１２７】
閾値Ｙ１が閾値Ｙ２に等しい場合、オプションで、強度閾値情報は閾値、具体的には、Ｙ１及びＹ２の両方がＹである閾値Ｙを保持し得る。強度閾値情報が閾値Ｙを保持するので、第１のインジケーション情報によって示された「Ｙ１がＹ２に等しい」ことを解析した後、端末は、（ビームで伝送されたＳＳブロックの信号強度及びビームで伝送されたＣＳＩ−ＲＳの信号強度の両方に対応する）値Ｙを用いてターゲットセルにアクセスするビームを決定する。Ｙ１がＹ２に等しくない場合、強度閾値情報は２つの値、すなわちＹ１及びＹ２を保持し、端末はＹ１及びＹ２を用いてターゲットセルにアクセスするビームを決定する。
【０１２８】
強度閾値情報の説明に基づいて、Ｓ２０５は、具体的には、端末は、Ｎ本のビームにおけるＭ本のビームの受信されたＲＡＣＨ構成に基づいて、ＲＡＣＨ構成がＭ本のビームのそれぞれに構成されること（すなわち、それぞれのビームに対応するＲＡＣＨ構成がビームに構成されること）を決定でき、端末は、Ｎ本のビームにおけるＬ本のビームの信号強度を取得し、Ｌ本のビームの信号強度を第１のビーム信号の強度閾値と比較し、これにアクセスするビームを決定できる。
【０１２９】
第１の実現可能な実施例において、Ｎ本のビームは、以下の２つの条件を満たすビームを含む。ＲＡＣＨ構成がビームに構成され、ビームの信号強度が第１のビーム信号の強度閾値より大きい又はこれに等しい。
【０１３０】
端末は、ターゲットセルにアクセスするビームとして、Ｍ本のビームから信号強度が第１のビーム信号の強度閾値より大きい又はそれに等しい少なくとも１本のビームを決定する。すなわち、ＲＡＣＨ構成がビームに構成され、ビームの信号強度が第１のビーム信号の強度閾値より大きい又はこれに等しいことを決定する場合、端末は、ターゲットセルにアクセスするビームとして、ビームを決定する。この実装において、ターゲットセルにアクセスする決定されたビームは、Ｎ本のビームに属し、かつ、Ｍ本のビームに属する。
【０１３１】
オプションで、Ｎ本のビームの識別情報は、ＳＳブロックの識別情報及び／又はＣＳＩ−ＲＳの識別情報を含む。従って、Ｎ本のビームがＳＳブロックの識別情報によって識別されたビーム及びＣＳＩ−ＲＳの識別情報によって識別されたビームの両方を含むとき、ＣＳＩ−ＲＳの識別情報によって識別されたビームの優先度は、ＳＳブロックの識別情報によって識別されたビームの優先度より高く、端末は、ターゲットセルビームとして、信号強度が第１のビーム信号の強度閾値より大きく、ＣＳＩ−ＲＳの識別情報によって識別されるＲＡＣＨ構成で構成されるビームを優先的に決定する。ビームのＲＡＣＨ構成がＭ本のビームのＲＡＣＨ構成に属し、かつ、信号強度が第１のビーム信号の強度閾値より大きい、という条件を満たすＣＳＩの識別情報によって識別されたビームがない場合、端末は、信号強度が第１のビーム信号の強度閾値より大きく、ターゲットセルにアクセスするビームとしてＳＳブロックの識別情報によって識別されたＲＡＣＨ構成で構成されるビームを決定する。
【０１３２】
上述の２つの条件を満たす複数のビームが上述の方式で決定される場合、端末は、ターゲットセルにアクセスするビームとして、上述の条件を満たす第１の見つけられたビームを決定してよく、端末は、上述の条件を満たすビームから、ターゲットセルにアクセスするビームをランダムに選択してよく、端末は、ターゲットセルにアクセスするビームとして、上述の条件を満たすビームから最大信号強度を有するビームを選択してよく、又は端末は、ターゲットセルにアクセスするビームとして、上述の条件を満たすビームから最も高い優先度を有するビームを選択してよいことが理解され得る。ビームの優先順位について、上述の関連する説明を参照する。
【０１３３】
オプションで、ＣＳＩ−ＲＳの識別情報によって識別されたビーム及びＳＳブロックの識別情報によって識別されたビームの優先順位が予め決定されてよく、又はネットワークデバイスによって構成されてよい。例えば、優先順位が、ハンドオーバメッセージを通じて示される。
【０１３４】
Ｍ本のビームのそれぞれのＲＡＣＨ構成は、プリアンブルインデックス（ｐｒｅａｍｂｌｅ  ｉｎｄｅｘ）及び時間−周波数リソース構成を含む。ＲＡＣＨ構成は、競合なしのランダムアクセス構成（Ｃｏｎｔｅｎｔｉｏｎ  Ｆｒｅｅ  Ｒａｎｄｏｍ  Ａｃｃｅｓｓ、ＣＦＲＡ）とみなされ得る。ターゲットセルにアクセスするためのものであり、かつ、端末によって決定されたビームがＭ本のビームに属するとき、端末は、ビームのＲＡＣＨ構成に基づいて、ターゲットセルへのランダムアクセス処理を開始する。
【０１３５】
この実装において、ターゲットセルにアクセスするためのものであり、かつ、端末によって決定されたビームは、ＲＡＣＨ構成及び高い信号強度を有する。このような方法で、端末によってターゲットセルにアクセスする成功率がより高くなる。
【０１３６】
第２の実現可能な実施例において、Ｍ本のビームのそれぞれの信号強度が第１のビーム信号の強度閾値より小さいとき、ターゲットセルにアクセスするビームがＭ本のビームから決定される。例えば、端末は、Ｍ本のビーム信号強度についてＮ本のビームを捜索し、Ｍ本のビームのそれぞれの信号強度が第１のビーム信号の強度閾値より小さいとき、Ｍ本のビームからターゲットセルにアクセスするビームを決定する。ターゲットセルにアクセスする決定されたビームは、本実施形態において、Ｍ本のビームに属する。
【０１３７】
Ｍが１より大きいとき、端末は、ターゲットセルにアクセスするビームとして、Ｍ本のビーム内の第１の見つけられたビームを決定してよく、端末は、Ｍ本のビームから、ターゲットセルにアクセスするビームをランダムに選択してよく、端末は、ターゲットセルにアクセスするビームとして、Ｍ本のビームから最大信号強度を有するビームを選択してよく、又は端末は、ターゲットセルにアクセスするビームとして、Ｍ本のビームから最も高い優先度を有するビームを選択してよい。ビームの優先順位について、上述の関連する説明を参照する。
【０１３８】
オプションで、Ｎ本のビームの識別情報は、ＳＳブロックの識別情報及び／又はＣＳＩ−ＲＳの識別情報を含む。従って、Ｎ本のビームが、ＳＳブロックの識別情報によって識別されたビーム及びＣＳＩ−ＲＳの識別情報によって識別されたビームの両方を含むとき、ＣＳＩ−ＲＳの識別情報によって識別されたビームの優先度は、ＳＳブロックの識別情報によって識別されたビームの優先度より高く、端末は、Ｍ本のビームにおけるＣＳＩ−ＲＳの識別情報によって識別されたビームからターゲットセルにアクセスするビームを優先的に決定する。Ｍ本のビームがＣＳＩの識別情報によって識別されたビームを含まない場合、端末は、Ｍ本のビームにおけるＳＳブロックの識別情報によって識別されたビームからターゲットセルにアクセスするビームを決定する。
【０１３９】
ＣＳＩ−ＲＳの識別情報によって識別されたビームからターゲットセルにアクセスするビームを決定する又はＭ本のビームにおけるＳＳブロックの識別情報によって識別されたビームからターゲットセルアクセスするビームを決定する方式が、第２の実現可能な実施例におけるＭ本のビームからターゲットセルアクセスするビームを決定する方式と同様であることが理解され得る。
【０１４０】
この実装において、ターゲットセルにアクセスするためのものであり、かつ、端末によって決定されたビームは、ＲＡＣＨ構成を有する。このような方法で、端末によってターゲットセルにアクセスする成功率が高くなる。
【０１４１】
第３の実現可能な実施例において、Ｍ本のビームのそれぞれの信号強度は、第１のビーム信号の強度閾値より小さく、かつ、Ｌ本のビームは、信号強度が第１のビーム信号の強度閾値より大きい又はそれに等しいビームを含む。
【０１４２】
端末は、ターゲットセルにアクセスするビームとして、Ｎ本のビームの識別子と、Ｌ本のビームの信号強度と、強度閾値情報に基づいて、信号強度が第１のビーム信号の強度閾値より大きい又はそれに等しいビームを決定する。この場合、信号強度が第１のビーム信号の強度閾値より大きい又はそれに等しいビームは、Ｌ本のビームのうちの１本として理解され得る。すなわち、端末は、Ｌ本のビームの信号強度についてＮ本のビームを捜索し、Ｍ本のビームのそれぞれの信号強度が第１のビーム信号の強度閾値より小さいとき、端末は、ターゲットセルにアクセスするビームの信号強度閾値が、第１のビーム信号の強度閾値より大きい又はこれに等しいことに基づいて、Ｌ本のビームからターゲットセルにアクセスするビームを決定する。Ｌ本のビームが信号強度が第１のビーム信号の強度閾値より大きい又はこれに等しい複数のビームを含む場合、端末は、ターゲットセルにアクセスするビームとして、信号強度が第１のビーム信号の強度閾値より大きい又はそれに等しい第１の見つけられたビームを決定し得る。代替的に、端末は、信号強度が第１のビーム信号の強度閾値より大きい若しくはこれに等しいビームから、ターゲットセルにアクセスするビームをランダムに選択してよく、端末は、ターゲットセルにアクセスするビームとして、信号強度が第１のビーム信号の強度閾値より大きい若しくはこれに等しいビームから最大信号強度を有するビームを選択してよく、又は端末は、ターゲットセルにアクセスするビームとして、信号強度が第１のビーム信号の強度閾値より大きい若しくはこれに等しいビームから最も高い優先度を有するビームを選択してよい。ビームの優先順位について、上述の関連する説明を参照する。
【０１４３】
オプションで、Ｎ本のビームの識別情報は、ＳＳブロックの識別情報及び／又はＣＳＩ−ＲＳの識別情報を含む。従って、Ｎ本のビームがＳＳブロックの識別情報によって識別されたビーム及びＣＳＩ−ＲＳの識別情報によって識別されたビームの両方を含むとき、ＣＳＩ−ＲＳの識別情報によって識別されたビームの優先度は、ＳＳブロックの識別情報によって識別されたビームの優先度より高く、端末は、ターゲットセルにアクセスするビームとして、信号強度が第１のビーム信号の強度閾値より大きい又はそれに等しく、かつ、ＣＳＩ−ＲＳの識別情報によって識別されるビームを優先的に決定する。ＣＳＩの識別情報によって識別されたビームが信号強度が第１のビーム信号の強度閾値より大きい又はそれに等しいビームを含まない場合、端末は、ターゲットセルにアクセスするビームとして、信号強度が第１のビーム信号の強度閾値より大きい又はそれに等しく、かつ、ＳＳブロックの識別情報によって識別されたビームを決定する。
【０１４４】
信号強度が第１のビーム信号の強度閾値より大きい又はこれに等しく、かつ、ＣＳＩ−ＲＳの識別情報又はＳＳブロックの識別情報によって識別された複数の決定されたビームが存在するとき、処理の態様は、信号強度が第１のビーム信号の強度閾値より大きい又はこれに等しい複数のビームをＬ本のビームが含むとき、第３の実現可能な実施例に用いられる処理の態様と同様であることが理解され得、詳細はここでは改めて説明されない。
【０１４５】
オプションで、ターゲットセルにアクセスするためのものであり、かつ、端末によって決定されたビームが、Ｍ本のビームに属さないとき、端末は、ターゲットセルのシステム情報をリッスンして解析し、システム情報における共通のＲＡＣＨ構成に基づいて、ターゲットセルへのランダムアクセスを開始し得る。
【０１４６】
この実装において、端末は、ターゲットセルにアクセスするビームが高い信号強度を有することを決定する。このような方法で、端末によってターゲットセルにアクセスする成功率が高くなる。
【０１４７】
第４の実現可能な実施例において、Ｍ本のビームのそれぞれの信号強度は、第１のビーム信号の強度閾値より小さく、かつ、Ｌ本のビームは、信号強度が第１のビーム信号の強度閾値より大きい又はそれに等しいビームを含まない。
【０１４８】
端末は、Ｎ本のビームの識別子及びＬ本のビームの信号強度に基づいて、Ｌ本のビームから、ターゲットセルにアクセスするビームとして、最大信号強度を有するビームを決定してよく、端末は、ターゲットセルにアクセスするビームとしてＬ本のビーム内の第１の見つけられたビームを決定してよく、端末は、Ｌ本のビームからターゲットセルビームをランダムに選択してよく、又は端末は、ターゲットセルにアクセスするビームとして、Ｌ本のビームから最も高い優先度を有するビームを選択してよい。ここで、ビームの優先順位について、上述の関連する説明を参照する。
【０１４９】
本実施形態におけるターゲットセルにアクセスする決定されたビームは、Ｌ本のビームに属するが、ターゲットセルにアクセスするためのものであり、かつ、この場合において決定されるビームは、Ｍ本のビームに属してよく、又はＭ本のビームに属さなくてよい。
【０１５０】
オプションで、Ｎ本のビームの識別情報は、ＳＳブロックの識別情報及び／又はＣＳＩ−ＲＳの識別情報を含む。従って、Ｎ本のビームがＳＳブロックの識別情報によって識別されたビーム及びＣＳＩ−ＲＳの識別情報によって識別されたビームの両方を含むとき、ＣＳＩ−ＲＳの識別情報によって識別されたビームの優先度は、ＳＳブロックの識別情報によって識別されたビームの優先度より高く、端末は、ターゲットセルにアクセスするビームとして、Ｌ本のビームにおけるＣＳＩ−ＲＳの識別情報によって識別されビームから最大信号強度を有するビームを優先的に決定する。Ｌ本のビームがＣＳＩの識別情報によって識別されたビームを含まない場合、端末は、ターゲットセルビームとして、Ｌ本のビームにおけるＳＳブロックの識別情報によって識別されたビームから最大信号強度を有するビームを決定する。ＣＳＩ−ＲＳの識別情報によって識別されたビームから又はＳＳブロックの識別情報によって識別されビームからターゲットセルビームを決定する方式は、代替的に、ターゲットセルにアクセスするビームとして第１の見つけられたビームを決定すること、ビームをランダムに選択すること、又は最も高い優先度を有するビームを選択することであってよいことが理解され得る。これは、本願の本実施形態に限定されない。
【０１５１】
この実装において、端末は、比較的フレキシブルな方式で、ターゲットセルにアクセスするビームを決定する。
【０１５２】
上述の実現可能な実施例において、例としてＭが１より大きい又はこれに等しい場合を用いることによって説明が提供されることが理解され得る。可能な場合において、Ｍは、代替的に、ターゲット基地局がターゲットセルのビームに対するＲＡＣＨ構成を提供しないことを示す０に等しくてよい。この場合、ターゲットセルにアクセスするビームが、以下の態様で決定され得る。端末は、Ｎ本のビームにおけるＬ本のビームを見つけて、端末は、Ｌ本のビームからターゲットセルにアクセスするビームを決定してよい。例えば、端末は、ターゲットセルにアクセスするビームとして、Ｌ本のビームから最大信号強度を有するビームを決定し、端末は、ターゲットセルにアクセスするビームとして、Ｌ本のビーム内の第１の見つけられたビームを決定し、端末は、ターゲットセルビームとして、Ｌ本のビームから最も高い優先度を有するビームを決定し、又は端末は、Ｌ本のビームから、ターゲットセルビームをランダムに決定する。Ｍ＝０のとき、ターゲットセルにアクセスするビームを決定する方式はまた、Ｍ本のビームのいずれも見つけられないシナリオに適用可能であってよいことが理解され得る。
【０１５３】
他の可能な実施例において、Ｍ本のビームのいずれも見つけられない、Ｍが０に等しい、Ｎ本のビームのいずれも見つけられない、Ｌ本のビーム若しくはＭ本のビームのそれぞれの信号強度が第１のビームの信号品質閾値より小さい、又はＭが０に等しいとき、それは、ターゲット基地局がターゲットセルのビームに対するＲＡＣＨ構成を提供しないとき、アクセスするビームが、代替的に、以下の態様のうちの１つで決定され得ることを示す。
（１）端末は、ターゲットセルにアクセスするビームとして、ターゲットセルの見つけられたビームから、最大信号強度を有するビームを決定し、端末は、ターゲットセルにアクセスするビームとして、ターゲットセルの第１の見つけられたビームを決定し、端末は、ターゲットセルにアクセスするビームとして、ターゲットセルの見つけられたビームから最も高い優先度を有するビームを決定し、又は、端末は、ターゲットセルのビームから、ターゲットセルにアクセスするビームをランダムに決定する。この方式によれば、端末は、できる限りアクセス失敗を回避すべく、優先的にターゲットセルにアクセスする。  （２）端末は、アクセスするビームとして、見つけられたビームから最大信号強度を有するビームを決定する。代替的に、端末は、アクセスするビームとして第１の見つけられたビームを決定し、この場合、ビームは、ターゲットセルに属し得る。代替的に、端末は、隣接セルにアクセスするビームとして、見つけられたビームから最も高い優先度を有するビームを決定する。代替的に、端末は、アクセスするビームをランダムに決定し、ビームは、ターゲットセルに属し得る。アクセスするビームは、ターゲットセルに属してよく、又は、アクセスするビームは、ターゲットセル以外の隣接セルに属してよい。  （３）端末は、ＲＲＣ接続復元処理を開始し、オプションで、端末は、現在のサービングセルにおけるＲＲＣ接続復元処理を実行する。
【０１５４】
本願の上述の実施形態に基づいて、オプションで、端末が上述の方式でビームを決定し、ランダムアクセス処理を開始するが、ランダムアクセス処理が失敗した場合、例えば、端末によるプリアンブルインデックスの送信回数が最大送信回数に達するが、端末が基地局によって応答されるランダムアクセス応答（ＲＡＲ）メッセージを受信しない場合、端末は、ＲＲＣ接続復元処理を開始する。オプションで、端末は、現在のサービングセルにおけるＲＲＣ接続復元処理を実行する。
【０１５５】
本願の上述の実施形態は、方式を決定してアクセスする複数のビームを提供し、その結果、端末は、アクセスするビームをフレキシブルに選択する。
【０１５６】
図４は、本願の実施形態３による通信方法のフローチャートである。図４に示されるように、本実施形態における方法は、以下の段階を含み得る。
【０１５７】
Ｓ３０１．端末は、測定レポートをソース基地局に送信する。ここで、測定レポートは、所定の期間内の端末のサービングビーム変更情報を含む。
【０１５８】
測定レポートについて、本実施形態において、図３に示される実施形態における関連する説明を参照する。加えて、本実施形態における測定レポートは、所定の期間内の端末のサービングビーム変更情報をさらに含む。サービングビーム変更情報は、例えば、所定の期間内の端末のサービングビームの変更数、又は端末がそれぞれのサービングビームに滞在する期間である情報である。
【０１５９】
オプションで、ビーム変更情報が測定レポートに含まれていることに限定されず、又は端末によってソース基地局に送信される新しいＲＲＣメッセージ、レイヤ１のシグナリング、若しくはレイヤ２のシグナリングに含まれてよい。
【０１６０】
Ｓ３０２．ソース基地局は、ハンドオーバ要求メッセージをターゲット基地局に送信する。ここで、ハンドオーバ要求メッセージは、サービングビーム変更情報を含む。
【０１６１】
ハンドオーバ要求メッセージについて、本実施形態において、図３に示される実施形態における関連する説明を参照する。加えて、本実施形態におけるハンドオーバ要求メッセージは、サービングビーム変更情報をさらに含む。
【０１６２】
Ｓ３０３．ターゲット基地局は、サービングビーム変更情報に基づいて、Ｍ本のビームのＲＡＣＨ構成の有効期間を決定する。
【０１６３】
本実施形態において、ターゲット基地局は、サービングビーム変更情報に基づいて、端末の移動ステータス実質的に決定し、端末の移動ステータスに基づいて、Ｍ本のビームのＲＡＣＨ構成の有効期間を決定し得る。サービングビーム変更情報に基づいて、端末がサービングビームを頻繁に変更することが決定された場合、Ｍ本のビームのものであり、かつ、ターゲット基地局によって割り当てられるものであるＲＡＣＨ構成の有効期間は比較的短く、そうでなければ、Ｍ本のビームのものであり、かつ、ターゲット基地局によって割り当てられるものであるＲＡＣＨ構成の有効期間は比較的長い。
【０１６４】
Ｓ３０２及びＳ３０３の交換可能な解決手段において、ソース基地局は、サービングビーム変更情報に基づいて、有効期間を決定し、その後、ソース基地局は、ハンドオーバ要求メッセージをターゲット基地局に送信する。ここで、ハンドオーバ要求メッセージは有効期間を含む。ターゲット基地局は、ハンドオーバ要求メッセージに基づいて、ハンドオーバ要求メッセージにおける有効期間がＭ本のビームのＲＡＣＨ構成の有効期間であることを決定する。
【０１６５】
ＲＡＣＨ構成の有効期間が終了した後、ターゲット基地局がＭ本のビームのＲＡＣＨ構成をリリースし、それによって、長期間リソースを浪費することを回避することが理解され得る。
【０１６６】
Ｓ３０１からＳ３０３の全ての段階は、代替的に、後の段階から独立し、他のシナリオ又はソリューションに適用され得る。本実施形態におけるＳ３０１からＳ３０３は、本実施形態におけるシナリオ又は解決手段に適用されるがこれに限定されない。
【０１６７】
Ｓ３０４．ターゲット基地局は、ハンドオーバ要求確認メッセージをソース基地局に送信する。
【０１６８】
本実施形態において、ハンドオーバ要求確認メッセージは、Ｎ本のビームの識別情報及びＭ本のビームのＲＡＣＨ構成を含む。ハンドオーバ要求メッセージについて、本実施形態において、図３に示される実施形態における関連する説明を参照する。
【０１６９】
Ｓ３０３及びＳ３０４の段階を実行するための特定の順序は存在しない。
【０１７０】
Ｓ３０５．ソース基地局は、ハンドオーバメッセージを端末に送信する。ここで、ハンドオーバメッセージは、ターゲットセルのＮ本のビームの識別情報及びＭ本のビームのＲＡＣＨ構成を含む。
【０１７１】
Ｓ３０６．端末は、Ｎ本のビームにおけるＬ本のビームの信号強度と、Ｎ本のビームの識別情報と、Ｍ本のビームのＲＡＣＨ構成とに少なくとも基づいて、アクセスするビームを決定する。
【０１７２】
本実施形態において、Ｓ３０５及びＳ３０６について、上述の実施形態における関連する説明を参照する。詳細はここでは改めて説明されない。
【０１７３】
Ｓ３０７．端末は、アクセスするビームに基づいて、プリアンブルインデックスをビームに対応する基地局に送信する。
【０１７４】
本明細書では、ビームに対応する基地局は、ターゲット基地局であってよく、又は他の基地局であってよい。図４はビームに対応する基地局がターゲット基地局である例を示すが、これは本実施形態で限定されない。
【０１７５】
Ｓ３０８．ビームに対応する基地局は、ランダムアクセス応答（Ｒａｎｄｏｍ  Ａｃｃｅｓｓ  Ｒｅｓｐｏｎｓｅ、ＲＡＲ）メッセージを端末に送信する。
【０１７６】
ターゲットセルにアクセスするビームがＭ本のビームに属することを端末が決定する場合、それは、ＲＡＣＨ構成がターゲットセルにアクセスするビームに構成されることを示す。この場合、端末は、ＲＡＣＨ構成を用いることによって、プリアンブルインデックスをターゲット基地局に送信する。ターゲット基地局は、端末によって送信されたプリアンブルインデックス及び／又はプリアンブルインデックスを送信するのに用いられた時間−周波数リソースに基づいて、端末によって実行されるターゲットセルへのランダムアクセスのために選択されるビームを決定し、ターゲット端末はビームに基づいてＲＡＲメッセージを端末に送信し、ターゲット基地局はＭ本のビーム内の他のビームのＲＡＣＨ構成をリリースする。
【０１７７】
ターゲットセルにアクセスするビームがＭ本のビームに属さないことを端末が決定する場合、それは、ＲＡＣＨ構成がターゲットセルにアクセスするビームに構成されないことを示す。この場合、端末は、共通のランダムアクセスチャネルの時間−周波数リソース上でランダムに選択されたプリアンブルインデックスをターゲット基地局に送信する。
【０１７８】
Ｓ３０９．端末は、ＲＲＣ接続再構成完了メッセージをビームに対応する基地局に送信する。
【０１７９】
ＲＡＲメッセージを受信した後、端末は、ＲＲＣ接続再構成完了メッセージをビームに対応する基地局に送信する。
【０１８０】
本実施形態において、上述の解決手段によれば、端末は、ターゲットセルにアクセスするビームを決定し、端末によってターゲットセルにアクセスする成功率がビームに基づいて改善されることができ、ハンドオーバ成功率を高める。加えて、端末は、端末のサービングビーム変更情報をさらにレポートし、その結果、ターゲット基地局は、Ｍ本のビームのＲＡＣＨ構成の有効期間を決定し、有効期間が終了した後、Ｍ本のビームのＲＡＣＨ構成をリリースすることによって、長期間リソースを占有することを回避して、リソースの利用を高める。
【０１８１】
上述の実施形態において、端末によって実装される方法又は段階は、代替的に、端末の内部のチップによって実装されてよいことが理解され得る。ソース基地局のような基地局によって実装される方法又は段階は、代替的に、基地局の内部のチップによって実装されてよい。
【０１８２】
本願の実施形態は、通信装置を提供する。通信装置は端末であってよく、又は端末の内部のチップであってよい。図５に示されるように、本実施形態における通信装置は、受信モジュール１１及び処理モジュール１２を含み得る。
【０１８３】
受信モジュール１１は、ターゲットセルのＮ本のビームの識別情報及びＮ本のビームにおけるＭ本のビームのランダムアクセスチャネル構成を受信するよう構成される。ここで、Ｎ及びＭは正の整数である。
【０１８４】
処理モジュール１２は、Ｎ本のビームにおけるＬ本のビームの信号品質又は信号強度と、Ｎ本のビームの識別情報と、Ｍ本のビームのランダムアクセスチャネル構成とに基づいて、アクセスするビームを決定するよう構成される。ここで、Ｌは非負の整数である。
【０１８５】
オプションで、処理モジュール１２は、具体的には、Ｎ本のビームにおけるＬ本のビームの信号強度と、強度閾値情報と、Ｎ本のビームの識別情報と、Ｍ本のビームのランダムアクセスチャネル構成とに基づいて、アクセスするビームを決定するよう構成される。
【０１８６】
オプションで、受信モジュール１１は、強度閾値情報を受信するようさらに構成される。
【０１８７】
オプションで、強度閾値情報は、第１のビーム信号の強度閾値又は強度閾値インジケーション情報を含み、強度閾値インジケーション情報は、第１のビーム信号の強度閾値と第２のビーム信号の強度閾値との間の関係を示すのに用いられ、第２のビーム信号の強度閾値は、測定構成情報に保持されたビーム信号の強度閾値である。
【０１８８】
オプションで、処理モジュール１２は、具体的には、Ｎ本のビームにおけるＬ本のビームの信号強度と、強度閾値情報と、Ｎ本のビームの識別情報と、Ｍ本のビームのランダムアクセスチャネル構成とに基づいて、ターゲットセルにアクセスするビームとして、Ｍ本のビームから信号強度が第１のビーム信号の強度閾値より大きい又はそれに等しいビームを決定するよう構成される。
【０１８９】
オプションで、処理モジュール１２は、具体的には、Ｍ本のビームのそれぞれの信号強度が第１のビーム信号の強度閾値より小さいとき、Ｍ本のビームから、Ｎ本のビームの識別情報及びＭ本のビームのランダムアクセスチャネル構成に基づいて、ターゲットセルにアクセスするビームを決定するよう構成される。
【０１９０】
オプションで、処理モジュール１２は、具体的には、Ｍ本のビームのそれぞれの信号強度が第１のビーム信号の強度閾値より小さいとき、Ｎ本のビームの識別子と、Ｌ本のビームの信号強度と、強度閾値情報とに基づいて、ターゲットセルにアクセスするビームとして、Ｌ本のビームから信号強度が第１のビーム信号の強度閾値より大きい又はそれに等しいビームを決定するよう構成される。
【０１９１】
オプションで、処理モジュール１２は、具体的には、Ｌ本のビームの信号強度と、強度閾値情報と、Ｎ本のビームの識別情報と、Ｎ本のビームの優先順位と、Ｍ本のビームのランダムアクセスチャネル構成とに基づいて、ターゲットセルにアクセスするビームを決定するよう構成される。
【０１９２】
オプションで、処理モジュール１２は、具体的には、Ｍ本のビームのいずれも見つけられないとき、Ｎ本のビームの識別情報に基づいて、ターゲットセルにアクセスするビームとして、Ｌ本のビームにおいて最大信号強度を有するビームを決定するよう構成される。
【０１９３】
オプションで、Ｎ本のビームの識別情報は、同期信号ブロックインジケーション情報及び／又はチャネル状態情報参照信号識別情報を含む。
【０１９４】
処理モジュール１２は、具体的には、Ｎ本のビームにおけるＬ本のビームの信号強度と、強度閾値情報と、Ｎ本のビームの識別情報と、識別情報がチャネル状態情報参照信号識別情報であるビームの優先度が、識別情報が同期信号ブロックインジケーション情報であるビームの優先度より高いことと、Ｍ本のビームのランダムアクセスチャネル構成とに基づいて、アクセスするビームを決定するよう構成される。
【０１９５】
オプションで、処理モジュール１２は、Ｎ本のビームのいずれも見つけられない、Ｌ本のビームの信号強度若しくはＭ本のビームの信号強度が第１のビーム信号の強度閾値より小さい、又はＭ本のビームのいずれも見つけられない場合、アクセスするビームとして第１の見つけられたビームを決定し、アクセスするビームとして最大信号強度を有するビームを決定し、アクセスするビームとして見つけられたビームをランダムに決定し、又はアクセスするビームとして見つけられたビームにおいて最も高い優先度を有するビームを決定するようさらに構成される。
【０１９６】
オプションで、ランダムアクセスチャネル構成は、プリアンブルインデックス及び時間−周波数リソース構成を含む。
【０１９７】
本実施形態において説明された通信装置は、上述の方法の実施形態で端末／端末のチップによって実行される技術的解決手段を実行するよう構成され得る。通信装置の実装原理及び技術的効果は、上述の方法の実施形態の実装原理及び技術的効果と同様である。モジュールの機能について、方法の実施形態における対応する説明を参照する。詳細はここでは改めて説明されない。
【０１９８】
図６は、本願の実施形態による端末の概略構造図である。図６に示されるように、本実施形態における端末は、プロセッサ２１及びトランシーバー２２を含み得る。プロセッサ２１がトランシーバー２２に通信可能に接続される。
【０１９９】
ハードウェア実装において、受信モジュール１１は、本実施形態におけるトランシーバー２２であり得る。代替的に、トランシーバー２２は伝送機及び受信機を含む。この場合、受信モジュール１１は、トランシーバー２２の受信機であってよい。処理モジュール１２は、ハードウェアの形態で端末のプロセッサ２１に組み込まれてよく、又は端末のプロセッサ２１から独立してよい。
【０２００】
トランシーバー２２は、周波数混合器のような、必要な無線周波数通信デバイスを含み得る。プロセッサ２１は、中央処理装置（Ｃｅｎｔｒａｌ  Ｐｒｏｃｅｓｓｉｎｇ  Ｕｎｉｔ、ＣＰＵ）、デジタルシグナルプロセッサ（ｄｉｇｉｔａｌ  ｓｉｇｎａｌ  ｐｒｏｃｅｓｓｏｒ、ＤＳＰ）、マイクロコントローラユニット（Ｍｉｃｒｏｃｏｎｔｒｏｌｌｅｒ  Ｕｎｉｔ、ＭＣＵ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、又はフィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）のうちの少なくとも１つを含み得る。
【０２０１】
オプションで、本実施形態における端末は、メモリ２３をさらに含み得る。メモリ２３は、プログラム命令を格納するよう構成される。プロセッサ２１は、メモリ２３内のプログラム命令を呼び出して上述の解決手段を実行するよう構成される。
【０２０２】
プログラム命令はソフトウェア機能ユニットの形態で実装されてよく、独立した製品として販売され又は用いられることができる。メモリ２３は、任意の形態のコンピュータ可読記憶媒体であり得る。そのような理解に基づいて、本願の技術的解決手段の全て又は一部がソフトウェア製品の形態で表されてよく、ソフトウェア製品は、本願の実施形態における端末の段階の全て又は一部を実行すべく、具体的にはプロセッサ２１であり得る、コンピュータデバイスに命令するためのいくつかの命令を含む。コンピュータ可読記憶媒体は、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、及びコンパクトディスクのような、プログラムコードを格納できる様々な媒体を含む。
【０２０３】
本実施形態において説明された端末は、本願の上述の方法の実施形態において、端末又は端末の内部のチップによって実行される技術的解決手段を実行するよう構成され得る。端末の実装原理及び技術的効果は、上述の方法の実施形態の実装原理及び技術的効果と同様である。モジュールの機能について、方法の実施形態における対応する説明を参照する。詳細はここでは説明されない。
【０２０４】
本願の実施形態は、通信装置を提供する。通信装置はネットワークデバイスであってよく、又はネットワークデバイスの内部のチップであってよい。図７に示されるように、通信装置は、受信モジュール３１及び送信モジュール３２を含み得る。
【０２０５】
受信モジュール３１は、第２のネットワークデバイスによって送信された、ターゲットセルのＮ本のビームの識別情報及びＮ本のビームにおけるＭ本のビームのランダムアクセスチャネル構成を受信するよう構成される。ここで、Ｎ及びＭは正の整数である。
【０２０６】
送信モジュール３２は、Ｎ本のビームの識別情報及びＭ本のビームのランダムアクセスチャネル構成を端末に送信するよう構成される。
【０２０７】
オプションで、受信モジュール３１は、所定の期間内であって、かつ、端末によって送信された、端末のサービングビーム変更情報を受信するようさらに構成される。
【０２０８】
送信モジュール３２は、サービングビーム変更情報を第２のネットワークデバイスに送信するようさらに構成される。ここで、サービングビーム変更情報は、第２のネットワークデバイスによって、Ｍ本のビームのランダムアクセスチャネル構成の有効期間を決定するのに用いられる。
【０２０９】
オプションで、本実施形態における通信装置は、処理モジュール３３をさらに含む。
【０２１０】
受信モジュール３１は、所定の期間内であって、かつ、端末によって送信された、端末のサービングビーム変更情報を受信するようさらに構成される。
【０２１１】
処理モジュール３３は、サービングビーム変更情報に基づいて、Ｍ本のビームのランダムアクセスチャネル構成の有効期間を決定するよう構成される。
【０２１２】
送信モジュール３２は、Ｍ本のビームのランダムアクセスチャネル構成の有効期間を第２のネットワークデバイスに送信するようさらに構成される。
【０２１３】
オプションで、ランダムアクセスチャネル構成は、プリアンブルインデックス及び時間−周波数リソース構成を含む。
【０２１４】
オプションで、送信モジュール３２は、ハンドオーバメッセージを通じて、ビーム信号の強度閾値情報又は品質閾値情報を端末に送信するようさらに構成される。
【０２１５】
本実施形態において説明された通信装置は、上述の方法の実施形態でソース基地局又はソース基地局の内部のチップによって実行される技術的解決手段を実行するよう構成され得る。通信装置の実装原理及び技術的効果は、上述の方法の実施形態の実装原理及び技術的効果と同様である。モジュールの機能について、方法の実施形態における対応する説明を参照する。詳細はここでは改めて説明されない。
【０２１６】
図８は、本願の実施形態によるネットワークデバイスの概略構造図である。図８に示されるように、本実施形態におけるネットワークデバイスは、プロセッサ４１及びトランシーバー４２を含み得る。プロセッサ４１がトランシーバー４２に通信可能に接続される。
【０２１７】
ハードウェア実装において、受信モジュール３１及び送信モジュール３２は、本実施形態におけるトランシーバー４２であり得る。代替的に、トランシーバー４２は伝送機及び受信機を含む。この場合、受信モジュール３１はトランシーバー２２の受信機であってよく、送信モジュール３２は、トランシーバー４２の伝送機であってよい。処理モジュール３３は、ハードウェアの形態でネットワークデバイスのプロセッサ４１に組み込まれてよく、又はネットワークデバイスのプロセッサ４１から独立してよい。
【０２１８】
トランシーバー４２は、周波数混合器のような、必要な無線周波数通信デバイスを含み得る。プロセッサ４１は、ＣＰＵ、ＤＳＰ、ＭＣＵ、ＡＳＩＣ、又はＦＰＧＡのうちの少なくとも１つを含み得る。
【０２１９】
オプションで、本実施形態におけるネットワークデバイスは、メモリ４３をさらに含み得る。メモリ４３は、プログラム命令を格納するよう構成される。プロセッサ４１は、メモリ４３内のプログラム命令を呼び出して上述の解決手段を実行するよう構成される。
【０２２０】
プログラム命令はソフトウェア機能ユニットの形態で実装されてよく、独立した製品として販売され又は用いられることができる。メモリ２３は、任意の形態のコンピュータ可読記憶媒体であり得る。そのような理解に基づいて、本願の技術的解決手段の全て又は一部がソフトウェア製品の形態で表されてよく、ソフトウェア製品は、本願の実施形態におけるネットワークデバイスの段階の全て又は一部を実行すべく、具体的にはプロセッサ４１であり得る、コンピュータデバイスに命令するためのいくつかの命令を含む。コンピュータ可読記憶媒体は、ＵＳＢフラッシュドライブ、リムーバブルハードディスク、ＲＯＭ、ＲＡＭ、磁気ディスク、及びコンパクトディスクのような、プログラムコードを格納できる様々な媒体を含む。
【０２２１】
本実施形態におけるネットワークデバイスは、本願の上述の方法の実施形態において、ソース基地局の技術的解決手段を実行するよう構成され得る。ネットワークデバイスの実装原理及び技術的解決手段は、上述の方法の実施形態の実装原理及び技術的解決策と同様であり、詳細はここでは説明されない。
【０２２２】
本願の実施形態は、通信装置を提供する。通信装置は、ネットワークデバイスであってよく、又はネットワークデバイスの内部のチップであってよい。図９に示されるように、通信装置は、送信モジュール５１を含み得る。
【０２２３】
送信モジュール５１は、ターゲットセルのＮ本のビームの識別情報及びＮ本のビームにおけるＭ本のビームのランダムアクセスチャネル構成を第１のネットワークデバイスに送信するよう構成される。ここで、Ｎ及びＭは正の整数である。
【０２２４】
オプションで、通信装置は、受信モジュール５２及び処理モジュール５３をさらに含む。
【０２２５】
実現可能な実施例において、受信モジュール５２は、所定の期間内であって、かつ、第１のネットワークデバイスによって送信された端末のサービングビーム変更情報を受信するよう構成される。
【０２２６】
処理モジュール５３は、サービングビーム変更情報に基づいてＭ本のビームのランダムアクセスチャネル構成の有効期間を決定し、有効期間が終了した後、Ｍ本のビームのランダムアクセスチャネル構成をリリースするよう構成される。
【０２２７】
実現可能な実施例において、受信モジュール５２は、第１のネットワークデバイスによって送信されたＭ本のビームのランダムアクセスチャネル構成の有効期間を受信するよう構成される。
【０２２８】
処理モジュール５３は、有効期間が終了した後、Ｍ本のビームのランダムアクセスチャネル構成をリリースするよう構成される。
【０２２９】
オプションで、送信モジュール５１は、システム情報を通じて、ビーム信号の強度閾値情報又は品質閾値情報を端末に送信するようさらに構成される。
【０２３０】
本実施形態において説明された通信装置は、上述の方法の実施形態でターゲット基地局又はターゲット基地局の内部のチップによって実行される技術的解決手段を実行するよう構成され得る。通信装置の実装原理及び技術的効果は、上述の方法の実施形態の実装原理及び技術的効果と同様である。モジュールの機能について、方法の実施形態における対応する説明を参照する。詳細はここでは改めて説明されない。
【０２３１】
図１０は、本願の実施形態によるネットワークデバイスの概略構造図である。図１０に示されるように、本実施形態におけるネットワークデバイスは、プロセッサ６１及びトランシーバー６２を含み得る。プロセッサ６１がトランシーバー６２に通信可能に接続される。
【０２３２】
ハードウェア実装において、受信モジュール５２及び送信モジュール５１は、本実施形態におけるトランシーバー６２であり得る。代替的に、トランシーバー６２は、伝送機及び受信機を含む。この場合、受信モジュール５２はトランシーバー６２の受信機であってよく、送信モジュール５１は、トランシーバー６２の伝送機であってよい。処理モジュール５３は、ハードウェアの形態でネットワークデバイスのプロセッサ６１に組み込まれてよく、又はネットワークデバイスのプロセッサ６１から独立してよい。
【０２３３】
トランシーバー６２は、周波数混合器のような、必要な無線周波数通信デバイスを含み得る。プロセッサ６１は、ＣＰＵ、ＤＳＰ、ＭＣＵ、ＡＳＩＣ、又はＦＰＧＡのうちの少なくとも１つを含み得る。
【０２３４】
オプションで、本実施形態におけるネットワークデバイスは、メモリ６３をさらに含み得る。メモリ６３は、プログラム命令を格納するよう構成される。プロセッサ６１は、メモリ６３内のプログラム命令を呼び出して上述の解決手段を実行するよう構成される。
【０２３５】
プログラム命令は、ソフトウェア機能ユニットの形態で実装されてよく、独立した製品として販売され又は用いられることができる。メモリ６３は、任意の形態のコンピュータ可読記憶媒体であり得る。そのような理解に基づいて、本願の技術的解決手段の全て又は一部がソフトウェア製品の形態で表されてよく、ソフトウェア製品は、本願の実施形態におけるネットワークデバイスの段階の全て又は一部を実行すべく、具体的には、プロセッサ６１であり得る、コンピュータデバイスに命令するためのいくつかの命令を含み得る。コンピュータ可読記憶媒体は、ＵＳＢフラッシュドライブ、リムーバブルハードディスク、ＲＯＭ、ＲＡＭ、磁気ディスク、及びコンパクトディスクのような、プログラムコードを格納できる様々な媒体を含む。
【０２３６】
本実施形態におけるネットワークデバイスは、本願の上述の方法の実施形態において、ターゲット基地局の技術的解決手段を実行するよう構成され得る。ネットワークデバイスの実装原理及び技術的解決手段は、上述の方法の実施形態の実装原理及び技術的解決手段と同様であり、詳細はここでは説明されない。
【０２３７】
本願の実施形態におけるモジュール分割は一例であり、単にロジカルな機能分割に過ぎないことに留意されたい。実際の実装では、他の分割方式が存在し得る。本願の実施形態における機能的なモジュールは１つの処理モジュールに統合されてよく、モジュールのそれぞれは物理的に独立して存在してよく、又は２若しくはそれ以上のモジュールが１つのモジュールに統合される。統合されたモジュールは、ハードウェアの形態で実装されてよく、又はソフトウェア機能モジュールの形態で実装されてよい。
【０２３８】
統合されたモジュールがソフトウェア機能モジュールの形態で実装されて、独立した製品として販売され又は用いられるとき、統合されたモジュールがコンピュータ可読記憶媒体に格納され得る。そのような理解に基づいて、本願の本質的な技術的解決手段、先行技術に寄与する部分、又は技術的解決手段の全て若しくは一部がソフトウェア製品の形態で実装され得る。コンピュータソフトウェア製品が記憶媒体に格納され、本願の実施形態において説明された方法の段階の全て又は一部を実行すべく、（パーソナルコンピュータ、サーバ、ネットワークデバイス、又は同様のものであり得る）コンピュータデバイス又はプロセッサ（ｐｒｏｃｅｓｓｏｒ）に命令するためのいくつかの命令を含む。記憶媒体は、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、及びコンパクトディスクのような、プログラムコードを格納できる様々な媒体を含む。
【０２３９】
上述の実施形態の全て又は一部が、ソフトウェア、ハードウェア、ファームウェア、又はこれらの任意の組み合わせを用いることによって実装され得る。ソフトウェアが実施形態を実行するのに用いられるとき、実施形態の全て又は一部がコンピュータプログラムプロダクトの形態で実装され得る。コンピュータプログラムプロダクトは、１又は複数のコンピュータ命令を含む。コンピュータプログラム命令がコンピュータ上にロードされて実行されるとき、本願の実施形態による手順又は機能の全て又は一部が生成される。コンピュータは、汎用コンピュータ、専用コンピュータ、コンピュータネットワーク、又は他のプログラム可能な装置であり得る。コンピュータ命令がコンピュータ可読記憶媒体に格納されてよく、又は１つのコンピュータ可読記憶媒体から他のコンピュータ可読記憶媒体に伝送されてよい。例えば、コンピュータ命令が、有線（例えば、同軸ケーブル、光ファイバ、若しくはデジタル加入者線（ＤＳＬ））方式で、又は無線（例えば、赤外線、電波、若しくはマイクロ波）方式で、ウェブサイト、コンピュータ、サーバ、又はデータセンタから他のウェブサイト、コンピュータ、サーバ、又はデータセンタに伝送されてよい。コンピュータ可読記憶媒体は、コンピュータによってアクセス可能な任意の使用可能な媒体、又は１若しくは複数の使用可能な媒体を統合するサーバ若しくはデータセンタのようなデータストレージデバイスであり得る。使用可能な媒体は、磁気媒体（例えば、フロッピーディスク、ハードディスク、若しくは磁気テープ）、光媒体（例えば、ＤＶＤ）、半導体媒体（例えば、ソリッドステートディスク、Ｓｏｌｉｄ  Ｓｔａｔｅ  Ｄｉｓｋ（ＳＳＤ））、又は同様のものであり得る。
【図１】
2020523922.tif 000003
【図２】
2020523922.tif 000004
【図３】
2020523922.tif 000005
【図４】
2020523922.tif 000006
【図５】
2020523922.tif 000007
【図６】
2020523922.tif 000008
【図７】
2020523922.tif 000009
【図８】
2020523922.tif 000010
【図９】
2020523922.tif 000011
【図１０】
2020523922.tif 000012
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
通信方法であって、
第１のネットワークデバイスから、ターゲットセルのＮ本のビームの識別情報及び前記Ｎ本のビームにおけるＭ本のビームに対応するランダムアクセスチャネル構成を受信する段階であって、Ｎ及びＭは正の整数であり、前記ランダムアクセスチャネル構成は、プリアンブルインデックス及び時間−周波数リソース構成を含む、段階と、
前記Ｍ本のビームが、信号強度が第１のビーム信号の強度閾値より大きい又はこれに等しいビームを含むとき、前記ターゲットセルにアクセスするビームとして、前記Ｍ本のビームから信号強度が前記第１のビーム信号の強度閾値より大きい又はそれに等しい前記ビームを決定する段階と
を備える、方法。
【請求項２】
前記第１のビーム信号の強度閾値を受信する段階をさらに備える、請求項１に記載の方法。
【請求項３】
前記第１のビーム信号の強度閾値を受信する前記段階は、
無線リソース制御ＲＲＣ接続再構成メッセージを通じて前記第１のビーム信号の強度閾値を受信する段階
を有する、請求項２に記載の方法。
【請求項４】
前記Ｍ本のビームのそれぞれの信号強度が前記第１のビーム信号の強度閾値より小さいとき、前記Ｍ本のビームから、前記Ｎ本のビームの前記識別情報及び前記Ｍ本のビームの前記ランダムアクセスチャネル構成に基づいて、前記ターゲットセルにアクセスする前記ビームを決定する段階
をさらに備える、請求項１から３のいずれか一項に記載の方法。
【請求項５】
前記Ｍ本のビームのそれぞれの信号強度が前記第１のビーム信号の強度閾値より小さいとき、前記ターゲットセルにアクセスする前記ビームとして、Ｌ本のビームから信号強度が前記第１のビーム信号の強度閾値より大きい又はそれに等しいビームを決定する段階であって、Ｌは非負の整数であり、前記Ｌ本のビームは信号強度が検出された全てのビームである、段階
をさらに備える、請求項１から４のいずれか一項に記載の方法。
【請求項６】
前記Ｍ本のビームのいずれも見つけられないとき、前記Ｎ本のビームの前記識別情報に基づいて、前記ターゲットセルにアクセスする前記ビームとして、Ｌ本のビームにおいて最大信号強度を有するビームを決定する段階
をさらに備える、請求項１に記載の方法。
【請求項７】
前記Ｎ本のビームの前記識別情報は、同期信号ブロックインジケーション情報及び／又はチャネル状態情報参照信号識別情報を含む、請求項１から６のいずれか一項に記載の方法。
【請求項８】
前記Ｎ本のビームのいずれも見つけられない、Ｌ本のビーム若しくはＭ本のビームのそれぞれの信号強度が前記第１のビーム信号の強度閾値より小さい、又は前記Ｍ本のビームのいずれも見つけられないとき、前記方法は、
アクセスする前記ビームとして第１の見つけられたビームを決定する段階、アクセスする前記ビームとして最大信号強度を有するビームを決定する段階、アクセスする前記ビームとして見つけられたビームをランダムに決定する段階、又はアクセスする前記ビームとして見つけられたビームにおいて最も高い優先度を有するビームを決定する段階
をさらに備える、請求項１に記載の方法。
【請求項９】
前記第１のネットワークデバイスが、第２のネットワークデバイスから、前記ターゲットセルのＮ本のビームの前記識別情報及び前記Ｎ本のビームにおけるＭ本のビームに対応するランダムアクセスチャネル構成を受信する段階と、
前記第１のネットワークデバイスが、前記Ｎ本のビームの前記識別情報及び前記Ｍ本のビームに対応する前記ランダムアクセスチャネル構成を送信する段階
をさらに備える、請求項１から８のいずれか一項に記載の方法。
【請求項１０】
前記方法は、さらに、
前記第１のネットワークデバイスが、所定の期間内である端末のサービングビーム変更情報を受信する段階と、
前記第１のネットワークデバイスが、前記サービングビーム変更情報を前記第２のネットワークデバイスに送信する段階であって、前記サービングビーム変更情報は、前記第２のネットワークデバイスによって、前記Ｍ本のビームの前記ランダムアクセスチャネル構成の有効期間を決定するのに用いられる、段階と
を備える、請求項９に記載の方法。
【請求項１１】
前記方法は、さらに、
前記第１のネットワークデバイスが、所定の期間内である端末のサービングビーム変更情報を受信する段階と、
前記第１のネットワークデバイスが、前記サービングビーム変更情報に基づいて、前記Ｍ本のビームの前記ランダムアクセスチャネル構成の有効期間を決定する段階と、
前記第１のネットワークデバイスが、前記Ｍ本のビームの前記ランダムアクセスチャネル構成の前記有効期間を前記第２のネットワークデバイスに送信する段階と
を備える、請求項９に記載の方法。
【請求項１２】
請求項１から１１のいずれか一項に記載の通信方法を実装するよう構成される、通信装置。
【請求項１３】
コンピュータに、請求項１から１１のいずれか一項に記載の方法を実行させる、プログラム。
【手続補正２】
【補正対象書類名】明細書
【補正対象項目名】全文
【補正方法】変更
【補正の内容】
【発明の詳細な説明】
【技術分野】
【０００１】
本願の実施形態は、通信技術の分野に関し、特に、通信方法及び通信装置に関する。
【背景技術】
【０００２】
モバイル通信は、キャパシティの最大化を追求するだけでなく、より広いカバレージエリアも必要とする。すなわち、どこへでも移動する端末は、無線ネットワーク信号によってカバーされる必要がある。端末がサービングセルから他のセルに移動するとき、端末のサービスの継続性を保証すべく、端末は、現在のサービングセルから他のセルにハンドオーバされる必要がある。
【０００３】
現在、ＬＴＥシステムにおける端末のサービングセルハンドオーバ処理が、以下のように説明される。ソース基地局（Ｓｏｕｒｃｅ  ｅＮＢ、ＳｅＮＢ）は、端末によってレポートされた測定レポートに基づいて、端末上のサービングセルのハンドオーバを実行することを決定し、ターゲット基地局（Ｔａｒｇｅｔ  ｅＮＢ、ＴｅＮＢ）にハンドオーバ要求を開始する。ＳｅＮＢがＴｅＮＢからハンドオーバ要求確認メッセージを取得した後、ＳｅＮＢは、ハンドオーバメッセージを端末に送信する。端末は、ハンドオーバメッセージに保持されたターゲットセルの識別子に基づいて、ターゲット基地局へのランダムアクセス処理を開始してＴＡ値及びアップリンクリソースを取得し、ハンドオーバ完了メッセージをアップリンクリソース上のターゲット基地局に送信する。
【０００４】
しかしながら、高周波数技術が、現在の５Ｇシステムに導入される。高周波数でのデータ伝送の間、通常、比較的大きな伝送損失が生じる。効率的なサービス伝送を保証すべく、高周波数セルは、ビームフォーミング技術を用いて通信を実行する、すなわち、それぞれの高周波数セルは、通信に用いられる複数の異なるビームを有する。ハンドオーバが端末上で実行されるとき、端末がアクセスするビームをどのように選択するかを早期解決する必要がある。
【発明の概要】
【０００５】
本願の実施形態は、通信方法及び通信装置を提供し、適切なビームアクセス解決手段を提供する。
【０００６】
第１の態様によれば、本願の実施形態は、ターゲットセルのＮ本のビームの識別情報及びＮ本のビームにおけるＭ本のビームのランダムアクセスチャネル構成を受信する段階であって、Ｎ及びＭは正の整数である、段階と、Ｎ本のビームにおけるＬ本のビームの信号品質又は信号強度と、Ｎ本のビームの識別情報と、Ｍ本のビームのランダムアクセスチャネル構成とに基づいて、アクセスするビームを決定する段階であって、Ｌは非負の整数である、段階とを含む、通信方法を提供する。
【０００７】
可能な設計において、Ｎ本のビームにおけるＬ本のビームの信号強度と、Ｎ本のビームの識別情報と、Ｍ本のビームのランダムアクセスチャネル構成とに基づいて、アクセスするビームを決定する段階は、Ｎ本のビームにおけるＬ本のビームの信号強度と、強度閾値情報と、Ｎ本のビームの識別情報と、Ｍ本のビームのランダムアクセスチャネル構成とに基づいて、アクセスするビームを決定する段階を含む。
【０００８】
可能な設計において、方法は、強度閾値情報を受信する段階をさらに含む。
【０００９】
可能な設計において、強度閾値情報は、第１のビーム信号の強度閾値又は強度閾値インジケーション情報を含み、強度閾値インジケーション情報は、第１のビーム信号の強度閾値と第２のビーム信号の強度閾値との間の関係を示すのに用いられ、第２のビーム信号の強度閾値は、測定構成情報に保持されたビーム信号の強度閾値である。
【００１０】
可能な設計において、Ｎ本のビームにおけるＬ本のビームの信号強度と、強度閾値情報と、Ｎ本のビームの識別情報と、Ｍ本のビームのランダムアクセスチャネル構成とに基づいて、アクセスするビームを決定する段階は、Ｎ本のビームにおけるＬ本のビームの信号強度と、強度閾値情報と、Ｎ本のビームの識別情報と、Ｍ本のビームのランダムアクセスチャネル構成とに基づいて、ターゲットセルにアクセスするビームとして、Ｍ本のビームから信号強度が第１のビーム信号の強度閾値より大きい又はそれに等しいビームを決定する段階を含む。従って、ターゲットセルにアクセスするためのものであり、かつ、端末によって決定されたビームは、ランダムアクセスチャネル構成及び高い信号強度を有する。このような方法で、端末によってターゲットセルにアクセスする成功率がより高くなる。
【００１１】
可能な設計において、Ｎ本のビームにおけるＬ本のビームの信号強度と、強度閾値情報と、Ｎ本のビームの識別情報と、Ｍ本のビームのランダムアクセスチャネル構成とに基づいて、アクセスするビームを決定する段階は、Ｍ本のビームのそれぞれの信号強度が第１のビーム信号の強度閾値より小さいとき、Ｍ本のビームから、Ｎ本のビームの識別情報及びＭ本のビームのランダムアクセスチャネル構成に基づいて、ターゲットセルにアクセスするビームを決定する段階を含む。従って、ターゲットセルにアクセスするためのものであり、かつ、端末によって決定されたビームは、ランダムアクセスチャネル構成を有する。このような方法で、端末によってターゲットセルにアクセスする成功率が高くなる。
【００１２】
可能な設計において、Ｎ本のビームにおけるＬ本のビームの信号強度と、強度閾値情報と、Ｎ本のビームの識別情報と、Ｍ本のビームのランダムアクセスチャネル構成とに基づいて、アクセスするビームを決定する段階は、Ｍ本のビームのそれぞれの信号強度が第１のビーム信号の強度閾値より小さいとき、Ｎ本のビームの識別子と、Ｌ本のビームの信号強度と、強度閾値情報とに基づいて、ターゲットセルにアクセスするビームとして、Ｌ本のビームから信号強度が第１のビーム信号の強度閾値より大きい又はそれに等しいビームを決定する段階を含む。従って、ターゲットセルにアクセスするためのものであり、かつ、端末によって決定されたビームは、Ｌ本のビームに属する。このような方法で、端末によってターゲットセルにアクセスする成功率が高くなる。
【００１３】
可能な設計において、Ｎ本のビームにおけるＬ本のビームの信号強度と、強度閾値情報と、Ｎ本のビームの識別情報と、Ｍ本のビームのランダムアクセスチャネル構成とに基づいて、アクセスするビームを決定する段階は、Ｌ本のビームの信号強度と、強度閾値情報と、Ｎ本のビームの識別情報と、Ｎ本のビームの優先順位と、Ｍ本のビームのランダムアクセスチャネル構成とに基づいて、ターゲットセルにアクセスするビームを決定する段階を含む。
【００１４】
可能な設計において、Ｎ本のビームにおけるＬ本のビームの信号強度と、Ｎ本のビームの識別情報と、Ｍ本のビームのランダムアクセスチャネル構成とに基づいて、アクセスするビームを決定する段階は、Ｍ本のビームのいずれも見つけられないとき、Ｎ本のビームの識別情報に基づいて、ターゲットセルにアクセスするビームとして、Ｌ本のビームにおいて最大信号強度を有するビームを決定する段階を含む。従って、端末は、ターゲットセルにアクセスするビームがＬ本のビームで最も強い信号を有することを決定する。このような方法で、端末によってターゲットセルにアクセスする成功率が高くなる。
【００１５】
可能な設計において、Ｎ本のビームの識別情報は、同期信号ブロックインジケーション情報及び／又はチャネル状態情報参照信号識別情報を含み、Ｎ本のビームにおけるＬ本のビームの信号強度と、Ｎ本のビームの識別情報と、Ｍ本のビームのランダムアクセスチャネル構成とに基づいて、アクセスするビームを決定する段階は、Ｎ本のビームにおけるＬ本のビームの信号強度と、強度閾値情報と、Ｎ本のビームの識別情報と、識別情報がチャネル状態情報参照信号識別情報であるビームの優先度が、識別情報が同期信号ブロックインジケーション情報であるビームの優先度より高いことと、Ｍ本のビームのランダムアクセスチャネル構成とに基づいて、アクセスするビームを決定する段階を含む。
【００１６】
可能な設計において、Ｎ本のビームのいずれも見つけられない、Ｌ本のビームの信号強度若しくはＭ本のビームのそれぞれの信号強度が第１のビーム信号の強度閾値より小さい、又はＭ本のビームのいずれも見つけられない場合、方法はさらに、アクセスするビームとして第１の見つけられたビームを決定する段階、アクセスするビームとして最大信号強度を有するビームを決定する段階、アクセスするビームとして見つけられたビームをランダムに決定する段階、又はアクセスするビームとして見つけられたビームにおいて最も高い優先度を有するビームを決定する段階を含む。従って、端末は、比較的フレキシブルな方式で、ターゲットセルにアクセスするビームを決定する。
【００１７】
可能な設計において、ランダムアクセスチャネル構成は、プリアンブルインデックス及び時間−周波数リソース構成を含む。
【００１８】
第２の態様によれば、本願の実施形態は、第１のネットワークデバイスが、第２のネットワークデバイスによって送信された、ターゲットセルのＮ本のビームの識別情報及びＮ本のビームにおけるＭ本のビームのランダムアクセスチャネル構成を受信する段階であって、Ｎ及びＭは正の整数である、段階と、第１のネットワークデバイスが、Ｎ本のビームの識別情報及びＭ本のビームのランダムアクセスチャネル構成を端末に送信する段階を含む通信方法を提供する。
【００１９】
可能な設計において、方法はさらに、第１のネットワークデバイスが、所定の期間内であって、かつ、端末によって送信された端末のサービングビーム変更情報を受信する段階と、第１のネットワークデバイスが、サービングビーム変更情報を第２のネットワークデバイスに送信する段階であって、サービングビーム変更情報は、第２のネットワークデバイスによって、Ｍ本のビームのランダムアクセスチャネル構成の有効期間を決定するのに用いられる、段階とを含む。
【００２０】
可能な設計において、方法はさらに、第１のネットワークデバイスが、所定の期間内であって、かつ、端末によって送信された端末のサービングビーム変更情報を受信する段階と、第１のネットワークデバイスが、サービングビーム変更情報に基づいて、Ｍ本のビームのランダムアクセスチャネル構成の有効期間を決定する段階と、第１のネットワークデバイスが、Ｍ本のビームのランダムアクセスチャネル構成の有効期間を第２のネットワークデバイスに送信する段階とを含む。
【００２１】
可能な設計において、ランダムアクセスチャネル構成は、プリアンブルインデックス及び時間−周波数リソース構成を含む。
【００２２】
可能な設計において、方法はさらに、ハンドオーバメッセージを通じて、第１のネットワークデバイスが、ビーム信号の強度閾値情報又は品質閾値情報を端末に送信する段階を含む。
【００２３】
第３の態様によれば、本願の実施形態は、第２のネットワークデバイスが、ターゲットセルのＮ本のビームの識別情報及びＮ本のビームにおけるＭ本のビームのランダムアクセスチャネル構成を第１のネットワークデバイスに送信する段階であって、Ｎ及びＭは正の整数である、段階を含む通信方法を提供する。
【００２４】
オプションで、方法はさらに、第２のネットワークデバイスが、所定の期間内であって、かつ、第１のネットワークデバイスによって送信された端末のサービングビーム変更情報を受信する段階と、第２のネットワークデバイスが、サービングビーム変更情報に基づいて、Ｍ本のビームのランダムアクセスチャネル構成の有効期間を決定する段階と、有効期間が終了したとき、第２のネットワークデバイスが、Ｍ本のビームのランダムアクセスチャネル構成をリリースする段階とを含む。
【００２５】
オプションで、方法はさらに、第２のネットワークデバイスが、第１のネットワークデバイスによって送信されたＭ本のビームのランダムアクセスチャネル構成の有効期間を受信する段階と、有効期間が終了したとき、第２のネットワークデバイスが、Ｍ本のビームのランダムアクセスチャネル構成をリリースする段階とを含む。
【００２６】
オプションで、方法はさらに、第２のネットワークデバイスが、システム情報を通じて、ビーム信号の強度閾値情報又は品質閾値情報を端末に送信する段階を含む。
【００２７】
第４の態様によれば、本願の実施形態は、ターゲットセルのＮ本のビームの識別情報及びＮ本のビームにおけるＭ本のビームのランダムアクセスチャネル構成を受信するよう構成される受信モジュールであって、Ｎ及びＭは正の整数である、受信モジュールと、Ｎ本のビームにおけるＬ本のビームの信号品質又は信号強度と、Ｎ本のビームの識別情報と、Ｍ本のビームのランダムアクセスチャネル構成とに基づいて、アクセスするビームを決定するよう構成される処理モジュールであって、Ｌは非負の整数である、処理モジュールとを含む通信装置を提供する。
【００２８】
可能な設計において、処理モジュールは、具体的には、Ｎ本のビームにおけるＬ本のビームの信号強度と、強度閾値情報と、Ｎ本のビームの識別情報と、Ｍ本のビームのランダムアクセスチャネル構成とに基づいて、アクセスするビームを決定するよう構成される。
【００２９】
可能な設計において、受信モジュールは、強度閾値情報を受信するようさらに構成される。
【００３０】
可能な設計において、強度閾値情報は、第１のビーム信号の強度閾値又は強度閾値インジケーション情報を含み、強度閾値インジケーション情報は、第１のビーム信号の強度閾値と第２のビーム信号の強度閾値との間の関係を示すのに用いられ、第２のビーム信号の強度閾値は、測定構成情報に保持されたビーム信号の強度閾値である。
【００３１】
可能な設計において、処理モジュールは、具体的には、Ｎ本のビームにおけるＬ本のビームの信号強度と、強度閾値情報と、Ｎ本のビームの識別情報と、Ｍ本のビームのランダムアクセスチャネル構成とに基づいて、ターゲットセルにアクセスするビームとして、Ｍ本のビームから信号強度が第１のビーム信号の強度閾値より大きい又はそれに等しいビームを決定するよう構成される。
【００３２】
可能な設計において、処理モジュールは、具体的には、Ｍ本のビームのそれぞれの信号強度が第１のビーム信号の強度閾値より小さいとき、Ｍ本のビームから、Ｎ本のビームの識別情報及びＭ本のビームのランダムアクセスチャネル構成に基づいて、ターゲットセルにアクセスするビームを決定するよう構成される。
【００３３】
可能な設計において、処理モジュールは、具体的には、Ｍ本のビームのそれぞれの信号強度が第１のビーム信号の強度閾値より小さいとき、Ｎ本のビームの識別子と、Ｌ本のビームの信号強度と、強度閾値情報とに基づいて、ターゲットセルにアクセスするビームとして、Ｌ本のビームから信号強度が第１のビーム信号の強度閾値より大きい又はそれに等しいビームを決定するよう構成される。
【００３４】
可能な設計において、処理モジュールは、具体的には、Ｌ本のビームの信号強度と、強度閾値情報と、Ｎ本のビームの識別情報と、Ｎ本のビームの優先順位と、Ｍ本のビームのランダムアクセスチャネル構成とに基づいて、ターゲットセルにアクセスするビームを決定するよう構成される。
【００３５】
可能な設計において、処理モジュールは、具体的には、Ｍ本のビームのいずれも見つけられないとき、Ｎ本のビームの識別情報に基づいて、ターゲットセルにアクセスするビームとして、Ｌ本のビームにおいて最大信号強度を有するビームを決定するよう構成される。
【００３６】
可能な設計において、Ｎ本のビームの識別情報は、同期信号ブロックインジケーション情報及び／又はチャネル状態情報参照信号識別情報を含み、処理モジュールは、具体的には、Ｎ本のビームにおけるＬ本のビームの信号強度と、強度閾値情報と、Ｎ本のビームの識別情報と、識別情報がチャネル状態情報参照信号識別情報であるビームの優先度が、識別情報が同期信号ブロックインジケーション情報であるビームの優先度より高いことと、Ｍ本のビームのランダムアクセスチャネル構成とに基づいて、アクセスするビームを決定するよう構成される。
【００３７】
可能な設計において、処理モジュールは、Ｎ本のビームのいずれも見つけられない、Ｌ本のビームの信号強度若しくはＭ本のビームのそれぞれの信号強度が第１のビーム信号の強度閾値より小さい、又はＭ本のビームのいずれも見つけられない場合、アクセスするビームとして第１の見つけられたビームを決定し、アクセスするビームとして最大信号強度を有するビームを決定し、アクセスするビームとして見つけられたビームをランダムに決定し、又はアクセスするビームとして見つけられたビームにおいて最も高い優先度を有するビームを決定するようさらに構成される。
【００３８】
可能な設計において、ランダムアクセスチャネル構成は、プリアンブルインデックス及び時間−周波数リソース構成を含む。
【００３９】
第４の態様における通信装置が、端末であってよく、又は端末の内部のチップであってよいことに留意されたい。
【００４０】
第５の態様によれば、本願の実施形態は、第２のネットワークデバイスによって送信された、ターゲットセルのＮ本のビームの識別情報及びＮ本のビームにおけるＭ本のビームのランダムアクセスチャネル構成を受信するよう構成される受信モジュールであって、Ｎ及びＭは正の整数である、受信モジュールと、Ｎ本のビームの識別情報及びＭ本のビームのランダムアクセスチャネル構成を端末に送信するよう構成される送信モジュールとを含む通信装置を提供する。
【００４１】
可能な設計において、受信モジュールは、所定の期間内であって、かつ、端末によって送信された、端末のサービングビーム変更情報を受信するようさらに構成され、送信モジュールは、サービングビーム変更情報を第２のネットワークデバイスに送信するようさらに構成され、サービングビーム変更情報は、第２のネットワークデバイスによって、Ｍ本のビームのランダムアクセスチャネル構成の有効期間を決定するのに用いられる。
【００４２】
可能な設計において、通信装置は、処理モジュールをさらに含み、受信モジュールは、所定の期間内であって、かつ、端末によって送信された、端末のサービングビーム変更情報を受信するようさらに構成され、処理モジュールは、サービングビーム変更情報に基づいて、Ｍ本のビームのランダムアクセスチャネル構成の有効期間を決定するよう構成され、送信モジュールは、Ｍ本のビームのランダムアクセスチャネル構成の有効期間を第２のネットワークデバイスに送信するようさらに構成される。
【００４３】
可能な設計において、ランダムアクセスチャネル構成は、プリアンブルインデックス及び時間−周波数リソース構成を含み、送信モジュールは、ハンドオーバメッセージを通じて、ビーム信号の強度閾値情報又は品質閾値情報を端末に送信するようさらに構成される。
【００４４】
第５の態様における通信装置が、ネットワークデバイスであってよく、又はネットワークデバイスの内部のチップであってよいことに留意されたい。
【００４５】
第６の態様によれば、本願の実施形態は、ターゲットセルのＮ本のビームの識別情報及びＮ本のビームにおけるＭ本のビームのランダムアクセスチャネル構成を第１のネットワークデバイスに送信するよう構成される送信モジュールであって、Ｎ及びＭは正の整数である、送信モジュールを含む通信装置を提供する。
【００４６】
可能な設計において、ネットワークデバイスは、受信モジュール及び処理モジュールをさらに含み、受信モジュールは、所定の期間内であって、かつ、第１のネットワークデバイスによって送信された端末のサービングビーム変更情報を受信するよう構成され、処理モジュールは、サービングビーム変更情報に基づいて、Ｍ本のビームのランダムアクセスチャネル構成の有効期間を決定し、有効期間が終了した後、Ｍ本のビームのランダムアクセスチャネル構成をリリースするよう構成される。
【００４７】
可能な設計において、ネットワークデバイスは、受信モジュール及び処理モジュールをさらに含み、受信モジュールは、第１のネットワークデバイスによって送信されたＭ本のビームのランダムアクセスチャネル構成の有効期間を受信するよう構成され、処理モジュールは、有効期間が終了した後、Ｍ本のビームのランダムアクセスチャネル構成をリリースするよう構成される。
【００４８】
可能な設計において、送信モジュールは、システム情報を通じて、ビーム信号の強度閾値情報又は品質閾値情報を端末に送信するようさらに構成される。
【００４９】
第６の態様における通信装置が、ネットワークデバイスであってよく、又はネットワークデバイスの内部のチップであってよいことに留意されたい。
【００５０】
第７の態様によれば、本願の実施形態は、プロセッサ及びトランシーバーを含む端末を提供する。プロセッサ及びトランシーバーは、第１の態様における本願の実施形態のいずれか１つによる通信方法を実行するよう構成される。
【００５１】
第８の態様によれば、本願の実施形態は、プロセッサ及びトランシーバーを含むネットワークデバイスを提供する。プロセッサ及びトランシーバーは、第２の態様における本願の実施形態のいずれか１つによる通信方法を実行するよう構成される。
【００５２】
第９の態様によれば、本願の実施形態は、プロセッサ及びトランシーバーを含むネットワークデバイスを提供する。プロセッサ及びトランシーバーは、第３の態様における本願の実施形態のいずれか１つによる通信方法を実行するよう構成される。
【００５３】
第１０の態様によれば、本願の実施形態は、コンピュータ可読記憶媒体を提供する。記憶媒体の命令が通信装置のプロセッサによって実行されると、通信装置は、第１の態様における本願の実施形態による通信方法を実行し得る。
【００５４】
第１１の態様によれば、本願の実施形態は、コンピュータ可読記憶媒体を提供する。記憶媒体の命令が通信装置のプロセッサによって実行されると、通信装置は、第２の態様における本願の実施形態による通信方法を実行し得る。
【００５５】
第１２の態様によれば、本願の実施形態は、コンピュータ可読記憶媒体を提供する。記憶媒体の命令が通信装置のプロセッサによって実行されると、通信装置は、第３の態様における本願の実施形態による通信方法を実行し得る。
【００５６】
本願の実施形態における通信方法及び通信装置によれば、端末は、Ｎ本のビームの識別情報及びＮ本のビームにおけるＭ本のビームのランダムアクセスチャネル構成を受信し、端末は、Ｎ本のビームにおけるＬ本のビームの信号品質又は信号強度と、Ｎ本のビームの識別情報と、Ｍ本のビームのランダムアクセスチャネル構成とに基づいてアクセスするビームを決定し、アクセスする適切なビームを提供して、解決手段を決定する。さらに実施形態におけるアクセスするビームが、Ｎ本のビームにおけるＬ本のビームの信号品質又は信号強度、及びＭ本のビームの受信されたランダムアクセスチャネル構成に基づいて、端末によって決定される。従って、このように決定されたアクセスするビームは、端末のアクセス成功率を高め得る。
【図面の簡単な説明】
【００５７】
【図１】本願の実施形態による通信システムの概略図である。
【図２】本願の実施形態１による通信方法のフローチャートである。
【図３】本願の実施形態２による通信方法のフローチャートである。
【図４】本願の実施形態３による通信方法のフローチャートである。
【図５】本願の実施形態による通信装置の概略構造図である。
【図６】本願の実施形態による端末の概略構造図である。
【図７】本願の実施形態による通信装置の概略構造図である。
【図８】本願の実施形態によるネットワークデバイスの概略構造図である。
【図９】本願の実施形態による通信装置の概略構造図である。
【図１０】本願の実施形態によるネットワークデバイスの概略構造図である。
【発明を実施するための形態】
【００５８】
図１は、本願の実施形態による通信システムの概略図である。図１に示されるように、通信システムは、少なくとも２つのネットワークデバイス及び少なくとも１つの端末を含む。少なくとも２つのネットワークデバイスは、本願の以下の実施形態で提供される技術的解決手段を用いることによって、少なくとも１つの端末と通信する。図１は、１つの端末及び２つのネットワークデバイス、第１のネットワークデバイス及び第２のネットワークデバイスを示す。
【００５９】
当業者がより理解することを助けるべく、本願におけるいくつかの用語が以下で説明される。
【００６０】
無線アクセスネットワーク（Ｒａｄｉｏ  Ａｃｃｅｓｓ  Ｎｅｔｗｏｒｋ、ＲＡＮ）デバイスとも称されるネットワークデバイスは、端末を無線ネットワークに接続するデバイスであり、ロングタームエボリューション（ＬＴＥ）における進化型ＮｏｄｅＢ（ｅＮＢ若しくはｅＮｏｄｅＢ）、中継ノード、アクセスポイント、又は５ＧネットワークにおけるｇＮＢ、例えば、伝送及び受信ポイント（ＴＲＰ）若しくはコントローラであり得る。これは、本明細書で限定されない。
【００６１】
端末は、無線又は有線端末であり得る。無線端末は、無線送受信機能を有するデバイスであってよい。屋内端末若しくは屋外端末、携帯情報端末、若しくは車載端末を含む無線端末は、陸上に配置されてよく、水上に（例えば、汽船に）配置されてよく、又は上空に（例えば、航空機、気球、若しくは衛星に）配置されてよい。端末は、携帯電話、タブレットコンピュータ（パッド）、無線送受信機能を有するコンピュータ、仮想現実（ＶＲ）端末、拡張現実（ＡＲ）端末、産業用制御における無線端末、自動運転における無線端末、遠隔医療における無線端末、スマートグリッドにおける無線端末、輸送安全性における無線端末、スマートシティにおける無線端末、スマートホームにおける無線端末、又は同様のものであり得る。これは、本明細書で限定されない。
【００６２】
本願の本実施形態において、ビームは、伝送ビーム及び受信ビームを含み得る。伝送ビームは、信号がアンテナを通じて伝送された後、異なる空間方向で形成される信号強度分布であってよく、受信ビームは、無線信号がアンテナを通じて受信された後、異なる空間方向で形成される信号強度分布であってよい。１つのビームに対する１又は複数のアンテナポートがアンテナポートセットとみなされてもよいことが理解され得る。言い換えれば、１つのアンテナポートセットは、少なくとも１つのアンテナポートを含む。
【００６３】
具体的には、ビームは、特定のエネルギー伝送の指向性を有するプリコーディングベクトルを指してよく、プリコーディングベクトルが、識別情報を用いることによって識別され得る。エネルギー伝送の指向性は、プリコーディングベクトルを用いることによるプリコーディング処理を実行することによって取得される信号が、例えば、受信電力が受信復調信号対雑音比を満たす、特定の空間配置における比較的高い受信電力で受信されるが、プリコーディングベクトルを用いることによるプリコーディング処理を実行することによって取得される信号が、例えば、受信電力が受信復調信号対雑音比を満たさない、他の空間配置における比較的低い電力で受信されることを意味する。異なる通信デバイスは、異なるプリコーディングベクトルを有してよく、すなわち、異なるビームに対応している。１つの通信デバイスは、通信デバイスの構成又は性能に基づいて、同一の時間ポイントで複数の異なるプリコーディングベクトルのうちの１又は複数を用いてよい、すなわち１又は複数のビームが同時に形成されてよい。ビームが空間リソースとして理解され得る。ビームが識別情報を用いることによって識別され得る。オプションで、識別情報は、ユーザ装置の構成された対応するリソース識別子（ＩＤ）に対応していてもよい。例えば、識別情報は、チャネル状態情報参照信号（ＣＳＩ−ＲＳ）の構成されたＩＤ若しくはリソースに対応していてもよく、又は、アップリンクサウンディング参照信号（ＳＲＳ）の構成されたＩＤ若しくはリソースに対応していてもよい。代替的に、オプションで、識別情報は、ビームで搬送される信号又はチャネルで明確に又は暗黙のうちに搬送される識別情報であり得る。例えば、識別情報は、ビームを用いることによって送信される同期信号又はブロードキャストチャネルによって示されるビームの識別情報、ビームを用いることによって送信される同期信号ブロック（ＳＳ  ｂｌｏｃｋ）によって示されるビームの識別情報を含むがこれに限定されない。ＳＳブロックは、プライマリ同期信号（ＰＳＳ）及び／又はセカンダリ同期信号（ＳＳＳ）及び／又はブロードキャストチャネル（ＰＢＣＨ）を少なくとも含む。
【００６４】
以下の方法の実施形態では、第１のネットワークデバイスがソース基地局であり、第２のネットワークデバイスがターゲット基地局である例を用いることによって説明が提供されることに留意されたい。
【００６５】
図２は、本願の実施形態１による通信方法のフローチャートである。図２に示されるように、本実施形態における方法は、以下の段階を含み得る。
【００６６】
Ｓ１０１．ターゲット基地局は、ターゲットセルのＮ本のビームの識別情報及びＮ本のビームにおけるＭ本のビームのランダムアクセスチャネル（ＲＡＣＨ）構成をソース基地局に送信する。
【００６７】
本実施形態において、ターゲット基地局は、承認制御を実行し、端末がサービングセルからターゲットセルにハンドオーバされることを可能する。その後、ターゲット基地局は、ターゲットセルのＮ本のビームの識別情報及びＮ本のビームにおけるＭ本のビームのＲＡＣＨ構成をソース基地局に送信する。ＲＡＣＨ構成は、ＳＳブロックに対応していてもよく、又はＣＳＩ−ＲＳに対応していてもよい。Ｎ及びＭは正の整数である。さらに、代替的に、ターゲット基地局は、ターゲットセルのセル識別子をソース基地局に送信し得る。
【００６８】
オプションで、ターゲット基地局が段階Ｓ１０１で説明される情報をソース基地局に送信する前に、ターゲット基地局は、ソース基地局によって送信されたハンドオーバ要求メッセージを受信し得る。これは、本実施形態で限定されない。
【００６９】
Ｎ本のビームの識別情報及びＭ本のビームのＲＡＣＨ構成が、ターゲット基地局によってソース基地局に送信された同一のメッセージ又は異なるメッセージに含まれ得る。代替的に、ターゲット基地局は、同一の時間ポイント又は異なる時間ポイントでＮ本のビームの識別情報及びＭ本のビームのＲＡＣＨ構成をソース基地局に送信し得る。
【００７０】
オプションで、Ｎ本のビームの識別情報及びＭ本のビームのＲＡＣＨ構成が、ターゲット基地局によってソース基地局に送信されたハンドオーバ要求確認メッセージに含まれ得る。
【００７１】
Ｓ１０２．ソース基地局は、ターゲットセルのＮ本のビームの識別情報及びＮ本のビームにおけるＭ本のビームのＲＡＣＨ構成を端末に送信する。
【００７２】
本実施形態において、ターゲット基地局によって送信された、Ｎ本のビームの識別情報及びＮ本のビームにおけるＭ本のビームのＲＡＣＨ構成を受信した後、ソース基地局は、Ｎ本のビームの識別情報及びＮ本のビームにおけるＭ本のビームのＲＡＣＨ構成を端末に送信する。
【００７３】
Ｎ本のビームの識別情報及びＭ本のビームのＲＡＣＨ構成が、ソース基地局によって端末に送信された同一のメッセージ又は異なるメッセージに含まれ得る。代替的に、ソース基地局は、同一の時間ポイント又は異なる時間ポイントでＮ本のビームの識別情報及びＭ本のビームのＲＡＣＨ構成を端末に送信し得る。
【００７４】
オプションで、Ｎ本のビームの識別情報及びＮ本のビームにおけるＭ本のビームのＲＡＣＨ構成が、ソース基地局によって端末に送信されたハンドオーバメッセージに含まれ得る。ハンドオーバメッセージは、モビリティ制御情報情報要素を保持する無線リソース制御（ＲＲＣ）接続再構成メッセージ、又はＲＲＣ接続再構成メッセージ、レイヤ１のシグナリング、若しくはレイヤ２のシグナリングと異なる他のＲＲＣメッセージのような、他のメッセージであり得る。
【００７５】
Ｓ１０３．端末は、Ｎ本のビームにおけるＬ本のビームの信号品質又は信号強度と、Ｎ本のビームの識別情報と、Ｍ本のビームのＲＡＣＨ構成とに少なくとも基づいて、アクセスするビームを決定する。
【００７６】
本実施形態において、端末は、Ｌ本のビームの信号品質又は信号強度と、Ｎ本のビームの識別情報と、Ｍ本のビームのＲＡＣＨ構成とに基づいて、アクセスするビームを決定する。アクセスするビームを決定した後、端末は、そのビームを用いてそのビームが属するターゲットセルにアクセスする。
【００７７】
端末が少なくとも１つの見つけられたビームを測定し、ビームの信号品質又は信号強度を取得することが理解され得る。見つけられたビームは、ターゲットセルのＮ本のビームに限定されない。言い換えれば、ターゲットセル以外のセルのビームも、見つけられ得る。加えて、Ｎ本のビームのそれぞれが測定される必要がある、という限定は存在しない。
【００７８】
オプションで、ある場合において、本明細書のＬは、代替的に、信号品質又は信号強度が検出されたビームの数とみなされ得る。
【００７９】
本明細書では、Ｍ本のビーム及びＬ本のビームは、インタセクションを有してよく、又はインタセクション有していなくてよい。これは、本願の本実施形態に限定されない。
【００８０】
ビームの信号品質は、ビームの第１の信号受信品質であり得る。ビームの信号強度は、ビームの第１の信号受信電力であり得る。第１の信号は、同期信号及び／又は参照信号を含む。
【００８１】
本実施形態において、ソース基地局は、Ｎ本のビームの識別情報及びＮ本のビームにおけるＭ本のビームのＲＡＣＨ構成を端末に送信し、その後、端末は、Ｎ本のビームにおけるＬ本のビームの信号品質又は信号強度と、Ｎ本のビームの識別情報と、Ｍ本のビームのＲＡＣＨ構成とに基づいて、アクセスするビームを決定する。従って、本実施形態は、アクセスする適切なビームを提供して、解決手段を決定する。さらに、本実施形態におけるアクセスするビームが、Ｎ本のビームにおけるＬ本のビームの信号品質又は信号強度及びＭ本のビームの受信されたＲＡＣＨ構成に基づいて、端末によって決定される。従って、このように決定されたアクセスするビームは、端末によるセルへのアクセスの成功率を高め、ハンドオーバ成功率を高める。
【００８２】
以下では、例としてビームの信号強度を用いることによって、アクセスするビームを決定する方法を説明する。信号品質のソリューションは、信号強度のソリューションと同様であり、詳細は実施形態で説明されない。
【００８３】
図３は、本願の実施形態２による通信方法のフローチャートである。図３に示されるように、本実施形態における方法は、以下の段階を含み得る。
【００８４】
Ｓ２０１．端末は、測定レポートをソース基地局に送信する。
【００８５】
オプションで、測定レポートをソース基地局に送信する前に、端末は、ソース基地局によって送信された測定構成情報を受信し、構成情報に基づいて、サービングセル及び隣接セルの測定を実行する。
【００８６】
可能な実施例において、構成情報は、サービングセル及び隣接セルのビームを測定するよう端末を構成するのに用いられる。構成情報は、ビームの数Ｋ及び略してＸであるビーム信号の強度閾値を含むがこれに限定されない。端末は、信号強度がＸより大きい又はこれに等しいＫ本のビームの信号強度に基づいて、サービングセルの信号強度及び隣接セルの信号強度を決定する。サービングセルの決定された信号強度及び隣接セルの決定された信号強度が、対応する測定イベント決定条件、例えば、イベントＡ３、イベントＡ４、イベントＡ５、又はＬＴＥにおける他の測定イベントの決定条件、を満たすとき、端末は、測定レポートを送信する。測定レポートは、少なくとも１つの隣接セルの信号強度、及び／又は、それぞれの隣接セルのＫ本のビームの信号強度、サービングセルの識別情報、並びに少なくとも１つの隣接セルの識別情報を含む。サービングセルの識別情報及び少なくとも１つの隣接セルの識別情報は、セルＩＤ又はセルインデックスを含む。オプションで、測定レポートは、代替的に、隣接セルの信号強度を生成するのに用いられるＫ本のビームの識別情報、又は隣接セルの信号強度を生成するのに用いられるＫ本のビームの信号強度を含み得る。
【００８７】
隣接セルが図２に示される実施形態におけるターゲットセルを含むことが理解され得る。代替的に、構成情報は、ビームの数又はビーム信号の強度閾値情報を保持しなくてよい。この場合、端末は、セルの信号強度を測定する。
【００８８】
オプションで、ＳＳブロック及びＣＳＩ−ＲＳは、参照信号であり、ビームで伝送される。具体的には、測定構成情報が、ビームで伝送されるＳＳブロック及び／又はＣＳＩ−ＲＳを測定するよう端末を構成するのに用いられる。それに応じて、ビームの信号強度は、ビームのＳＳブロックの信号強度及び／又はビームのＣＳＩ−ＲＳの信号強度を含む。信号強度がＳＳブロックを測定することによって取得されたビームの数は、信号強度がＣＳＩ−ＲＳを測定することによって取得されたビームの数と同一又は異なり得る。それに応じて、測定構成情報に対応するビーム信号の強度閾値は、ＳＳブロックビーム信号の強度閾値及び／又はＣＳＩ−ＲＳビーム信号の強度閾値を含み得る。言い換えれば、ＸはＸ１及びＸ２を含み、ここで、Ｘ１はＳＳブロックビーム信号の強度閾値に対応しており、Ｘ２はＣＳＩ−ＲＳビーム信号の強度閾値に対応しており、Ｘ１はＸ２に等しくてよく、又はＸ１はＸ２に等しくなくてよい。
【００８９】
本実施形態におけるビームの識別情報は、ビームで伝送されたＳＳブロックの識別情報、及び／又はビームで伝送されたＣＳＩ−ＲＳの識別情報であり得る。
【００９０】
ＳＳブロックが、ワイドビームで伝送される。ビームが、ＳＳブロックの識別情報を用いることによって識別され得る。例えば、ＳＳブロックの識別情報は、ＳＳブロックにおけるＰＢＣＨで（暗黙のうちに又は明確に）保持される時間インデックスインジケーションであり得る。
【００９１】
ＣＳＩ−ＲＳが、ナロービームで伝送される。ビームがＣＳＩ−ＲＳの識別情報を用いることによって識別され得る。例えば、ＣＳＩ−ＲＳの識別情報は、ＣＳＩ−ＲＳ構成の識別子であり得る。ＣＳＩ−ＲＳ構成は、少なくともリソース構成を含む。ＣＳＩ−ＲＳ構成は、さらに、ＣＳＩ−ＲＳを送信するのに用いられるアンテナポート等を含み得る。
【００９２】
オプションで、測定レポートは、隣接セルの少なくとも１つのビームに関する情報（本明細書でビームに関する情報は、ビームの信号強度及び／又はビームの識別情報であり得る）を含み得る。少なくとも１つのビームに関する情報は、リストの形態で測定レポートに含まれ得る。例えば、それぞれの隣接セルのビームのビーム識別子が、信号強度に基づいて配列される。少なくとも１つのビームに関する情報が、ターゲット基地局によってＲＡＣＨ構成で構成されたビーム（すなわち、Ｍ本のビーム）を決定するのに用いられ得る。
【００９３】
端末は、例えば、以下の３つの方式で、測定レポートにおける隣接セルのビームに関するレポート情報を決定し得る。これは、本実施形態で限定されない。
【００９４】
１つの方式において、ＣＳＩ−ＲＳが測定される場合、ＣＳＩ−ＲＳリソースがソース基地局によって測定構成メッセージで端末に対して構成されるので、Ｗ個のＣＳＩ−ＲＳリソースが測定構成メッセージで構成される場合、端末は、Ｗ個のＣＳＩ−ＲＳリソースに対応するビームに関する情報、すなわち、Ｗ個のＣＳＩ−ＲＳリソースのそれぞれに対応するビームに関する情報をレポートする。
【００９５】
他の態様において、端末によって受信された測定構成メッセージは、閾値を含む。閾値Ｑは、Ｘに等しくない。閾値が、ビームに関する情報がレポートされる必要があるかどうかを端末が決定するのに用いられる。すなわち、端末によって測定された隣接セルのビームの信号強度が閾値より高い（閾値より低くない）場合、端末は、測定レポートでビームに関する情報をレポートする。
【００９６】
他の態様において、オプションで、端末は、値Ｐに基づいて、Ｐ本のビームの最大値に関する情報をレポートし、又は、閾値Ｑに基づいて、信号品質又は信号強度がＱより高いＰ本のビームの最大値に関する情報をレポートしてよい。値Ｐは予め設定された最大値Ｐであってよく、又はソース基地局によって端末に送信された測定構成メッセージに含まれてよい。
【００９７】
測定レポートのレポート方式及び測定構成情報のコンテンツが本願の本実施形態から独立してよく、すなわち、本願の本実施形態と異なる他の解決手段に適用されてよいことが理解され得る。
【００９８】
Ｓ２０２．ソース基地局は、ハンドオーバ要求メッセージをターゲット基地局に送信する。
【００９９】
本実施形態において、ソース基地局は、端末によって送信された測定レポートを受信し、測定レポートに基づいて、ハンドオーバ決定を実行する。ソース基地局は、ハンドオーバ要求メッセージをターゲットセルが属するターゲット基地局に送信し得る。ここで、複数のレポートされた隣接セルのうち最大信号強度を有する隣接セルがターゲットセルとして用いられてよく、ハンドオーバ要求メッセージは、ターゲットセルの識別子を含んでよい。
【０１００】
オプションで、ハンドオーバ要求メッセージは、（ビームの信号強度及び／又はビームの識別情報を含む）ターゲットセルの少なくとも１つのビームに関する情報をさらに含み得る。
【０１０１】
オプションで、ソース基地局は、測定レポートにおける複数の隣接セルの信号強度に基づいて、ハンドオーバ要求メッセージを複数の隣接セルのそれぞれに送信し得る。これは、ターゲット基地局が、端末がターゲットセルにハンドオーバされることを可能にしないとき、他の隣接セルが属する基地局が、ハンドオーバ要求メッセージに基づいて、端末が他の隣接セルにハンドオーバされることを可能にできることを保証し得る。
【０１０２】
ソース基地局は、代替的に、端末によって送信された測定レポートに基づいて、ハンドオーバ要求メッセージをターゲット基地局に送信してよいが、これに限定されない。例えば、ソース基地局は、代替的に、現在のネットワークステータス又は同様のものに基づいて、ハンドオーバ要求メッセージをターゲット基地局に送信する。
【０１０３】
ハンドオーバ要求メッセージが説明の例として用いられることが理解され得る。対応するハンドオーバ準備インタラクションが、代替的に、他のメッセージを通じて完了されてよく、そのようなタイプのメッセージが、第１のメッセージと称されてよい。
【０１０４】
Ｓ２０３．ターゲット基地局は、ハンドオーバ要求確認メッセージをソース基地局に送信する。
【０１０５】
本実施形態において、ターゲット基地局は、ハンドオーバ要求メッセージに基づいて承認制御を実行した後、ハンドオーバ要求確認メッセージでソース基地局に応答する。ハンドオーバ要求確認メッセージは、ターゲットセルのＮ本のビームの識別情報及びＮ本のビームにおけるＭ本のビームのＲＡＣＨ構成を含む。
【０１０６】
ハンドオーバ要求確認メッセージが説明の例として用いられることが理解され得る。対応するハンドオーバ準備インタラクションが、代替的に、他のメッセージを通じて完了されてよく、そのようなタイプのメッセージが、第２のメッセージと称されてよい。第２のメッセージは、第１のメッセージの確認メッセージである。
【０１０７】
Ｓ２０４．ソース基地局は、ハンドオーバメッセージを端末に送信する。
【０１０８】
本実施形態において、ハンドオーバ要求確認メッセージを受信した後、ソース基地局は、ハンドオーバメッセージを端末に送信する。ハンドオーバメッセージは、ターゲットセルのＮ本のビームの識別情報及びＭ本のビームのＲＡＣＨ構成を含む。
【０１０９】
ハンドオーバメッセージが説明の例として用いられることが理解され得る。対応するハンドオーバインジケーションが、代替的に、他のメッセージを通じて完了されてよく、そのようなタイプのメッセージが、第３のメッセージと称されてよい。
【０１１０】
オプションで、Ｎ本のビームの識別情報がリストの形式で送信され得る。もちろん、Ｎ本のビームの識別情報が、代替的に、他の形式で送信され得る。これは、本実施形態で限定されない。
【０１１１】
ハンドオーバメッセージが対応する優先度情報をさらに保持してよいこと、及び優先度情報が異なる方式で通知されてよいことが理解され得、例は以下のようである。
【０１１２】
第１の方式において、Ｎ本のビームの識別情報がリストの形式で送信される。リストは優先順位を有し、すなわち、ビーム順序及びビーム優先度がリストにバインドされる。例えば、リストにおける第１のビームの識別情報について、ビームは最も高い優先度を有し、ビームが優先順位に基づいてシーケンシャルに配列される。２本のビームの識別情報が例として用いられる。リストが｛ビーム２の識別情報，ビーム１の識別情報｝である場合、ビーム２の優先度がビーム１の優先度より高い。
【０１１３】
第２の方式において、Ｎ本のビームの識別情報がリストの形式で送信される。リストは、ビームに対応する優先度情報をさらに含む。優先度情報がビーム優先度を示すのに用いられる。２本のビームが例として用いられる。２本のビームがリストの形式で送信される。リストは優先順位を有していないが、リストはビームの優先度情報を含む。リストが｛ビーム１の識別情報及び優先度情報＝２，ビーム２の識別情報及び優先度情報＝１｝である場合、それは、ビーム２の優先度がビーム１の優先度より高いことを示す。
【０１１４】
Ｓ２０５．端末は、Ｎ本のビームにおけるＬ本のビームの信号強度と、強度閾値情報と、Ｎ本のビームの識別情報と、Ｍ本のビームのＲＡＣＨ構成とに基づいて、アクセスするビームを決定する。
【０１１５】
強度閾値情報が事前に規定されてよく、又は端末によって受信されてよい。
【０１１６】
ターゲットセルにアクセスするビームが信号品質に基づいて決定される場合、対応する品質閾値情報が用いられることが理解され得る。
【０１１７】
端末は、ソース基地局によって送信された強度閾値情報を受信し得る。例えば、強度閾値情報が、ソース基地局によって端末に送信されたハンドオーバメッセージに含まれる。ある方式において、強度閾値情報が、ハンドオーバメッセージに含まれる。代替的に、オプションで、最小のシステム情報（ｍｉｎｉｍｕｍ  ＳＩ）がハンドオーバメッセージに保持され、強度閾値情報がハンドオーバメッセージにおける最小のシステム情報（ｍｉｎｉｍｕｍ  ＳＩ）に含まれる。強度閾値情報がソース基地局によって決定されてよく、又は強度閾値情報がターゲット基地局によって送信されて、ソース基地局に受信されてよい。例えば、強度閾値情報が、ターゲット基地局によってソース基地局に送信されたハンドオーバ要求確認メッセージに含まれる。
【０１１８】
端末は、ターゲット基地局によって送信された強度閾値情報を受信し得る。例えば、強度閾値情報が、ターゲット基地局によってターゲットセルを用いることによりブロードキャストされるシステム情報（ＳＩ）に含まれる。ＳＩは、最小のシステム情報（ｍｉｎｉｍｕｍ  ＳＩ）及び最小のシステム情報と異なる他のシステム情報（ｏｔｈｅｒ  ＳＩ）を含み得る。強度閾値情報が、ＳＩにおける最小ＳＩに含まれてよく、又はＯＳＩに含まれてよい。
【０１１９】
強度閾値情報は、第１のビーム信号の強度閾値及び／又は強度閾値インジケーション情報を含み、強度閾値インジケーション情報は、第１のビーム信号の強度閾値と第２のビーム信号の強度閾値との間の関係を示すのに用いられ、第２のビーム信号の強度閾値は測定構成メッセージに保持されるビーム信号の強度閾値、すなわち、上述のＸである。
【０１２０】
本実施形態において、ハンドオーバメッセージを受信した後、端末は強度閾値情報に基づいて第１のビーム信号の強度閾値を決定し、Ｎ本のビームの識別情報に基づいてＮ本のビームにおけるＬ本のビームの信号強度を第１のビーム信号の強度閾値と比較し、Ｎ本のビームにおけるＭ本のビームのＲＡＣＨ構成に基づいてターゲットセルにアクセスするビームを決定する。
【０１２１】
以下では、例として第１のビーム信号の強度閾値Ｙを用いることによって説明を提供する。
【０１２２】
強度閾値インジケーション情報は、ＸとＹとの間の関係を示し得、例えば、ＸがＹに等しいかどうかを示す。強度閾値インジケーション情報はバイナリビット値であり得る。例えば、「０」は、ＸがＹに等しくないことを示し、「１」は、ＸがＹに等しいことを示す。逆もまた同様である。代替的に、強度閾値インジケーション情報はブール値である。「真」は、ＸがＹに等しいことを示し、「偽」は、ＸがＹに等しくないことを示す。逆もまた同様である。代替的に、強度閾値インジケーション情報は情報要素である。情報要素が保持されるとき、それは、ＸがＹに等しくないことを示し、情報要素が保持されないとき、それは、ＸがＹに等しいことを示す。逆もまた同様である。
【０１２３】
ＸがＹに等しい場合、オプションで、強度閾値情報は値Ｙを保持しなくてよく、強度閾値インジケーション情報に示された「ＸがＹに等しい」ことを解析した後、端末は、値Ｘに基づいて、ターゲットセルにアクセスするビームを決定する。オプションで、ＸがＹに等しくない場合、強度閾値情報は値Ｙを保持する。オプションで、強度閾値情報は、強度閾値インジケーション情報を保持しなくてよい。
【０１２４】
オプションで、Ｎ本のビームの識別情報がビームで伝送されたＳＳブロックの識別情報及び／又はビームで伝送されたＣＳＩ−ＲＳの識別情報を含むとき、強度閾値インジケーション情報は、ＳＳブロック強度閾値インジケーション情報及びＣＳＩ−ＲＳ強度閾値インジケーション情報であり得る。第１のビーム信号の強度閾値（Ｙ）は、第１のＳＳブロックビーム信号の強度閾値（Ｙ１）及び第１のＣＳＩ−ＲＳビーム信号の強度閾値（Ｙ２）を含む。
【０１２５】
オプションで、強度閾値情報は、第１のインジケーション情報をさらに含む。第１のインジケーション情報がＹ１とＹ２との間の関係、例えば、Ｙ１がＹ２に等しいかどうかを示すのに用いられる。第１のインジケーション情報は、バイナリビット値であり得る。例えば、「０」は、Ｙ１がＹ２に等しくないことを示し、「１」は、Ｙ１がＹ２に等しいことを示す。逆もまた同様である。代替的に、第１のインジケーション情報はブール値である。「真」は、Ｙ１がＹ２に等しいことを示し、「偽」は、Ｙ１がＹ２に等しくないことを示す。逆もまた同様である。代替的に、第１のインジケーション情報は、情報要素である。情報要素が保持されるとき、それは、Ｙ１がＹ２に等しくないことを示し、情報要素が保持されないとき、それは、Ｙ１がＹ２に等しいことを示す。逆もまた同様である。
【０１２６】
閾値Ｙ１が閾値Ｙ２に等しい場合、オプションで、強度閾値情報は閾値、具体的には、Ｙ１及びＹ２の両方がＹである閾値Ｙを保持し得る。強度閾値情報が閾値Ｙを保持するので、第１のインジケーション情報によって示された「Ｙ１がＹ２に等しい」ことを解析した後、端末は、（ビームで伝送されたＳＳブロックの信号強度及びビームで伝送されたＣＳＩ−ＲＳの信号強度の両方に対応する）値Ｙを用いてターゲットセルにアクセスするビームを決定する。Ｙ１がＹ２に等しくない場合、強度閾値情報は２つの値、すなわちＹ１及びＹ２を保持し、端末はＹ１及びＹ２を用いてターゲットセルにアクセスするビームを決定する。
【０１２７】
強度閾値情報の説明に基づいて、Ｓ２０５は、具体的には、端末は、Ｎ本のビームにおけるＭ本のビームの受信されたＲＡＣＨ構成に基づいて、ＲＡＣＨ構成がＭ本のビームのそれぞれに構成されること（すなわち、それぞれのビームに対応するＲＡＣＨ構成がビームに構成されること）を決定でき、端末は、Ｎ本のビームにおけるＬ本のビームの信号強度を取得し、Ｌ本のビームの信号強度を第１のビーム信号の強度閾値と比較し、これにアクセスするビームを決定できる。
【０１２８】
第１の実現可能な実施例において、Ｎ本のビームは、以下の２つの条件を満たすビームを含む。ＲＡＣＨ構成がビームに構成され、ビームの信号強度が第１のビーム信号の強度閾値より大きい又はこれに等しい。
【０１２９】
端末は、ターゲットセルにアクセスするビームとして、Ｍ本のビームから信号強度が第１のビーム信号の強度閾値より大きい又はそれに等しい少なくとも１本のビームを決定する。すなわち、ＲＡＣＨ構成がビームに構成され、ビームの信号強度が第１のビーム信号の強度閾値より大きい又はこれに等しいことを決定する場合、端末は、ターゲットセルにアクセスするビームとして、ビームを決定する。この実装において、ターゲットセルにアクセスする決定されたビームは、Ｎ本のビームに属し、かつ、Ｍ本のビームに属する。
【０１３０】
オプションで、Ｎ本のビームの識別情報は、ＳＳブロックの識別情報及び／又はＣＳＩ−ＲＳの識別情報を含む。従って、Ｎ本のビームがＳＳブロックの識別情報によって識別されたビーム及びＣＳＩ−ＲＳの識別情報によって識別されたビームの両方を含むとき、ＣＳＩ−ＲＳの識別情報によって識別されたビームの優先度は、ＳＳブロックの識別情報によって識別されたビームの優先度より高く、端末は、ターゲットセルにアクセスするビームとして、信号強度が第１のビーム信号の強度閾値より大きい又はこれに等しく、ＣＳＩ−ＲＳの識別情報によって識別されるＲＡＣＨ構成で構成されるビームを優先的に決定する。ビームのＲＡＣＨ構成がＭ本のビームのＲＡＣＨ構成に属し、かつ、信号強度が第１のビーム信号の強度閾値より大きい又はこれに等しい、という条件を満たすＣＳＩの識別情報によって識別されたビームがない場合、端末は、信号強度が第１のビーム信号の強度閾値より大きい又はこれに等しく、ターゲットセルにアクセスするビームとしてＳＳブロックの識別情報によって識別されたＲＡＣＨ構成で構成されるビームを決定する。
【０１３１】
上述の２つの条件を満たす複数のビームが上述の方式で決定される場合、端末は、ターゲットセルにアクセスするビームとして、上述の条件を満たす第１の見つけられたビームを決定してよく、端末は、上述の条件を満たすビームから、ターゲットセルにアクセスするビームをランダムに選択してよく、端末は、ターゲットセルにアクセスするビームとして、上述の条件を満たすビームから最大信号強度を有するビームを選択してよく、又は端末は、ターゲットセルにアクセスするビームとして、上述の条件を満たすビームから最も高い優先度を有するビームを選択してよいことが理解され得る。ビームの優先順位について、上述の関連する説明を参照する。
【０１３２】
オプションで、ＣＳＩ−ＲＳの識別情報によって識別されたビーム及びＳＳブロックの識別情報によって識別されたビームの優先順位が予め決定されてよく、又はネットワークデバイスによって構成されてよい。例えば、優先順位が、ハンドオーバメッセージを通じて示される。
【０１３３】
Ｍ本のビームのそれぞれのＲＡＣＨ構成は、プリアンブルインデックス（ｐｒｅａｍｂｌｅ  ｉｎｄｅｘ）及び時間−周波数リソース構成を含む。ＲＡＣＨ構成は、競合なしのランダムアクセス構成（Ｃｏｎｔｅｎｔｉｏｎ  Ｆｒｅｅ  Ｒａｎｄｏｍ  Ａｃｃｅｓｓ、ＣＦＲＡ）とみなされ得る。ターゲットセルにアクセスするためのものであり、かつ、端末によって決定されたビームがＭ本のビームに属するとき、端末は、ビームのＲＡＣＨ構成に基づいて、ターゲットセルへのランダムアクセス処理を開始する。
【０１３４】
この実装において、ターゲットセルにアクセスするためのものであり、かつ、端末によって決定されたビームは、ＲＡＣＨ構成及び高い信号強度を有する。このような方法で、端末によってターゲットセルにアクセスする成功率がより高くなる。
【０１３５】
第２の実現可能な実施例において、Ｍ本のビームのそれぞれの信号強度が第１のビーム信号の強度閾値より小さいとき、ターゲットセルにアクセスするビームがＭ本のビームから決定される。例えば、端末は、Ｍ本のビーム信号強度についてＮ本のビームを捜索し、Ｍ本のビームのそれぞれの信号強度が第１のビーム信号の強度閾値より小さいとき、Ｍ本のビームからターゲットセルにアクセスするビームを決定する。ターゲットセルにアクセスする決定されたビームは、本実施形態において、Ｍ本のビームに属する。
【０１３６】
Ｍが１より大きいとき、端末は、ターゲットセルにアクセスするビームとして、Ｍ本のビーム内の第１の見つけられたビームを決定してよく、端末は、Ｍ本のビームから、ターゲットセルにアクセスするビームをランダムに選択してよく、端末は、ターゲットセルにアクセスするビームとして、Ｍ本のビームから最大信号強度を有するビームを選択してよく、又は端末は、ターゲットセルにアクセスするビームとして、Ｍ本のビームから最も高い優先度を有するビームを選択してよい。ビームの優先順位について、上述の関連する説明を参照する。
【０１３７】
オプションで、Ｎ本のビームの識別情報は、ＳＳブロックの識別情報及び／又はＣＳＩ−ＲＳの識別情報を含む。従って、Ｎ本のビームが、ＳＳブロックの識別情報によって識別されたビーム及びＣＳＩ−ＲＳの識別情報によって識別されたビームの両方を含むとき、ＣＳＩ−ＲＳの識別情報によって識別されたビームの優先度は、ＳＳブロックの識別情報によって識別されたビームの優先度より高く、端末は、Ｍ本のビームにおけるＣＳＩ−ＲＳの識別情報によって識別されたビームからターゲットセルにアクセスするビームを優先的に決定する。Ｍ本のビームがＣＳＩの識別情報によって識別されたビームを含まない場合、端末は、Ｍ本のビームにおけるＳＳブロックの識別情報によって識別されたビームからターゲットセルにアクセスするビームを決定する。
【０１３８】
ＣＳＩ−ＲＳの識別情報によって識別されたビームからターゲットセルにアクセスするビームを決定する又はＭ本のビームにおけるＳＳブロックの識別情報によって識別されたビームからターゲットセルアクセスするビームを決定する方式が、第２の実現可能な実施例におけるＭ本のビームからターゲットセルアクセスするビームを決定する方式と同様であることが理解され得る。
【０１３９】
この実装において、ターゲットセルにアクセスするためのものであり、かつ、端末によって決定されたビームは、ＲＡＣＨ構成を有する。このような方法で、端末によってターゲットセルにアクセスする成功率が高くなる。
【０１４０】
第３の実現可能な実施例において、Ｍ本のビームのそれぞれの信号強度は、第１のビーム信号の強度閾値より小さく、かつ、Ｌ本のビームは、信号強度が第１のビーム信号の強度閾値より大きい又はそれに等しいビームを含む。
【０１４１】
端末は、ターゲットセルにアクセスするビームとして、Ｎ本のビームの識別子と、Ｌ本のビームの信号強度と、強度閾値情報に基づいて、信号強度が第１のビーム信号の強度閾値より大きい又はそれに等しいビームを決定する。この場合、信号強度が第１のビーム信号の強度閾値より大きい又はそれに等しいビームは、Ｌ本のビームのうちの１本として理解され得る。すなわち、端末は、Ｌ本のビームの信号強度についてＮ本のビームを捜索し、Ｍ本のビームのそれぞれの信号強度が第１のビーム信号の強度閾値より小さいとき、端末は、ターゲットセルにアクセスするビームの信号強度閾値が、第１のビーム信号の強度閾値より大きい又はこれに等しいことに基づいて、Ｌ本のビームからターゲットセルにアクセスするビームを決定する。Ｌ本のビームが信号強度が第１のビーム信号の強度閾値より大きい又はこれに等しい複数のビームを含む場合、端末は、ターゲットセルにアクセスするビームとして、信号強度が第１のビーム信号の強度閾値より大きい又はそれに等しい第１の見つけられたビームを決定し得る。代替的に、端末は、信号強度が第１のビーム信号の強度閾値より大きい若しくはこれに等しいビームから、ターゲットセルにアクセスするビームをランダムに選択してよく、端末は、ターゲットセルにアクセスするビームとして、信号強度が第１のビーム信号の強度閾値より大きい若しくはこれに等しいビームから最大信号強度を有するビームを選択してよく、又は端末は、ターゲットセルにアクセスするビームとして、信号強度が第１のビーム信号の強度閾値より大きい若しくはこれに等しいビームから最も高い優先度を有するビームを選択してよい。ビームの優先順位について、上述の関連する説明を参照する。
【０１４２】
オプションで、Ｎ本のビームの識別情報は、ＳＳブロックの識別情報及び／又はＣＳＩ−ＲＳの識別情報を含む。従って、Ｎ本のビームがＳＳブロックの識別情報によって識別されたビーム及びＣＳＩ−ＲＳの識別情報によって識別されたビームの両方を含むとき、ＣＳＩ−ＲＳの識別情報によって識別されたビームの優先度は、ＳＳブロックの識別情報によって識別されたビームの優先度より高く、端末は、ターゲットセルにアクセスするビームとして、信号強度が第１のビーム信号の強度閾値より大きい又はそれに等しく、かつ、ＣＳＩ−ＲＳの識別情報によって識別されるビームを優先的に決定する。ＣＳＩの識別情報によって識別されたビームが信号強度が第１のビーム信号の強度閾値より大きい又はそれに等しいビームを含まない場合、端末は、ターゲットセルにアクセスするビームとして、信号強度が第１のビーム信号の強度閾値より大きい又はそれに等しく、かつ、ＳＳブロックの識別情報によって識別されたビームを決定する。
【０１４３】
信号強度が第１のビーム信号の強度閾値より大きい又はこれに等しく、かつ、ＣＳＩ−ＲＳの識別情報又はＳＳブロックの識別情報によって識別された複数の決定されたビームが存在するとき、処理の態様は、信号強度が第１のビーム信号の強度閾値より大きい又はこれに等しい複数のビームをＬ本のビームが含むとき、第３の実現可能な実施例に用いられる処理の態様と同様であることが理解され得、詳細はここでは改めて説明されない。
【０１４４】
オプションで、ターゲットセルにアクセスするためのものであり、かつ、端末によって決定されたビームが、Ｍ本のビームに属さないとき、端末は、ターゲットセルのシステム情報をリッスンして解析し、システム情報における共通のＲＡＣＨ構成に基づいて、ターゲットセルへのランダムアクセスを開始し得る。
【０１４５】
この実装において、端末は、ターゲットセルにアクセスするビームが高い信号強度を有することを決定する。このような方法で、端末によってターゲットセルにアクセスする成功率が高くなる。
【０１４６】
第４の実現可能な実施例において、Ｍ本のビームのそれぞれの信号強度は、第１のビーム信号の強度閾値より小さく、かつ、Ｌ本のビームは、信号強度が第１のビーム信号の強度閾値より大きい又はそれに等しいビームを含まない。
【０１４７】
端末は、Ｎ本のビームの識別子及びＬ本のビームの信号強度に基づいて、Ｌ本のビームから、ターゲットセルにアクセスするビームとして、最大信号強度を有するビームを決定してよく、端末は、ターゲットセルにアクセスするビームとしてＬ本のビーム内の第１の見つけられたビームを決定してよく、端末は、Ｌ本のビームからターゲットセルにアクセスするビームをランダムに選択してよく、又は端末は、ターゲットセルにアクセスするビームとして、Ｌ本のビームから最も高い優先度を有するビームを選択してよい。ここで、ビームの優先順位について、上述の関連する説明を参照する。
【０１４８】
本実施形態におけるターゲットセルにアクセスする決定されたビームは、Ｌ本のビームに属するが、ターゲットセルにアクセスするためのものであり、かつ、この場合において決定されるビームは、Ｍ本のビームに属してよく、又はＭ本のビームに属さなくてよい。
【０１４９】
オプションで、Ｎ本のビームの識別情報は、ＳＳブロックの識別情報及び／又はＣＳＩ−ＲＳの識別情報を含む。従って、Ｎ本のビームがＳＳブロックの識別情報によって識別されたビーム及びＣＳＩ−ＲＳの識別情報によって識別されたビームの両方を含むとき、ＣＳＩ−ＲＳの識別情報によって識別されたビームの優先度は、ＳＳブロックの識別情報によって識別されたビームの優先度より高く、端末は、ターゲットセルにアクセスするビームとして、Ｌ本のビームにおけるＣＳＩ−ＲＳの識別情報によって識別されビームから最大信号強度を有するビームを優先的に決定する。Ｌ本のビームがＣＳＩの識別情報によって識別されたビームを含まない場合、端末は、ターゲットセルにアクセスするビームとして、Ｌ本のビームにおけるＳＳブロックの識別情報によって識別されたビームから最大信号強度を有するビームを決定する。ＣＳＩ−ＲＳの識別情報によって識別されたビームから又はＳＳブロックの識別情報によって識別されビームからターゲットセルにアクセスするビームを決定する方式は、代替的に、ターゲットセルにアクセスするビームとして第１の見つけられたビームを決定すること、ビームをランダムに選択すること、又は最も高い優先度を有するビームを選択することであってよいことが理解され得る。これは、本願の本実施形態に限定されない。
【０１５０】
この実装において、端末は、比較的フレキシブルな方式で、ターゲットセルにアクセスするビームを決定する。
【０１５１】
上述の実現可能な実施例において、例としてＭが１より大きい又はこれに等しい場合を用いることによって説明が提供されることが理解され得る。可能な場合において、Ｍは、代替的に、ターゲット基地局がターゲットセルのビームに対するＲＡＣＨ構成を提供しないことを示す０に等しくてよい。この場合、ターゲットセルにアクセスするビームが、以下の態様で決定され得る。端末は、Ｎ本のビームにおけるＬ本のビームを見つけて、端末は、Ｌ本のビームからターゲットセルにアクセスするビームを決定してよい。例えば、端末は、ターゲットセルにアクセスするビームとして、Ｌ本のビームから最大信号強度を有するビームを決定し、端末は、ターゲットセルにアクセスするビームとして、Ｌ本のビーム内の第１の見つけられたビームを決定し、端末は、ターゲットセルにアクセスするビームとして、Ｌ本のビームから最も高い優先度を有するビームを決定し、又は端末は、Ｌ本のビームから、ターゲットセルにアクセスするビームをランダムに決定する。Ｍ＝０のとき、ターゲットセルにアクセスするビームを決定する方式はまた、Ｍ本のビームのいずれも見つけられないシナリオに適用可能であってよいことが理解され得る。
【０１５２】
他の可能な実施例において、Ｍ本のビームのいずれも見つけられない、Ｍが０に等しい、Ｎ本のビームのいずれも見つけられない、又はＬ本のビーム若しくはＭ本のビームのそれぞれの信号強度が第１のビームの信号強度閾値より小さいとき、それは、ターゲット基地局がターゲットセルのビームに対するＲＡＣＨ構成を提供しないとき、アクセスするビームが、代替的に、以下の態様のうちの１つで決定され得ることを示す。
（１）端末は、ターゲットセルにアクセスするビームとして、ターゲットセルの見つけられたビームから、最大信号強度を有するビームを決定し、端末は、ターゲットセルにアクセスするビームとして、ターゲットセルの第１の見つけられたビームを決定し、端末は、ターゲットセルにアクセスするビームとして、ターゲットセルの見つけられたビームから最も高い優先度を有するビームを決定し、又は、端末は、ターゲットセルのビームから、ターゲットセルにアクセスするビームをランダムに決定する。この方式によれば、端末は、できる限りアクセス失敗を回避すべく、優先的にターゲットセルにアクセスする。  （２）端末は、アクセスするビームとして、見つけられたビームから最大信号強度を有するビームを決定する。代替的に、端末は、アクセスするビームとして第１の見つけられたビームを決定し、この場合、ビームは、ターゲットセルに属し得る。代替的に、端末は、隣接セルにアクセスするビームとして、見つけられたビームから最も高い優先度を有するビームを決定する。代替的に、端末は、アクセスするビームをランダムに決定し、ビームは、ターゲットセルに属し得る。アクセスするビームは、ターゲットセルに属してよく、又は、アクセスするビームは、ターゲットセル以外の隣接セルに属してよい。  （３）端末は、ＲＲＣ接続復元処理を開始し、オプションで、端末は、現在のサービングセルにおけるＲＲＣ接続復元処理を実行する。
【０１５３】
本願の上述の実施形態に基づいて、オプションで、端末が上述の方式でビームを決定し、ランダムアクセス処理を開始するが、ランダムアクセス処理が失敗した場合、例えば、端末によるプリアンブルインデックスの送信回数が最大送信回数に達するが、端末が基地局によって応答されるランダムアクセス応答（ＲＡＲ）メッセージを受信しない場合、端末は、ＲＲＣ接続復元処理を開始する。オプションで、端末は、現在のサービングセルにおけるＲＲＣ接続復元処理を実行する。
【０１５４】
本願の上述の実施形態は、方式を決定してアクセスする複数のビームを提供し、その結果、端末は、アクセスするビームをフレキシブルに選択する。
【０１５５】
図４は、本願の実施形態３による通信方法のフローチャートである。図４に示されるように、本実施形態における方法は、以下の段階を含み得る。
【０１５６】
Ｓ３０１．端末は、測定レポートをソース基地局に送信する。ここで、測定レポートは、所定の期間内の端末のサービングビーム変更情報を含む。
【０１５７】
測定レポートについて、本実施形態において、図３に示される実施形態における関連する説明を参照する。加えて、本実施形態における測定レポートは、所定の期間内の端末のサービングビーム変更情報をさらに含む。サービングビーム変更情報は、例えば、所定の期間内の端末のサービングビームの変更数、又は端末がそれぞれのサービングビームに滞在する期間である情報である。
【０１５８】
オプションで、ビーム変更情報が測定レポートに含まれていることに限定されず、又は端末によってソース基地局に送信される新しいＲＲＣメッセージ、レイヤ１のシグナリング、若しくはレイヤ２のシグナリングに含まれてよい。
【０１５９】
Ｓ３０２．ソース基地局は、ハンドオーバ要求メッセージをターゲット基地局に送信する。ここで、ハンドオーバ要求メッセージは、サービングビーム変更情報を含む。
【０１６０】
ハンドオーバ要求メッセージについて、本実施形態において、図３に示される実施形態における関連する説明を参照する。加えて、本実施形態におけるハンドオーバ要求メッセージは、サービングビーム変更情報をさらに含む。
【０１６１】
Ｓ３０３．ターゲット基地局は、サービングビーム変更情報に基づいて、Ｍ本のビームのＲＡＣＨ構成の有効期間を決定する。
【０１６２】
本実施形態において、ターゲット基地局は、サービングビーム変更情報に基づいて、端末の移動ステータス実質的に決定し、端末の移動ステータスに基づいて、Ｍ本のビームのＲＡＣＨ構成の有効期間を決定し得る。サービングビーム変更情報に基づいて、端末がサービングビームを頻繁に変更することが決定された場合、Ｍ本のビームのものであり、かつ、ターゲット基地局によって割り当てられるものであるＲＡＣＨ構成の有効期間は比較的短く、そうでなければ、Ｍ本のビームのものであり、かつ、ターゲット基地局によって割り当てられるものであるＲＡＣＨ構成の有効期間は比較的長い。
【０１６３】
Ｓ３０２及びＳ３０３の交換可能な解決手段において、ソース基地局は、サービングビーム変更情報に基づいて、有効期間を決定し、その後、ソース基地局は、ハンドオーバ要求メッセージをターゲット基地局に送信する。ここで、ハンドオーバ要求メッセージは有効期間を含む。ターゲット基地局は、ハンドオーバ要求メッセージに基づいて、ハンドオーバ要求メッセージにおける有効期間がＭ本のビームのＲＡＣＨ構成の有効期間であることを決定する。
【０１６４】
ＲＡＣＨ構成の有効期間が終了した後、ターゲット基地局がＭ本のビームのＲＡＣＨ構成をリリースし、それによって、長期間リソースを浪費することを回避することが理解され得る。
【０１６５】
Ｓ３０１からＳ３０３の全ての段階は、代替的に、後の段階から独立し、他のシナリオ又はソリューションに適用され得る。本実施形態におけるＳ３０１からＳ３０３は、本実施形態におけるシナリオ又は解決手段に適用されるがこれに限定されない。
【０１６６】
Ｓ３０４．ターゲット基地局は、ハンドオーバ要求確認メッセージをソース基地局に送信する。
【０１６７】
本実施形態において、ハンドオーバ要求確認メッセージは、Ｎ本のビームの識別情報及びＭ本のビームのＲＡＣＨ構成を含む。ハンドオーバ要求メッセージについて、本実施形態において、図３に示される実施形態における関連する説明を参照する。
【０１６８】
Ｓ３０３及びＳ３０４の段階を実行するための特定の順序は存在しない。
【０１６９】
Ｓ３０５．ソース基地局は、ハンドオーバメッセージを端末に送信する。ここで、ハンドオーバメッセージは、ターゲットセルのＮ本のビームの識別情報及びＭ本のビームのＲＡＣＨ構成を含む。
【０１７０】
Ｓ３０６．端末は、Ｎ本のビームにおけるＬ本のビームの信号強度と、Ｎ本のビームの識別情報と、Ｍ本のビームのＲＡＣＨ構成とに少なくとも基づいて、アクセスするビームを決定する。
【０１７１】
本実施形態において、Ｓ３０５及びＳ３０６について、上述の実施形態における関連する説明を参照する。詳細はここでは改めて説明されない。
【０１７２】
Ｓ３０７．端末は、アクセスするビームに基づいて、プリアンブルインデックスをビームに対応する基地局に送信する。
【０１７３】
本明細書では、ビームに対応する基地局は、ターゲット基地局であってよく、又は他の基地局であってよい。図４はビームに対応する基地局がターゲット基地局である例を示すが、これは本実施形態で限定されない。
【０１７４】
Ｓ３０８．ビームに対応する基地局は、ランダムアクセス応答（Ｒａｎｄｏｍ  Ａｃｃｅｓｓ  Ｒｅｓｐｏｎｓｅ、ＲＡＲ）メッセージを端末に送信する。
【０１７５】
ターゲットセルにアクセスするビームがＭ本のビームに属することを端末が決定する場合、それは、ＲＡＣＨ構成がターゲットセルにアクセスするビームに構成されることを示す。この場合、端末は、ＲＡＣＨ構成を用いることによって、プリアンブルインデックスをターゲット基地局に送信する。ターゲット基地局は、端末によって送信されたプリアンブルインデックス及び／又はプリアンブルインデックスを送信するのに用いられた時間−周波数リソースに基づいて、端末によって実行されるターゲットセルへのランダムアクセスのために選択されるビームを決定し、ターゲット基地局はビームに基づいてＲＡＲメッセージを端末に送信し、ターゲット基地局はＭ本のビーム内の他のビームのＲＡＣＨ構成をリリースする。
【０１７６】
ターゲットセルにアクセスするビームがＭ本のビームに属さないことを端末が決定する場合、それは、ＲＡＣＨ構成がターゲットセルにアクセスするビームに構成されないことを示す。この場合、端末は、共通のランダムアクセスチャネルの時間−周波数リソース上でランダムに選択されたプリアンブルインデックスをターゲット基地局に送信する。
【０１７７】
Ｓ３０９．端末は、ＲＲＣ接続再構成完了メッセージをビームに対応する基地局に送信する。
【０１７８】
ＲＡＲメッセージを受信した後、端末は、ＲＲＣ接続再構成完了メッセージをビームに対応する基地局に送信する。
【０１７９】
本実施形態において、上述の解決手段によれば、端末は、ターゲットセルにアクセスするビームを決定し、端末によってターゲットセルにアクセスする成功率がビームに基づいて改善されることができ、ハンドオーバ成功率を高める。加えて、端末は、端末のサービングビーム変更情報をさらにレポートし、その結果、ターゲット基地局は、Ｍ本のビームのＲＡＣＨ構成の有効期間を決定し、有効期間が終了した後、Ｍ本のビームのＲＡＣＨ構成をリリースすることによって、長期間リソースを占有することを回避して、リソースの利用を高める。
【０１８０】
上述の実施形態において、端末によって実装される方法又は段階は、代替的に、端末の内部のチップによって実装されてよいことが理解され得る。ソース基地局のような基地局によって実装される方法又は段階は、代替的に、基地局の内部のチップによって実装されてよい。
【０１８１】
本願の実施形態は、通信装置を提供する。通信装置は端末であってよく、又は端末の内部のチップであってよい。図５に示されるように、本実施形態における通信装置は、受信モジュール１１及び処理モジュール１２を含み得る。
【０１８２】
受信モジュール１１は、ターゲットセルのＮ本のビームの識別情報及びＮ本のビームにおけるＭ本のビームのランダムアクセスチャネル構成を受信するよう構成される。ここで、Ｎ及びＭは正の整数である。
【０１８３】
処理モジュール１２は、Ｎ本のビームにおけるＬ本のビームの信号品質又は信号強度と、Ｎ本のビームの識別情報と、Ｍ本のビームのランダムアクセスチャネル構成とに基づいて、アクセスするビームを決定するよう構成される。ここで、Ｌは非負の整数である。
【０１８４】
オプションで、処理モジュール１２は、具体的には、Ｎ本のビームにおけるＬ本のビームの信号強度と、強度閾値情報と、Ｎ本のビームの識別情報と、Ｍ本のビームのランダムアクセスチャネル構成とに基づいて、アクセスするビームを決定するよう構成される。
【０１８５】
オプションで、受信モジュール１１は、強度閾値情報を受信するようさらに構成される。
【０１８６】
オプションで、強度閾値情報は、第１のビーム信号の強度閾値又は強度閾値インジケーション情報を含み、強度閾値インジケーション情報は、第１のビーム信号の強度閾値と第２のビーム信号の強度閾値との間の関係を示すのに用いられ、第２のビーム信号の強度閾値は、測定構成情報に保持されたビーム信号の強度閾値である。
【０１８７】
オプションで、処理モジュール１２は、具体的には、Ｎ本のビームにおけるＬ本のビームの信号強度と、強度閾値情報と、Ｎ本のビームの識別情報と、Ｍ本のビームのランダムアクセスチャネル構成とに基づいて、ターゲットセルにアクセスするビームとして、Ｍ本のビームから信号強度が第１のビーム信号の強度閾値より大きい又はそれに等しいビームを決定するよう構成される。
【０１８８】
オプションで、処理モジュール１２は、具体的には、Ｍ本のビームのそれぞれの信号強度が第１のビーム信号の強度閾値より小さいとき、Ｍ本のビームから、Ｎ本のビームの識別情報及びＭ本のビームのランダムアクセスチャネル構成に基づいて、ターゲットセルにアクセスするビームを決定するよう構成される。
【０１８９】
オプションで、処理モジュール１２は、具体的には、Ｍ本のビームのそれぞれの信号強度が第１のビーム信号の強度閾値より小さいとき、Ｎ本のビームの識別子と、Ｌ本のビームの信号強度と、強度閾値情報とに基づいて、ターゲットセルにアクセスするビームとして、Ｌ本のビームから信号強度が第１のビーム信号の強度閾値より大きい又はそれに等しいビームを決定するよう構成される。
【０１９０】
オプションで、処理モジュール１２は、具体的には、Ｌ本のビームの信号強度と、強度閾値情報と、Ｎ本のビームの識別情報と、Ｎ本のビームの優先順位と、Ｍ本のビームのランダムアクセスチャネル構成とに基づいて、ターゲットセルにアクセスするビームを決定するよう構成される。
【０１９１】
オプションで、処理モジュール１２は、具体的には、Ｍ本のビームのいずれも見つけられないとき、Ｎ本のビームの識別情報に基づいて、ターゲットセルにアクセスするビームとして、Ｌ本のビームにおいて最大信号強度を有するビームを決定するよう構成される。
【０１９２】
オプションで、Ｎ本のビームの識別情報は、同期信号ブロックインジケーション情報及び／又はチャネル状態情報参照信号識別情報を含む。
【０１９３】
処理モジュール１２は、具体的には、Ｎ本のビームにおけるＬ本のビームの信号強度と、強度閾値情報と、Ｎ本のビームの識別情報と、識別情報がチャネル状態情報参照信号識別情報であるビームの優先度が、識別情報が同期信号ブロックインジケーション情報であるビームの優先度より高いことと、Ｍ本のビームのランダムアクセスチャネル構成とに基づいて、アクセスするビームを決定するよう構成される。
【０１９４】
オプションで、処理モジュール１２は、Ｎ本のビームのいずれも見つけられない、Ｌ本のビームの信号強度若しくはＭ本のビームの信号強度が第１のビーム信号の強度閾値より小さい、又はＭ本のビームのいずれも見つけられない場合、アクセスするビームとして第１の見つけられたビームを決定し、アクセスするビームとして最大信号強度を有するビームを決定し、アクセスするビームとして見つけられたビームをランダムに決定し、又はアクセスするビームとして見つけられたビームにおいて最も高い優先度を有するビームを決定するようさらに構成される。
【０１９５】
オプションで、ランダムアクセスチャネル構成は、プリアンブルインデックス及び時間−周波数リソース構成を含む。
【０１９６】
本実施形態において説明された通信装置は、上述の方法の実施形態で端末／端末のチップによって実行される技術的解決手段を実行するよう構成され得る。通信装置の実装原理及び技術的効果は、上述の方法の実施形態の実装原理及び技術的効果と同様である。モジュールの機能について、方法の実施形態における対応する説明を参照する。詳細はここでは改めて説明されない。
【０１９７】
図６は、本願の実施形態による端末の概略構造図である。図６に示されるように、本実施形態における端末は、プロセッサ２１及びトランシーバー２２を含み得る。プロセッサ２１がトランシーバー２２に通信可能に接続される。
【０１９８】
ハードウェア実装において、受信モジュール１１は、本実施形態におけるトランシーバー２２であり得る。代替的に、トランシーバー２２は伝送機及び受信機を含む。この場合、受信モジュール１１は、トランシーバー２２の受信機であってよい。処理モジュール１２は、ハードウェアの形態で端末のプロセッサ２１に組み込まれてよく、又は端末のプロセッサ２１から独立してよい。
【０１９９】
トランシーバー２２は、周波数混合器のような、必要な無線周波数通信デバイスを含み得る。プロセッサ２１は、中央処理装置（ＣＰＵ）、デジタルシグナルプロセッサ（ＤＳＰ）、マイクロコントローラユニット（ＭＣＵ）、特定用途向け集積回路（ＡＳＩＣ）、又はフィールドプログラマブルゲートアレイ（ＦＰＧＡ）のうちの少なくとも１つを含み得る。
【０２００】
オプションで、本実施形態における端末は、メモリ２３をさらに含み得る。メモリ２３は、プログラム命令を格納するよう構成される。プロセッサ２１は、メモリ２３内のプログラム命令を呼び出して上述の解決手段を実行するよう構成される。
【０２０１】
プログラム命令はソフトウェア機能ユニットの形態で実装されてよく、独立した製品として販売され又は用いられることができる。メモリ２３は、任意の形態のコンピュータ可読記憶媒体であり得る。そのような理解に基づいて、本願の技術的解決手段の全て又は一部がソフトウェア製品の形態で表されてよく、ソフトウェア製品は、本願の実施形態における端末の段階の全て又は一部を実行すべく、具体的にはプロセッサ２１であり得る、コンピュータデバイスに命令するためのいくつかの命令を含む。コンピュータ可読記憶媒体は、ＵＳＢフラッシュドライブ、リムーバブルハードディスク、リードオンリメモリ（ＲＯＭ）、ランダムアクセスメモリ（ＲＡＭ）、磁気ディスク、及びコンパクトディスクのような、プログラムコードを格納できる様々な媒体を含む。
【０２０２】
本実施形態において説明された端末は、本願の上述の方法の実施形態において、端末又は端末の内部のチップによって実行される技術的解決手段を実行するよう構成され得る。端末の実装原理及び技術的効果は、上述の方法の実施形態の実装原理及び技術的効果と同様である。モジュールの機能について、方法の実施形態における対応する説明を参照する。詳細はここでは説明されない。
【０２０３】
本願の実施形態は、通信装置を提供する。通信装置はネットワークデバイスであってよく、又はネットワークデバイスの内部のチップであってよい。図７に示されるように、通信装置は、受信モジュール３１及び送信モジュール３２を含み得る。
【０２０４】
受信モジュール３１は、第２のネットワークデバイスによって送信された、ターゲットセルのＮ本のビームの識別情報及びＮ本のビームにおけるＭ本のビームのランダムアクセスチャネル構成を受信するよう構成される。ここで、Ｎ及びＭは正の整数である。
【０２０５】
送信モジュール３２は、Ｎ本のビームの識別情報及びＭ本のビームのランダムアクセスチャネル構成を端末に送信するよう構成される。
【０２０６】
オプションで、受信モジュール３１は、所定の期間内であって、かつ、端末によって送信された、端末のサービングビーム変更情報を受信するようさらに構成される。
【０２０７】
送信モジュール３２は、サービングビーム変更情報を第２のネットワークデバイスに送信するようさらに構成される。ここで、サービングビーム変更情報は、第２のネットワークデバイスによって、Ｍ本のビームのランダムアクセスチャネル構成の有効期間を決定するのに用いられる。
【０２０８】
オプションで、本実施形態における通信装置は、処理モジュール３３をさらに含む。
【０２０９】
受信モジュール３１は、所定の期間内であって、かつ、端末によって送信された、端末のサービングビーム変更情報を受信するようさらに構成される。
【０２１０】
処理モジュール３３は、サービングビーム変更情報に基づいて、Ｍ本のビームのランダムアクセスチャネル構成の有効期間を決定するよう構成される。
【０２１１】
送信モジュール３２は、Ｍ本のビームのランダムアクセスチャネル構成の有効期間を第２のネットワークデバイスに送信するようさらに構成される。
【０２１２】
オプションで、ランダムアクセスチャネル構成は、プリアンブルインデックス及び時間−周波数リソース構成を含む。
【０２１３】
オプションで、送信モジュール３２は、ハンドオーバメッセージを通じて、ビーム信号の強度閾値情報又は品質閾値情報を端末に送信するようさらに構成される。
【０２１４】
本実施形態において説明された通信装置は、上述の方法の実施形態でソース基地局又はソース基地局の内部のチップによって実行される技術的解決手段を実行するよう構成され得る。通信装置の実装原理及び技術的効果は、上述の方法の実施形態の実装原理及び技術的効果と同様である。モジュールの機能について、方法の実施形態における対応する説明を参照する。詳細はここでは改めて説明されない。
【０２１５】
図８は、本願の実施形態によるネットワークデバイスの概略構造図である。図８に示されるように、本実施形態におけるネットワークデバイスは、プロセッサ４１及びトランシーバー４２を含み得る。プロセッサ４１がトランシーバー４２に通信可能に接続される。
【０２１６】
ハードウェア実装において、受信モジュール３１及び送信モジュール３２は、本実施形態におけるトランシーバー４２であり得る。代替的に、トランシーバー４２は伝送機及び受信機を含む。この場合、受信モジュール３１はトランシーバー４２の受信機であってよく、送信モジュール３２は、トランシーバー４２の伝送機であってよい。処理モジュール３３は、ハードウェアの形態でネットワークデバイスのプロセッサ４１に組み込まれてよく、又はネットワークデバイスのプロセッサ４１から独立してよい。
【０２１７】
トランシーバー４２は、周波数混合器のような、必要な無線周波数通信デバイスを含み得る。プロセッサ４１は、ＣＰＵ、ＤＳＰ、ＭＣＵ、ＡＳＩＣ、又はＦＰＧＡのうちの少なくとも１つを含み得る。
【０２１８】
オプションで、本実施形態におけるネットワークデバイスは、メモリ４３をさらに含み得る。メモリ４３は、プログラム命令を格納するよう構成される。プロセッサ４１は、メモリ４３内のプログラム命令を呼び出して上述の解決手段を実行するよう構成される。
【０２１９】
プログラム命令はソフトウェア機能ユニットの形態で実装されてよく、独立した製品として販売され又は用いられることができる。メモリ４３は、任意の形態のコンピュータ可読記憶媒体であり得る。そのような理解に基づいて、本願の技術的解決手段の全て又は一部がソフトウェア製品の形態で表されてよく、ソフトウェア製品は、本願の実施形態におけるネットワークデバイスの段階の全て又は一部を実行すべく、具体的にはプロセッサ４１であり得る、コンピュータデバイスに命令するためのいくつかの命令を含む。コンピュータ可読記憶媒体は、ＵＳＢフラッシュドライブ、リムーバブルハードディスク、ＲＯＭ、ＲＡＭ、磁気ディスク、及びコンパクトディスクのような、プログラムコードを格納できる様々な媒体を含む。
【０２２０】
本実施形態におけるネットワークデバイスは、本願の上述の方法の実施形態において、ソース基地局の技術的解決手段を実行するよう構成され得る。ネットワークデバイスの実装原理及び技術的解決手段は、上述の方法の実施形態の実装原理及び技術的解決策と同様であり、詳細はここでは説明されない。
【０２２１】
本願の実施形態は、通信装置を提供する。通信装置は、ネットワークデバイスであってよく、又はネットワークデバイスの内部のチップであってよい。図９に示されるように、通信装置は、送信モジュール５１を含み得る。
【０２２２】
送信モジュール５１は、ターゲットセルのＮ本のビームの識別情報及びＮ本のビームにおけるＭ本のビームのランダムアクセスチャネル構成を第１のネットワークデバイスに送信するよう構成される。ここで、Ｎ及びＭは正の整数である。
【０２２３】
オプションで、通信装置は、受信モジュール５２及び処理モジュール５３をさらに含む。
【０２２４】
実現可能な実施例において、受信モジュール５２は、所定の期間内であって、かつ、第１のネットワークデバイスによって送信された端末のサービングビーム変更情報を受信するよう構成される。
【０２２５】
処理モジュール５３は、サービングビーム変更情報に基づいてＭ本のビームのランダムアクセスチャネル構成の有効期間を決定し、有効期間が終了した後、Ｍ本のビームのランダムアクセスチャネル構成をリリースするよう構成される。
【０２２６】
実現可能な実施例において、受信モジュール５２は、第１のネットワークデバイスによって送信されたＭ本のビームのランダムアクセスチャネル構成の有効期間を受信するよう構成される。
【０２２７】
処理モジュール５３は、有効期間が終了した後、Ｍ本のビームのランダムアクセスチャネル構成をリリースするよう構成される。
【０２２８】
オプションで、送信モジュール５１は、システム情報を通じて、ビーム信号の強度閾値情報又は品質閾値情報を端末に送信するようさらに構成される。
【０２２９】
本実施形態において説明された通信装置は、上述の方法の実施形態でターゲット基地局又はターゲット基地局の内部のチップによって実行される技術的解決手段を実行するよう構成され得る。通信装置の実装原理及び技術的効果は、上述の方法の実施形態の実装原理及び技術的効果と同様である。モジュールの機能について、方法の実施形態における対応する説明を参照する。詳細はここでは改めて説明されない。
【０２３０】
図１０は、本願の実施形態によるネットワークデバイスの概略構造図である。図１０に示されるように、本実施形態におけるネットワークデバイスは、プロセッサ６１及びトランシーバー６２を含み得る。プロセッサ６１がトランシーバー６２に通信可能に接続される。
【０２３１】
ハードウェア実装において、受信モジュール５２及び送信モジュール５１は、本実施形態におけるトランシーバー６２であり得る。代替的に、トランシーバー６２は、伝送機及び受信機を含む。この場合、受信モジュール５２はトランシーバー６２の受信機であってよく、送信モジュール５１は、トランシーバー６２の伝送機であってよい。処理モジュール５３は、ハードウェアの形態でネットワークデバイスのプロセッサ６１に組み込まれてよく、又はネットワークデバイスのプロセッサ６１から独立してよい。
【０２３２】
トランシーバー６２は、周波数混合器のような、必要な無線周波数通信デバイスを含み得る。プロセッサ６１は、ＣＰＵ、ＤＳＰ、ＭＣＵ、ＡＳＩＣ、又はＦＰＧＡのうちの少なくとも１つを含み得る。
【０２３３】
オプションで、本実施形態におけるネットワークデバイスは、メモリ６３をさらに含み得る。メモリ６３は、プログラム命令を格納するよう構成される。プロセッサ６１は、メモリ６３内のプログラム命令を呼び出して上述の解決手段を実行するよう構成される。
【０２３４】
プログラム命令は、ソフトウェア機能ユニットの形態で実装されてよく、独立した製品として販売され又は用いられることができる。メモリ６３は、任意の形態のコンピュータ可読記憶媒体であり得る。そのような理解に基づいて、本願の技術的解決手段の全て又は一部がソフトウェア製品の形態で表されてよく、ソフトウェア製品は、本願の実施形態におけるネットワークデバイスの段階の全て又は一部を実行すべく、具体的には、プロセッサ６１であり得る、コンピュータデバイスに命令するためのいくつかの命令を含み得る。コンピュータ可読記憶媒体は、ＵＳＢフラッシュドライブ、リムーバブルハードディスク、ＲＯＭ、ＲＡＭ、磁気ディスク、及びコンパクトディスクのような、プログラムコードを格納できる様々な媒体を含む。
【０２３５】
本実施形態におけるネットワークデバイスは、本願の上述の方法の実施形態において、ターゲット基地局の技術的解決手段を実行するよう構成され得る。ネットワークデバイスの実装原理及び技術的解決手段は、上述の方法の実施形態の実装原理及び技術的解決手段と同様であり、詳細はここでは説明されない。
【０２３６】
本願の実施形態におけるモジュール分割は一例であり、単にロジカルな機能分割に過ぎないことに留意されたい。実際の実装では、他の分割方式が存在し得る。本願の実施形態における機能的なモジュールは１つの処理モジュールに統合されてよく、モジュールのそれぞれは物理的に独立して存在してよく、又は２若しくはそれ以上のモジュールが１つのモジュールに統合される。統合されたモジュールは、ハードウェアの形態で実装されてよく、又はソフトウェア機能モジュールの形態で実装されてよい。
【０２３７】
統合されたモジュールがソフトウェア機能モジュールの形態で実装されて、独立した製品として販売され又は用いられるとき、統合されたモジュールがコンピュータ可読記憶媒体に格納され得る。そのような理解に基づいて、本願の本質的な技術的解決手段、先行技術に寄与する部分、又は技術的解決手段の全て若しくは一部がソフトウェア製品の形態で実装され得る。コンピュータソフトウェア製品が記憶媒体に格納され、本願の実施形態において説明された方法の段階の全て又は一部を実行すべく、（パーソナルコンピュータ、サーバ、ネットワークデバイス、又は同様のものであり得る）コンピュータデバイス又はプロセッサに命令するためのいくつかの命令を含む。記憶媒体は、ＵＳＢフラッシュドライブ、リムーバブルハードディスク、リードオンリメモリ（ＲＯＭ）、ランダムアクセスメモリ（ＲＡＭ）、磁気ディスク、及びコンパクトディスクのような、プログラムコードを格納できる様々な媒体を含む。
【０２３８】
上述の実施形態の全て又は一部が、ソフトウェア、ハードウェア、ファームウェア、又はこれらの任意の組み合わせを用いることによって実装され得る。ソフトウェアが実施形態を実行するのに用いられるとき、実施形態の全て又は一部がコンピュータプログラムプロダクトの形態で実装され得る。コンピュータプログラムプロダクトは、１又は複数のコンピュータ命令を含む。コンピュータプログラム命令がコンピュータ上にロードされて実行されるとき、本願の実施形態による手順又は機能の全て又は一部が生成される。コンピュータは、汎用コンピュータ、専用コンピュータ、コンピュータネットワーク、又は他のプログラム可能な装置であり得る。コンピュータ命令がコンピュータ可読記憶媒体に格納されてよく、又は１つのコンピュータ可読記憶媒体から他のコンピュータ可読記憶媒体に伝送されてよい。例えば、コンピュータ命令が、有線（例えば、同軸ケーブル、光ファイバ、若しくはデジタル加入者線（ＤＳＬ））方式で、又は無線（例えば、赤外線、電波、若しくはマイクロ波）方式で、ウェブサイト、コンピュータ、サーバ、又はデータセンタから他のウェブサイト、コンピュータ、サーバ、又はデータセンタに伝送されてよい。コンピュータ可読記憶媒体は、コンピュータによってアクセス可能な任意の使用可能な媒体、又は１若しくは複数の使用可能な媒体を統合するサーバ若しくはデータセンタのようなデータストレージデバイスであり得る。使用可能な媒体は、磁気媒体（例えば、フロッピーディスク、ハードディスク、若しくは磁気テープ）、光媒体（例えば、ＤＶＤ）、半導体媒体（例えば、ソリッドステートディスク（ＳＳＤ））、又は同様のものであり得る。
【国際調査報告】
2020523922.tif 000013
2020523922.tif 000014
2020523922.tif 000015
2020523922.tif 000016